(57)【要約】  本発明は、化粧料組成物（Ｐ）を口唇に塗布するための器具であって、−  部分的に植毛加工された塗布具先端部（９）を含む塗布具部材（８）と、−  エマルジョンの形態である組成物を収容している容器とを含み、組成物は、○水と、○少なくとも１種のカルボシロキサンデンドリマー系単位を含むビニルポリマーから選択される少なくとも１種の皮膜形成剤と、○少なくとも１種の極性不揮発性炭化水素系油と、○好ましくはジメチコン断片を有しない少なくとも１種の不揮発性フェニルシリコーン油とを含む、器具に関する。本発明は、口唇をメーキャップおよび／またはケアするための方法であって、先に記載された器具を用いて前記組成物が口唇に塗布される、方法にも関する。【特許請求の範囲】
【請求項１】
化粧料組成物（Ｐ）を口唇に塗布するための器具であって、
−  部分的に植毛加工された塗布具先端部（９）を含む塗布具部材（８）と、
−  エマルジョンの形態である前記組成物を収容する容器と
を含み、前記組成物は、
○水と、
○少なくとも１種のカルボシロキサンデンドリマー系単位を含むビニルポリマーから選択される少なくとも１種の皮膜形成剤と、
○少なくとも１種の極性不揮発性炭化水素系油と、
○好ましくはジメチコン断片を有しない少なくとも１種の不揮発性フェニルシリコーン油と
を含む、器具。
【請求項２】
前記塗布具先端部（９）は、少なくとも１つの植毛加工された遠位端を含み、特に、植毛加工された外周部分は、より具体的には、例えば、略Ｏ字型、略Ｖ字型または略Ｕ字型の植毛加工された帯状体に従って延在していることを特徴とする、請求項１に記載の器具。
【請求項３】
前記容器は、拭い取り部材を含むことを特徴とする、請求項２に記載の器具。
【請求項４】
前記塗布具先端部（９）は、２つの対向する面（１８、１９）を有し、前記塗布具先端部（９）は、
−  少なくとも１つのハウジング（４０）を有する第１部分（１５）と、
−  ヒンジ（３４；２３４）によって前記第１部分（１５）に連結され、かつ少なくとも部分的に前記第１部分（１５）の前記ハウジング（４０）内に係合されている第２部分（１７）と
を含み、
−  前記第１部分および前記第２部分（１５、１７）は、両方とも前記塗布具先端部（９）の前記面（１８、１９）のそれぞれからアクセス可能であることを特徴とする、請求項１または２に記載の器具。
【請求項５】
ヒンジは、フィルムヒンジ（３４）であるか、または２本の可撓性紐状体（２３４）を含むことを特徴とする、請求項３に記載の器具。
【請求項６】
前記第２部分（１７）は、前記塗布具部材上において前記塗布具先端部（９）の前記遠位端から離れて設けられたヒンジ（３４；２３４）により、前記第１部分（１５）に連結されていることを特徴とする、請求項３または４に記載の器具。
【請求項７】
前記第１部分（１５）は、少なくとも部分的に植毛加工されていることを特徴とする、請求項３〜５のいずれか一項に記載の器具。
【請求項８】
前記第２部分（１７）は、植毛加工されていないか、または少なくとも部分的に植毛加工されており、前記第１部分（１５）の植毛加工（２１５）は、前記第２部分（１７）の植毛加工（２１８）と異なり、好ましくは植毛加工されていないことを特徴とする、請求項３〜６のいずれか一項に記載の器具。
【請求項９】
前記第２部分（１７）は、前記第１部分（１５）の前記ハウジング（４０）内に完全に係合されており、特に前記第１部分（１５）によって囲まれており、かつ好ましくは前記第１部分（１５）の前記ハウジング（４０）全体を占有することを特徴とする、請求項３〜７のいずれか一項に記載の器具。
【請求項１０】
前記第２部分（１７）は、前記第１部分（１５）の前記ハウジング（４０）内に係合されている固定用タブ（９０）を含むことを特徴とする、請求項３〜８のいずれか一項に記載の器具。
【請求項１１】
前記第１部分（１５）は、貫通開口部（８８）内に挿入されているかまたはその下方にある固定用フック（９５）を含み、前記固定用タブ（９０）は、前記第２部分（１７）を前記第１部分（１５）の上に折り重ねられた状態に維持するために前記固定用フック（９５）と協動することを特徴とする、請求項１０に記載の器具。
【請求項１２】
前記固定用フック（９５）および前記固定用タブ（９０）の一方、特に固定用タブ（９０）は、前記面の一方の表面と同一平面内にあることを特徴とする、請求項１１に記載の器具。
【請求項１３】
前記第１部分（１５）は、可撓性材料、特にエラストマーから作製されていることを特徴とする、請求項３〜１１のいずれか一項に記載の器具。
【請求項１４】
前記第１部分および前記第２部分（１５、１７）は、熱可塑性材料で成形された単一部品を形成することを特徴とする、請求項３〜１２のいずれか一項に記載の器具。
【請求項１５】
前記塗布具先端部（９）は、装着用または把持用エンドピース（３０）に取り付けられており、前記エンドピース（３０）は、好ましくは、前記ヒンジ（３４；２３４）によって共に連結されている２つの半割エンドピース（３０ａ、３０ｂ）から形成されていることを特徴とする、請求項３〜１３のいずれか一項に記載の器具。
【請求項１６】
前記第１部分および前記第２部分（１５、１７）は、使用形態において、スナップ固定または圧入により、取り外し可能な方法で共に固定されていることを特徴とする、請求項３〜１４のいずれか一項に記載の器具。
【請求項１７】
前記不揮発性極性炭化水素系油は、Ｃ１０〜Ｃ２６アルコール、任意選択的にヒドロキシル化されている、Ｃ２〜Ｃ８モノカルボン酸またはポリカルボン酸とＣ２〜Ｃ８アルコールとのモノエステル、ジエステルもしくはトリエステル、任意選択的にヒドロキシル化されている、Ｃ２〜Ｃ８モノカルボン酸またはポリカルボン酸とＣ２〜Ｃ８アルコールとのモノエステル、ジエステルもしくはトリエステル、Ｃ２〜Ｃ８ポリオールと１種以上のＣ２〜Ｃ８カルボン酸とのエステル、特に１８〜７０個の炭素原子を有するエステル油、ビニルピロリドン／１−ヘキサデセンコポリマー、Ｃ１２〜Ｃ２６脂肪酸、２個のアルキル鎖が場合により同一であるかまたは異なる炭酸ジアルキル、およびこれらの混合物から選択され、好ましくはＣ１０〜Ｃ２６アルコール、好ましくはＣ２０〜Ｃ２６アルコールから選択されることを特徴とする、請求項１〜１６のいずれか一項に記載の器具。
【請求項１８】
不揮発性極性炭化水素系油の含有量は、前記組成物の質量に対して５質量％〜１５質量％、好ましくは６質量％〜１２質量％であることを特徴とする、請求項１〜１７のいずれか一項に記載の器具。
【請求項１９】
好ましくはジメチコン断片を有しない不揮発性フェニルシリコーン油の含有量は、前記組成物の質量に対して１質量％〜８質量％、好ましくは１．５質量％〜５質量％の範囲であることを特徴とする、請求項１〜１８のいずれか一項に記載の器具。
【請求項２０】
不揮発性油の含有量は、前記組成物の質量に対して６質量％〜２０質量％、好ましくは６質量％〜１５質量％であることを特徴とする、請求項１〜１９のいずれか一項に記載の器具。
【請求項２１】
少なくとも１種のカルボシロキサンデンドリマー系単位を有する前記ビニルポリマーは、カルボシロキサンデンドリマー構造を含有する分子側鎖を有し、かつ
（Ａ）０〜９９．９質量部のビニルモノマーと、
（Ｂ）１００〜０．１質量部の、下式（Ｉ）：
【化１】
2019509869.tif 000029
（式中、
−  Ｒ１は、５〜１０個の炭素原子を有するアリール基、または１〜１０個の炭素原子を有するアルキル基を表し、
−  Ｘｉは、シリルアルキル基であって、ｉ＝１の場合、式（ＩＩ）：
【化２】
2019509869.tif 000030
（式中、
・Ｒ１は、前記式（Ｉ）において上に定義されるようなものであり、
・Ｒ２は、２〜１０個の炭素原子を有するアルキレン基を表し、
・Ｒ３は、１〜１０個の炭素原子を有するアルキル基を表し、
・Ｘｉ＋ｉは、水素原子、１〜１０個の炭素原子を含有するアルキル基、５〜１０個の炭素原子を含有するアリール基、および式（ＩＩ）の上で定義されたシリルアルキル基（ここで、ｉ＝ｉ＋１である）から選択され、
・ｉは、前記シリルアルキル基の世代を表す１〜１０の整数であり、および
・ａｉは、０〜３の整数である）によって表されるシリルアルキル基であり、
−  Ｙは、
・メタクリル基またはアクリル基を含む有機基であって、式：
【化３】
2019509869.tif 000031
（式中、
＊Ｒ４は、水素原子、または１〜１０個の炭素原子を有するアルキル基を表し、および
＊Ｒ５は、１〜１０個の炭素原子を含有するアルキレン基を表す）によって表される有機基、および
・式：
【化４】
2019509869.tif 000032
（式中、
＊Ｒ６は、水素原子、または１〜１０個の炭素原子を含有するアルキル基を表し、
＊Ｒ７は、１〜１０個の炭素原子を有するアルキル基を表し、
＊Ｒ８は、１〜１０個の炭素原子を含有するアルキレン基を表し、
＊ｂは、０〜４の整数であり、および
＊ｃは、０または１であり、それにより、ｃが０である場合、−（Ｒ８）ｃ−は、結合を表す）のスチリル基を含む有機基
から選択される放射状に重合可能な有機基を表す）のカルボシロキサンデンドリマーと
の重合から誘導されることを特徴とする、請求項１〜２０のいずれか一項に記載の器具。
【請求項２２】
前記カルボシロキサンデンドリマーは、下式：
【化５】
2019509869.tif 000033
（式中、
・Ｙ、Ｒ１、Ｒ２およびＲ３は、請求項２１において定義されるようなものであり、
・ａ１、ａ２およびａ３は、請求項２１に記載のａｉの定義に対応し、および
・Ｒ１２は、Ｈ、５〜１０個の炭素原子を有するアリール基、または１〜１０個の炭素原子を有するアルキル基である）によって表されることを特徴とする、請求項１〜２１のいずれか一項に記載の器具。
【請求項２３】
前記カルボシロキサンデンドリマーは、下式：
【化６】
2019509869.tif 000034
の１種によって表されることを特徴とする、請求項１〜２２のいずれか一項に記載の器具。
【請求項２４】
少なくとも１種のカルボシロキサンデンドリマー系単位がグラフトされた前記ビニルポリマーは、ＩＮＣＩ名が（アクリレーツ／メタクリル酸ポリトリメチルシロキシ）コポリマーであるポリマーであることを特徴とする、請求項１〜２３のいずれか一項に記載の器具。
【請求項２５】
皮膜形成剤の含有量は、前記組成物の質量に対して活性物質が０．５質量％〜３０質量％、好ましくは１質量％〜２０質量％となる量であることを特徴とする、請求項１〜２４のいずれか一項に記載の器具。
【請求項２６】
前記組成物は、少なくとも１種の揮発性の好ましくは炭化水素系油またはシリコーン油を含むことを特徴とする、請求項１〜２５のいずれか一項に記載の器具。
【請求項２７】
揮発性油の含有量は、前記組成物の質量に対して５質量％〜４５質量％、好ましくは１０質量％〜３０質量％であることを特徴とする、請求項１〜２６のいずれか一項に記載の器具。
【請求項２８】
水含有量は、前記組成物の質量に対して２０質量％〜６０質量％であることを特徴とする、請求項１〜２７のいずれか一項に記載の器具。
【請求項２９】
前記組成物は、逆相（油中水型）エマルジョンの形態であることを特徴とする、請求項１〜２８のいずれか一項に記載の器具。
【請求項３０】
前記組成物は、好ましくは、非イオン性界面活性剤およびシリコーン界面活性剤またはこれらの混合物から選択される少なくとも１種の界面活性剤を含むことを特徴とする、請求項１〜２９のいずれか一項に記載の器具。
【請求項３１】
前記組成物は、２５℃において、０．００５〜１２Ｐａ．ｓ、好ましくは０．０１〜１０Ｐａ．ｓ、さらにより有利には０．０５〜８Ｐａ．ｓ、より詳細には０．１〜６Ｐａ．ｓの粘度を有することを特徴とする、請求項１〜３０のいずれか一項に記載の器具。
【請求項３２】
口唇をメーキャップおよび／またはケアするための方法であって、請求項１〜３１のいずれか一項に記載の器具を用いて前記組成物が前記口唇に塗布される、方法。
【発明の詳細な説明】
【技術分野】
【０００１】
本発明の主題は、特定の皮膜形成ポリマーを含む、エマルジョンの形態である組成物の塗布に適した器具、ならびにまたこの器具および組成物を用いて口唇をメーキャップおよび／またはケアするための方法である。
【０００２】
本発明は、液状組成物を用いて口唇をメーキャップおよび／またはケアする分野に関する。
【背景技術】
【０００３】
安定性があり、塗布性（塗布時の滑り性、伸展性および付着物のきめ細かさ）の観点のみならず、口唇に対する付着物のメーキャップ効果（例えば、カバー力および付着物の滲まなさ）の観点でも十分な特性を有し、好ましくはべたつくことがない、口唇をメーキャップおよび／またはケアするための液体口紅等の液状組成物を開発することが継続的な目標となっている。
【０００４】
一般に、無水液体剤形に対応する配合物は、従来、油（特にツヤを付与するもの）と、任意選択的に組成物を構造化するためのワックスと、フィラー（特に組成物を増粘するもの）と、皮膜形成ポリマーと、色材とを含む。
【０００５】
カバー力を提供する組成物のより具体的な事例では、組成物が口唇に容易に、正確に、かつ均一な層で塗布されることが重要である。加えて、付着物が滲まないことが期待される。滲みは、口唇の輪郭がぼやけることをもたらすであろう。
【０００６】
一般に、植毛加工された先端部を有するディップ式塗布具と一緒に使用される従来のこの種の口紅組成物では、その付着物が比較的厚くなり、特にこうした油および存在するポリマーを使用することに起因してある程度のべたつきが生じることに留意されたい。この性質は、具体的には、メーキャップされた口唇が互いに張り付く現象として現れるため、使用者の快適性の観点で不快である。
【０００７】
液体口紅に伴う他の課題は、こうした組成物が、容易に塗布されるように十分な流動性を有していなければならない反面、組成物の安定性を損うこと（顔料の沈降）および易塗布性を損なうこと（液ダレおよび／または組成物が口唇の縁のシワおよび小ジワに滲む）を防ぐために流動性が高過ぎてはならないことにある。
【発明の概要】
【発明が解決しようとする課題】
【０００８】
したがって、正確な付着物として口唇を非常に良好にカバーすると同時に、滲まず、べたつく性質が実質的に解消されている組成物と、この組成物を塗布することを可能にするであろう器具とが求められている。
【課題を解決するための手段】
【０００９】
この目的は本発明によって達成され、したがって、本発明の主題は、化粧料組成物（Ｐ）をヒトのケラチン物質、特に口唇に塗布するための器具であって、
−  部分的に植毛加工された塗布具先端部（９）を含む塗布具部材（８）と、
−  エマルジョンの形態である組成物を収容する容器（１０）と
を含み、組成物は、
○水と、
○少なくとも１種のカルボシロキサンデンドリマー系単位を含むビニルポリマーから選択される少なくとも１種の皮膜形成剤と、
○少なくとも１種の極性不揮発性炭化水素系油と、
○好ましくはジメチコン断片を有しない少なくとも１種の不揮発性フェニルシリコーン油と
を含む、器具である。
【００１０】
本発明は、口唇をメーキャップおよび／またはケアするための方法であって、上述の器具を用いて上述の組成物が口唇に塗布される、方法にも関する。
【００１１】
添付図面を参照しながら、この組成物に特に適した塗布具について説明する。
【図面の簡単な説明】
【００１２】
【図１】本発明による包装および塗布具の例を示す。
【図２】本発明による塗布具部材の例を概略的に示す。
【図３】図２に示す塗布具部材の、図２のＩＩＩに沿った正面図を示す。
【図４】図２および図３に示す塗布具部材の、図２のＩＶに沿った側面図を示す。
【図５】開放形態における、図２に示す塗布具部材の本体を示す。
【図６】図５に示す塗布具部材の本体の、図５のＶＩに沿った上面図を示す。
【図７】図５および図６に示す塗布具部材の本体の、図６のＶＩＩに沿った側面図を示す。
【図８】図６のＶＩＩＩ−ＶＩＩＩにおける横断面図である。
【図９】図６のＩＸ−ＩＸにおける横断面図である。
【図１０】図３のＸ−Ｘにおける横断面図である。
【図１１】開放形態における塗布具部材の本体の変形実施形態を概略的に示す。
【図１２】図１１の塗布具部材の組立後の正面図を概略的かつ部分的に示す。
【図１３】本発明による塗布具部材の変形実施形態の概略斜視図である。
【図１４】本発明による塗布具部材の変形実施形態の概略斜視図である。
【図１５】本発明による塗布具部材の変形実施形態の概略斜視図である。
【図１６】本発明による塗布具部材の変形実施形態の概略斜視図である。
【図１７】本発明による塗布具部材の変形実施形態の概略斜視図である。
【図１８】本発明による塗布具部材の変形実施形態の概略斜視図である。
【図１９】本発明による塗布具部材の変形実施形態の概略斜視図である。
【図２０】本発明による塗布具部材の変形実施形態の概略斜視図である。
【図２１】塗布具部材の他の変形形態の正面図を示す。
【図２２】本発明による塗布具部材の変形形態の横断面図を示す。
【図２３】本発明による塗布具部材の変形形態の横断面図を示す。
【図２４】本発明による塗布具部材の変形形態の横断面図を示す。
【図２５】本発明による塗布具部材の変形形態の横断面図を示す。
【図２６】本発明による塗布具部材の変形形態の横断面図を示す。
【図２７】本発明による塗布具部材の変形形態の横断面図を示す。
【図２８】ヒンジの変形実施形態を示す。
【発明を実施するための形態】
【００１３】
口唇上に付着した皮膜は、非常に薄く、使用者が実質的に認識できないという利点を有する。したがって、これは、本発明の主題である器具を用いて口唇上に付着される非常に軽い付着物である。この付着物はまた、べたつかず、乾燥感を感じさせない。こうして得られた付着物は、滲まず、色移りせず、化粧もちが非常に優れている。
【００１４】
特段の指定がない限り、本明細書の残りの部分において、範囲に関して指定された端点がその範囲に包含されることに留意すべきである。
【００１５】
含有量は、組成物の質量に対して示される。換言すれば、含有量は、組成物全体の質量に対して示される。
【００１６】
「少なくとも１の」および「幾つかの」という表現は区別なく用いられる。
【００１７】
器具
したがって、本発明の主題は、その態様の１つによれば、化粧品をヒトのケラチン物質、特に口唇に塗布するための塗布具部材であって、部分的に植毛加工された塗布具先端部を含む塗布具部材である。
【００１８】
好ましくは、塗布具先端部は、少なくとも１つの植毛加工された遠位端を含み、より具体的には、植毛加工された外周部分は、より具体的には、例えば、略Ｏ字型、略Ｖ字型または略Ｕ字型の植毛加工された帯状体に従って延在している。
【００１９】
有利な一実施形態によれば、塗布具先端部は、２つの対向する面を有し、塗布具先端部は、
−  少なくとも１つのハウジングを有する第１部分と、
−  ヒンジによって第１部分に連結され、かつ少なくとも部分的に第１部分のハウジング内に係合されている第２部分と
を含み、第１部分および第２部分は、両方とも塗布具先端部の前記面のそれぞれからアクセス可能である。
【００２０】
塗布具先端部は、平坦な全体形状を有し得、前記面は、主面に対応し得る。
【００２１】
本発明は、第１部分および第２部分に異なる表面状態および／または異なる素材を有する塗布具部材を製造する新たな可能性を提供する。具体的には、本発明は、必要に応じて一方の部分のみに植毛加工するか、またはそれらの部分を異なって植毛加工することを非常に容易にする。一方の部分に限定されたこのような部分植毛により、塗布具の外観も魅力的なものとなる。
【００２２】
「両方とも塗布具先端部の前記面のそれぞれからアクセス可能である」という表現は、これらの面のそれぞれの表面上に第１部分および第２部分が少なくとも部分的に存在し、および／またはこれらの面のそれぞれから貫通開口部を介して第１部分および第２部分にアクセス可能であることを意味すると理解される。これにより、必要に応じて、前記面の一方から化粧品を塗布する際、ヒトのケラチン物質が第１部分および第２部分の少なくとも一方と接触するように、さらにより良好には使用者の必要に応じて第１部分および第２部分の両方と接触するように、塗布具部材を製造することを可能にし得る。
【００２３】
塗布具部材の長さの少なくとも一部に沿って、両方の部分を前記面のそれぞれから視認できるようにすることが可能である。変形形態では、塗布具部材の長さの少なくとも一部に沿って、前記面の一方から一方の部分のみが視認できる。塗布具部材の本体は、熱可塑性エラストマー（ＴＰＥ）を成形することによって単一部品として製造され得る。
【００２４】
「熱可塑性エラストマー」は、一般に、使用温度において加硫ゴムとよく類似した特性を示すポリマーまたはポリマーのブレンド物を意味することを意図している。こうした特性は、加工温度で消失し、後の加工を可能とするが、材料が使用温度に戻ると再び出現する（ＩＳＯ標準１８０６４：２０１４参照）。
【００２５】
熱可塑性エラストマーに関する一般的な情報に関しては、２０００年６月１０日に公開されたＭｉｃｈｅｌ  ＢｉｒｏｎによるＴｅｃｈｎｉｑｕｅｓ  ｄｅ  ｌ’Ｉｎｇｅｎｉｅｕｒ［Ｔｅｃｈｎｉｑｕｅｓ  ｏｆ  ｔｈｅ  Ｅｎｇｉｎｅｅｒ］，Ｔｒａｉｔｅ  Ｐｌａｓｔｉｑｕｅｓ  ｅｔ  Ｃｏｍｐｏｓｉｔｅｓ［Ｔｒｅａｔｉｓｅ  ｏｎ  Ｐｌａｓｔｉｃｓ  ａｎｄ  Ｃｏｍｐｏｓｉｔｅｓ］，ＡＭ  ３  ４００からの説明を参照することができる。
【００２６】
Ｈｙｔｒｅｌ（登録商標）は、化学的観点から、熱可塑性エラストマー（ＴＰＥ）の群に属するエーテル−エステルコポリマー（ＣＯＰＥ）である。
【００２７】
より具体的には、Ｈｙｔｒｅｌ（登録商標）は、ポリブチレンテレフタレートのハード（結晶性または半結晶性）セグメントと、長鎖グリコールをベースとするポリエステルのソフト（非晶性）セグメントとを含むブロックコポリマーである。
【００２８】
Ｈｙｔｒｅｌ（登録商標）の硬さ（多くの場合にグレードの名称に利用される）等の特性は、特にハードセグメントとソフトセグメントとの比率およびこれらのセグメントの化学組成に応じて幅広く変化する。
【００２９】
好ましくは、第１部分のハウジングは、貫通孔を有するハウジング（ｔｈｒｏｕｇｈ−ｈｏｕｓｉｎｇ）であり、そのため、塗布具先端部の前記面のそれぞれから第２部分にアクセスすることが可能となる。
【００３０】
本発明の特定の実施形態によれば、使用者は、製品の貯留器を利用する。塗布具部材は、例えば、非使用時にこの容器を閉鎖するように設計されている塗布具の一部である。
【００３１】
好ましくは、上述のヒンジは、塗布具部材上において塗布具先端部の遠位端から離れて設けられている。ヒンジは、好ましくは、フィルムヒンジであるか、または２本の可撓性を有する紐状体を含む。ヒンジは、熱可塑性材料から塗布具部材の本体と一緒に成形することもできる。
【００３２】
第１部分および第２部分の少なくとも一方、好ましくは、第１部分は、少なくとも部分的に、さらにより良好には全体的に植毛加工されている。密集した毛は、化粧品の塗布具部材上における保持性を高めることができ、処理される範囲全体に化粧品を拡散させることをより容易にする。好ましくは、第１部分および第２部分の他方、特に第２部分は、植毛加工されていない。これにより、必要に応じて、塗布具部材上に回収される化粧品の量を制限することが可能になる。
【００３３】
この他方の部分は、貯留器となる空洞を有しないように製造され得る。
【００３４】
この他方の部分には、例えば皮膚または口唇に対するマッサージ効果を発揮するために１つ以上の起伏（ｒｅｌｉｅｆ）を作製することができる。
【００３５】
変形形態において、この他方の部分は、少なくとも部分的に植毛加工されているが、第１部分の植毛加工は、第２部分の植毛加工と特に繊維の量、繊維の寸法および／または繊維の物理的性質、例えば繊維の剛性が異なり得る。２種の異なる植毛加工を用いることにより、化粧品を塗布する際に異なる効果を発揮させることを可能にし得る。加えて、例えば異なる色の繊維を用いることにより、魅力的な審美効果を得ることができる。
【００３６】
第１部分および第２部分の少なくとも一方、より具体的には第２部分は、突出または陥凹起伏、例えば円柱状突起、畝または溝の形態の特に規則的に配置された起伏を有し得る。
【００３７】
突出起伏は、特に化粧品を口唇に塗布する際にマッサージ効果を発揮することができるように製造することもできる。陥凹起伏は、塗布具部材上に化粧品を貯留しやすくすると共に、化粧品の独立性（ａｕｔｏｎｏｍｙ）を高めることができる。
【００３８】
第２部分は、起伏または型押しの形態の模様または刻印を有し得る。
【００３９】
好ましくは、第１部分および第２部分は、この種の起伏を有しない。
【００４０】
好ましくは、第２部分は、第１部分のハウジング全体を占有する。第２部分は、第１部分の対応するハウジングに全体的に係合され得る。
【００４１】
第１部分は、その末端が接している２本のアームを有するものとして製造することができ、これらのアームは、互いの間に第２部分が係合されるハウジングを画定する。
【００４２】
前記面の一方を正面から見ると、第１部分は、第２部分の全周にわたって延在し得る。第１部分は、植毛加工された被覆を第２部分の全周にわたって有し得る。
【００４３】
塗布具先端部は、正面から見てその自由端方向に狭幅化され得る。
【００４４】
第２部分の２本のアームは、互いに自由遠位端方向に集束することができる。
【００４５】
塗布具先端部は、側面図において、自由遠位端方向の厚みの変動を比較的小さくすることができ、特に、その変動は、その長さ方向の９０％にわたり、所与の位置における厚みから２５％未満である。「側面図」という表現は、前記面の正中面に対して垂直方向から見た図を指し、この正中面は、塗布具先端部を平坦化した面に対して実質的に垂直である。
【００４６】
第２部分の輪郭は、横断面においても正面から見ても円形であり得る。
【００４７】
好ましくは、第１部分は、可撓性材料、特にエラストマーから作製される。
【００４８】
第１部分および第２部分は、好ましくは、熱可塑性材料で成形された単一部品を形成する。
【００４９】
好ましくは、塗布具先端部は、塗布具部材を装着または把持するためのエンドピースに取り付けられている。このエンドピースは、好ましくは、上述のヒンジによって共に連結されている２つの半割エンドピースから形成されている。好ましくは、このヒンジは、塗布具先端部から離れてエンドピースの末端に設けられる。２つの半割エンドピースは、フラップ式に畳んで一体化することによって完全なエンドピースを形成し、それにより、例えば塗布具の柄に装着する機能を果たすことができるようになる。
【００５０】
塗布具部材は、２つの半割エンドピースから形成されている実質的に回転柱の形態であるエンドピースを含み得る。半割エンドピースは、前記部分の一方に１つずつ取り付けられており、これらの間の移行領域は、対応する部分の方向にフレア型に広がっている。
【００５１】
塗布具部材の一部分は、塗布具の残りの部分上に特に異なる材料でオーバーモールドされ得る。
【００５２】
塗布具先端部は、その長手方向軸がエンドピースの長手方向軸と揃うように延在することができる。変形形態では、塗布具先端部の長手方向軸がエンドピースの長手方向軸と形成する角度は０°ではない。
【００５３】
第１部分および第２部分は、使用形態において、容易に取り外しできるかまたはできないように、スナップ固定または圧入によって共に固定され得る。第２部分は、その外周に突出起伏を含み得、前記突出起伏は、第１部分の陥凹起伏と協働するか、またはその逆であり得る。変形形態において、２つの半割エンドピースまたは第１部分および第２部分は、第１部分および第２部分を使用形態に維持することを可能にする他の協働する起伏を含む。
【００５４】
第１部分は、固定用フックを含み得、および／または第２部分は、固定用タブを含み得、固定用フックは、第２部分の貫通開口内に挿入されているかまたはその下方にある。固定用タブは、第１部分のハウジング内に係合し、固定用タブは、第２部分を第１部分の上に折り重ねられた状態に維持するために固定用フックと協働する。好ましくは、固定用タブは歯状部を有し、この歯状部は、第２部分を第１部分の上に折り重ねる際、スナップ固定により固定用フックと係合する。
【００５５】
好ましくは、固定用フックおよび固定用タブの一方、特に固定用タブは、主面の一方の表面と同一平面内にある。
【００５６】
さらなる変形形態では、第１部分および第２部分は、互いに固定されておらず、単に折り重ねられている。その場合、第１部分および第２部分は、例えば、塗布具部材のエンドピースを柄の凹部に挿入することによって保持される。エンドピースは、２つの半割エンドピースと、結果的に第１部分および第２部分とが互いに押し付けられた状態に維持されるように、例えば、この凹部内に密に嵌るか、または柄によって上から押し付けられる。
【００５７】
他の態様によれば、本発明のさらなる主題は、ヒトのケラチン物質に製品を塗布するための器具であって、
−  柄と、
−  上に定義された第１の態様および第２の態様の本発明による塗布具部材であって、柄の末端に固定されている、塗布具部材と
を含む器具である。
【００５８】
塗布具部材のエンドピースは、好ましくは、柄の末端にある開放凹部に挿入されている。
【００５９】
好ましくは、この器具は、塗布される化粧品を収容する容器を含む。この容器は拭い取り（ｗｉｐｉｎｇ）部材を含み得る。
【００６０】
この器具は、ケラチン物質、特に口唇に製品を塗布する役割を果たし得る。
【００６１】
容器は、後述する組成物を収容する。
【００６２】
他の態様によれば、本発明のさらなる主題は、本発明による塗布具部材を製造するための方法であって、
−  開放状態における塗布具部材の本体であって、
●少なくとも１つのハウジングを有する第１部分と、
●ヒンジによって第１部分に連結された第２部分であって、第２部分が第１部分の上に折り重ねた後にハウジング内に係合されることが意図される第２部分と
を含む本体を成形するステップと、
−  第１部分および第２部分の一方、好ましくは第１部分に接着剤を塗布するステップと、
−  密集した毛を接着剤に適用するステップと、
−  第２部分が少なくとも部分的に第１部分のハウジング内に係合されるように第２部分を第１部分の上に折り重ねるステップと
を含むステップを含む方法である。
【００６３】
好ましくは、塗布具部材の本体は、２つの半割エンドピースを含み、２つの半割エンドピースは、その遠位端においてそれぞれ第１部分および第２部分に取り付けられており、かつその近位端においてヒンジによって共に連結されている。
【００６４】
第２部分は、スナップ固定または圧入により、第１部分に固定され得る。変形形態では、第２部分および第１部分は、単に折り重ねられており、さらなる手段、例えばエンドピースが挿入される柄によってこの状態に維持される。
【００６５】
本発明のさらなる主題は、本発明による器具を製造するための方法であって、例えばエンドピースを柄の末端の開口ハウジングに挿入することにより、上に定義された塗布具部材を柄に固定することを含むステップを含む方法である。
【００６６】
本発明は、その非限定的な例示的な実施形態の以下の詳細な説明を読み、かつ添付図面を検証することにより、より良く理解され得る。
−  図１は、本発明による包装および塗布具の例を示す。
−  図２は、本発明による塗布具部材の例を概略的に示す。
−  図３は、図２に示す塗布具部材の、図２のＩＩＩに沿った正面図を示す。
−  図４は、図２および図３に示す塗布具部材の、図２のＩＶに沿った側面図を示す。
−  図５は、開放形態における、図２に示す塗布具部材の本体を示す。
−  図６は、図５に示す塗布具部材の本体の、図５のＶＩに沿った上面図を示す。
−  図７は、図５および図６に示す塗布具部材の本体の、図６のＶＩＩに沿った側面図を示す。
−  図８は、図６のＶＩＩＩ−ＶＩＩＩにおける横断面図である。
−  図９は、図６のＩＸ−ＩＸにおける横断面図である。
−  図１０は、図３のＸ−Ｘにおける横断面図である。
−  図１１は、開放形態における塗布具部材の本体の変形実施形態を概略的に示す。
−  図１２は、図１１の塗布具部材の組立後の正面図を概略的かつ部分的に示す。
−  図１３〜２０は、本発明による塗布具部材の変形実施形態の概略斜視図である。
−  図２１は、塗布具部材の他の変形形態の正面図を示す。
−  図２２〜２３は、本発明による塗布具部材の変形形態の横断面図を示す。
−  図３１は、ヒンジの変形実施形態を示す。
【００６７】
図１に示す包装および塗布具１は、塗布される製品Ｐを収容する容器１０と、容器に収容された製品を取り出して塗布するための塗布具３とを含む。
【００６８】
塗布具３は、長手方向軸Ｘ方向の柄４を含み、柄４は、その片端５において、塗布具先端部９を含む塗布具部材８を有する。図２〜４から分かるように、塗布具先端部９は、第１部分１５と、第１部分１５内に係合されている第２部分１７とを含み、これらの２つの部分は、ヒンジ３４によって共に連結されている。
【００６９】
図示した実施例において、柄４のＸ軸は、直線状であるが、変形形態では曲線状であり得る。
【００７０】
容器１０は、その上部において、図示したような頚部２１を有し得る。この頚部２１に拭い取り部材２４が係合されている。
【００７１】
図１に示すように、柄４の他端６には把持要素１３が設けられており、これは、容器１０の漏出を防止する閉鎖キャップにもなる。
【００７２】
柄４の遠位端５は、塗布具部材８を装着するためのエンドピース３０を受容する凹部を有する。
【００７３】
塗布具先端部９は、長手方向軸Ｔに沿って延在し、かつエンドピース３０に取り付けられている。エンドピース３０は、２つの半割エンドピース３０ａおよび３０ｂから形成されており、これらは互いに接しており、かつヒンジ３４によって共に連結されている。
【００７４】
２つの半割エンドピース３０ａおよび３０ｂは、それぞれ第１部分１５および第２部分１７に連結されている。エンドピース３０は、任意の手段、特に接着剤による接着、圧入、ホチキス留め、ネジ締め、圧着またはスナップ固定により柄４内に保持することができる。
【００７５】
好ましくは、２つの半割エンドピース３０ａおよび３０ｂは、それぞれ平坦な面３１ａおよび３１ｂを有し、平坦な面３１ａおよび３１ｂは、その表面積全体にわたって互いに接触する。変形形態では、これらの面は、例えば、スナップ固定により協働する１つ以上の起伏を有する。
【００７６】
したがって、図１１に示すように、半割エンドピース３０ａまたは３０ｂの一方が、他方の半割エンドピースを受容するための陥凹起伏７５を有することもできる。
【００７７】
好ましくは、エンドピース３０は、柄に装着する場合に回転柱の形態である。エンドピースは、特に直接把持されるように機能することが意図されている場合に異なる方法で実現され得る。
【００７８】
好ましくは、ヒンジ３４は、２つの半割エンドピース３０ａおよび３０ｂ上の、第１部分および第２部分１５および１７から離れている末端３６ａおよび末端３６ｂに設けられている。これにより、図５〜７に示すように、２つの部分１５および１７ならびに２つの半割エンドピース３０ａおよび３０ｂを開放形態で一体成形することが可能になると共に、第２部分１７および半割エンドピース３０ｂを、エンドピース３０の長手方向軸Ｚに垂直なヒンジ３４の軸Ｙに対して回転させることにより、２つの部分１５および１７ならびに２つの半割エンドピース３０ａおよび３０ｂを組み立てることが可能になる。
【００７９】
塗布具先端部９は、図４の平面に垂直な平面Ｍ内において全体的に平坦化することができ、２つの対向する主面１８および１９を画定する。好ましくは、塗布具先端部９は、エンドピース３０の幅Ｄよりも広い幅Ｌを有する。
【００８０】
第１部分１５は、図１に示すように植毛加工され得、第２部分１７は、図２に示すように複数の畝２７等の起伏を有し得る。畝２７は、好ましくは長手方向軸Ｔに対して斜めに延在し、長手方向軸Ｔと角度βをなしている。
【００８１】
好ましくは、塗布具先端部９の長手方向軸Ｔとエンドピース３０の長手方向軸Ｚとがなす角度αは、好ましくは４５°未満、さらにより良好には１０〜４５°である。
【００８２】
図５〜７に示すように、第１部分および第２部分１５および１７は、対応する中間部４３ａまたは４３ｂを介して、それぞれの対応する半割エンドピース３０ａまたは３０ｂにそれぞれ取り付けることができる。中間部４３ａまたは４３ｂは、それぞれの対応する部分の方向に拡幅している。好ましくは、中間部４３ａおよび４３ｂは対称性を有しており、一方が他方の上に折り重ねられた場合、塗布具部材８において、エンドピース３０と塗布具先端部９との間に延在する部分に不連続性が生じないようになっている。
【００８３】
ヒンジ３４は、好ましくは、図５〜７に示すようにフィルムヒンジである。
【００８４】
対象の実施例において、第１部分１５は、２本のアーム４８を有し、２本のアーム４８は、その末端で接しており、第２部分１７を受容するためのハウジング４０、特に貫通ハウジングを互いの間に画定する。好ましくは、第１部分１５は、塗布具部材を正面から見ると、図３に示すように第２部分１７を囲んでいる。
【００８５】
ハウジング４０および第２部分１７は、図示するように、例えば略長円形の輪郭を有する。
【００８６】
第２部分１７は、ハウジング４０内を完全に占有し得る。
【００８７】
塗布具先端部９は、図４および図７に示すように、その自由端に向かって狭幅化され得る。
【００８８】
特に、図８および図９から分かるように、第１部分および第２部分１５および１７は、それぞれ中間部４３ａおよび４３ｂの厚みｄａおよびｄｂよりも厚い厚みθａおよびθｂを有し得る。
【００８９】
塗布具先端部全体の厚みθは、図１０から分かるように、その最大幅Ｌよりも薄いことができる。
【００９０】
図８に示すように、第２部分１７は、略長方形の横断面を有し得、その周囲４７に畝５０を有し得る。
【００９１】
図９から分かるように、第１部分１５のアーム４８は、それぞれ対応する溝５３を含み得る。
【００９２】
図１０に示すように、畝５０は、第２部分１７を第１部分１５の上に折り重ねた場合、塗布具部材８を閉鎖形態に維持するように溝５３内にスナップ固定される。
【００９３】
これは、必ずしも当てはまる必要はなく、具体的には、第１部分１５が第２部分１７の溝にスナップ固定される畝を有することができ、または第１部分および第２部分１５および１７がスナップ固定用のいかなる起伏も有していなくてよい。
【００９４】
図１１および図１２は、図１〜１０の実施例と第２部分１７の形状が異なる変形実施形態を示す。
【００９５】
この変形実施形態は、化粧品Ｐを収容する、貫通空洞ではない空洞７０を含み、したがって塗布具部材の片側からのみアクセスすることができる。
【００９６】
化粧料組成物Ｐについては後述する。
【００９７】
半割エンドピース３０ａおよび３０ｂは、一方の幅が他方の幅より広いことができる。例えば、陥凹起伏７５が、半割エンドピース３０ｂを受容するように半割エンドピース３０ａに沿って延在している。
【００９８】
図１３〜２０に示す変形形態において、第２部分１７は、形状の異なる突出または陥凹起伏、特に図１６、図１８および図１９に示すような円柱状突起６５、図１３および図２０に示すような斜方向または横方向の畝２７、図１７に示すような長手方向の溝７２、図１４および図１５に示すような空洞７４、または図１８に示すような釘状突起７６を含む。
【００９９】
塗布具先端部の、植毛加工されている長さの主要部に沿った輪郭を正面から見ると、図１７および図１８に示すように略楕円形、図１９および図２０に示すように長方形、図１５および図１６に示すように平行な側端が円弧で繋がった形状、または図１３および図１４に示すように外側に凸状の端部が円弧で繋がった形状であり得る。
【０１００】
図２１に示す変形形態において、第２部分１７は、例えば、装飾目的のロゴ、または使用時に使用者がそれを自らのものであることを認識しやすくするための刻印を表す起伏８０または型押しを有する。
【０１０１】
この図の実施例において、エンドピースは、使用者によって直接把持される機能を果たす。
【０１０２】
エンドピース３０は、把持部材としての役割を果たす外被要素にさらに挿入することができる。
【０１０３】
図２２〜２７は、塗布具先端部の横断面における第１部分１５および第２部分１７の配置の様々な実施例を示す。
【０１０４】
図２２の実施例において、塗布具先端部は、平坦面Ｍに沿って略平坦化された形状を有する。第２部分１７は、例えば、図示したように断面が全体的に砂時計の形状を有し、第１部分１５のハウジング４０の補完的な形状により保持されている。塗布部は、平坦面Ｍに対して垂直であり得る対称面Ｓに対して対称の形状を有し得る。
【０１０５】
図２３の実施例において、塗布具先端部の断面は、全体的にアーモンドの形状を有する。塗布具先端部の対向する面１８および１９のそれぞれにおいて第２部分が占める範囲は異なり得る。したがって、図示した実施例において、第２部分１７は底部においてより幅が広く、第２部分１７が面１８に占める部分は面１９よりも小さい。第２部分１７により画定される塗布面となる部分は、面１８側において、面１９側よりも小さい曲率半径を有し得る。図３７において、塗布具先端部は、対称面Ｓに対して対称形を有するが、変形形態（図示せず）では、塗布具先端部は、その長さを半分に横切る正中面に対して非対称形を有する。
【０１０６】
図２２の実施例に示すように、第２部分の断面は、面１８および１９間が狭幅化しており、これにより、第２部分がハウジング４０内の定位置に維持される。図示するように、第２部分の幅が最も狭くなる面と、第１部分１５の幅が最も広くなる面とが一致し得る。図２３の実施例において、塗布具先端部の断面は、その厚みの中間地点を横切る面に対して非対称である。
【０１０７】
図２４の実施例において、塗布具先端部の断面は、全体的に長円形、例えば楕円形の形状である。断面の長軸は、塗布具先端部の厚みの中間地点を横切る正中面Ｍに含まれる。塗布具先端部は、正中面Ｍに垂直な対称面Ｓに対して略対称形状を有し得る。
【０１０８】
図２５〜２７の実施例は、第１部分１５および第２部分１７上に植毛加工された被覆２１５および２１８が存在する点で図２２〜２４の実施例と異なる。
【０１０９】
図示した実施例において、第２部分１７の植毛加工された被覆２１８は、ハウジング４０内の第１部分１５に面した表面に延在していない。図示しない変形形態において、被覆２１８は、この表面上に広がっており、第１部分および第２部分を組み立てると、前記表面上に広がった植毛加工された被覆を隠すことが可能になり、それにより面１８および１９のそれぞれの輪郭を明確にすることが可能になる。
【０１１０】
第１部分の上に延在する植毛加工された被覆２１５に関しても同様である。この被覆は、ハウジング４０内に広がり得、第２部分が定位置に配置されると第２部分によって部分的に隠される。
【０１１１】
第１部分１５および第２部分１７の植毛加工された被覆２１５および２１８は、例えば、その長さおよび／またはその直径、使用されている材料および／またはその色が異なる密集した繊維から作製されている。
【０１１２】
ヒンジは、図２８に示すように、部分１５および１７のそれぞれに、その近位端から距離をあけて取り付けられている２本の可撓性を有する紐状体２３４を用いて実現することができる。この紐状体は、成形品形態において、上面から見ると一種の枠を形成している。
【０１１３】
本発明は、例示した実施例に限定されるものではない。
【０１１４】
具体的には、例示した様々な実施例の特徴を、例示していない変形形態の一部として組み合わせることができる。
【０１１５】
例えば、一般的な方法で２つの部分が植毛加工され得、この植毛加工が異なり得、この部分の一方の片面に特定の形態の起伏を施し、反対側の面に異なる形態の起伏を施して、塗布具の片面と反対側の面とで異なる効果を発揮するようにし得る。
【０１１６】
組成物
先に示したように、組成物、特に直前に説明した器具に使用される組成物は、エマルジョンの形態である。
【０１１７】
組成物は、有利には液体エマルジョンの形態である。
【０１１８】
「液体」という語は、２５℃において、粘度がより詳細には０．００５〜１２Ｐａ．ｓ、好ましくは０．０１〜１０Ｐａ．ｓ、さらにより有利には０．０５〜８Ｐａ．ｓである液状の触感を意味することを意図している。
【０１１９】
好ましくは、本発明による組成物の２５℃における粘度は、０．１〜６Ｐａ．ｓである。
【０１２０】
粘度測定手順：
粘度測定は、一般に、２５℃において、Ｎｏ．２または３のスピンドルを取り付けたＲｈｅｏｍａｔ  ＲＭ１８０粘度計を用いて配合物中でスピンドルを２００回転／分（ｒｐｍ）の剪断速度で回転させてから１０分後に実施する。
【０１２１】
組成物は、順相（水中油型）または逆相（油中水型）エマルジョンの形態であり得る。
【０１２２】
本発明の好ましい一実施形態によれば、組成物は、逆相（油中水型）エマルジョンの形態である。
【０１２３】
さらに、本発明による組成物は、水に加えて、少なくとも１種の特定の皮膜形成ポリマーおよび少なくとも不揮発性油を含み、その一方は、極性炭化水素系不揮発性油から選択され、その他方は、好ましくはジメチコン断片を含まない不揮発性フェニルシリコーン油から選択される。
【０１２４】
本発明による組成物は、他のさらなる無極性炭化水素系油または不揮発性非フェニルシリコーン油を含むこともできる。
【０１２５】
不揮発性油の総含有量は、好ましくは、組成物の質量に対して６質量％〜２０質量％を占め、さらなる特定の実施形態によれば、６質量％〜１５質量％である。
【０１２６】
極性不揮発性炭化水素系油
先に示したように、本発明による器具に使用される組成物は、少なくとも１種の極性不揮発性炭化水素系油を含む。
【０１２７】
「油」という語は、２５℃および大気圧（１．０１３×１０５Ｐａ）下で液体である水不混和性非水性化合物を意味することを意図している。
【０１２８】
「不混和」という語は、等量の水および油を混合して撹拌した後、上述の温度および圧力条件下で単一相のみを含む安定な溶液を生成しないことを意味することを意図している。観察は、肉眼でまたは必要に応じて位相差顕微鏡を使用することにより、混合物に渦流が生じる（指示により２００〜１０００回転／分）まで十分なＲａｙｎｅｒｉ撹拌を行った後、得られた混合物を密閉したフラスコ内で観察前に常温で２４時間静置することにより得られる混合物１００ｇについて実施する。
【０１２９】
「不揮発性油」という語は、２５℃および大気圧下における蒸気圧がゼロではなく、１０−３ｍｍＨｇ（０．１３Ｐａ）未満である油を意味することを意図している。
【０１３０】
「炭化水素系油」という語は、炭素原子および水素原子と、任意選択的に酸素原子および窒素原子とから基本的に形成されているか、または炭素原子および水素原子と、任意選択的に酸素原子および窒素原子から構成される場合さえある、いかなるケイ素原子もフッ素原子も含まない油を意味することを意図している。
【０１３１】
これは、アルコール基、エステル基、エーテル基、カルボン酸基、アミン基および／またはアミド基を含み得る。
【０１３２】
好ましくは、炭化水素系油は、ケイ素もフッ素も含まないことに加えて、窒素、硫黄、リン等のヘテロ原子も含まない。したがって、炭化水素系油は、シリコーン油およびフッ素系油と異なる。
【０１３３】
この場合、極性不揮発性炭化水素系油は、少なくとも１個の酸素原子を含む。
【０１３４】
特に、この不揮発性炭化水素系油は、少なくとも１個のアルコール基（その場合、これは「アルコール油」となる）および／または少なくとも１個のエステル基（その場合、これは「エステル油」となる）を含む。
【０１３５】
本発明による組成物に使用することができるエステル油は、特にヒドロキシル化され得る。
【０１３６】
本発明による組成物は、特に次に示すものから選択される、１種以上の不揮発性炭化水素系油を含み得る：
−  Ｃ１０〜Ｃ２６アルコール、好ましくは１価アルコール。
より詳細には、Ｃ１０〜Ｃ２６アルコールは、飽和または不飽和の分岐または非分岐であり、１０〜２６個の炭素原子を含む。
【０１３７】
好ましくは、Ｃ１０〜Ｃ２６アルコールは、脂肪族アルコールであり、少なくとも１６個の炭素原子を含む場合、好ましくは分岐である。
【０１３８】
本発明により使用することができる脂肪族アルコールの例として、合成由来または天然由来の直鎖または分岐の脂肪族アルコール、例えば植物性材料（ココヤシ、アブラヤシ核、アブラヤシ等）または動物性材料（牛脂等）から誘導されたアルコールを挙げることができる。
【０１３９】
言うまでもなく、他の長鎖アルコール、例えばエーテルアルコールまたは「ゲルベ」アルコールも使用することができる。
【０１４０】
最後に、天然由来、例えばココヤシ（Ｃ１２〜Ｃ１６）もしくは牛脂（Ｃ１６〜Ｃ１８）由来の様々な鎖長を有するアルコールの特定の画分、またはジオール型もしくはコレステロール型の化合物も利用することができる。
【０１４１】
好ましくは、１０〜２４個の炭素原子を有する脂肪族アルコールが使用される。
【０１４２】
好ましく使用することができる脂肪族アルコールの具体例として、特にラウリルアルコール、イソステアリルアルコール、オレイルアルコール、２−ブチルオクタノール、２−ウンデシルペンタデカノール、２−ヘキシルデシルアルコール、イソセチルアルコール、オクチルドデカノールおよびこれらの混合物を挙げることができる。
【０１４３】
−  任意選択的にヒドロキシル化されている、Ｃ２〜Ｃ８モノカルボン酸またはポリカルボン酸とＣ２〜Ｃ８アルコールとのモノエステル、ジエステルまたはトリエステル。
特に、
＊任意選択的にヒドロキシル化されている、Ｃ２〜Ｃ８カルボン酸とＣ２〜Ｃ８アルコールとのモノエステル、
＊任意選択的にヒドロキシル化されている、Ｃ２〜Ｃ８ジカルボン酸とＣ２〜Ｃ８アルコールとのジエステル、例えばアジピン酸ジイソプロピル、アジピン酸２−ジエチルヘキシル、アジピン酸ジブチル、アジピン酸ジイソステアリルまたはコハク酸２−ジエチルヘキシル、
＊任意選択的にヒドロキシル化されている、Ｃ２〜Ｃ８トリカルボン酸とＣ２〜Ｃ８アルコールとのトリエステル、例えばクエン酸エステル、例えばクエン酸トリオクチル、クエン酸トリエチル、アセチルクエン酸トリブチル、クエン酸トリブチルまたはアセチルクエン酸トリブチル。
【０１４４】
−  Ｃ２〜Ｃ８ポリオールと１種以上のＣ２〜Ｃ８カルボン酸とのエステル、例えば１価酸のグリコールジエステル、例えばジヘプタン酸ネオペンチルグリコール、または１価酸のグリコールトリエステル、例えばトリアセチン。
【０１４５】
−  特に１８〜７０個の炭素原子を有するエステル油。
言及され得る例として、モノエステル、ジエステルまたはトリエステルを挙げることができる。
【０１４６】
エステル油は、ヒドロキシル化されていてもヒドロキシル化されていなくてもよい。
【０１４７】
不揮発性エステル油は、例えば、次に示すものから選択され得る。
【０１４８】
＊全体で１８〜４０個の炭素原子を有するモノエステル、特に式Ｒ１ＣＯＯＲ２（式中、Ｒ１は、４〜４０個の炭素原子を有する飽和または不飽和の直鎖または分岐または芳香族脂肪酸残基を表し、およびＲ２は、特に分岐の、４〜４０個の炭素原子を含む炭化水素系鎖を表し、但し、Ｒ１＋Ｒ２≧１８である）のモノエステル、例えばＰｕｒｃｅｌｌｉｎ油（オクタン酸セトステアリル）、イソノナン酸イソノニル、安息香酸アルキル（Ｃ１２−Ｃ１５）、パルミチン酸２−エチルヘキシル、ネオペンタン酸オクチルドデシル、ステアリン酸２−オクチルドデシル、エルカ酸２−オクチルドデシル、イソステアリン酸イソステアリル、安息香酸２−オクチルドデシル、アルコールまたは多価アルコールのオクタン酸エステル、デカン酸エステルまたはリシノール酸エステル、ミリスチン酸イソプロピル、パルミチン酸イソプロピル、ステアリン酸ブチル、ラウリン酸ヘキシル、パルミチン酸２−エチルヘキシル、ラウリン酸２−ヘキシルデシル、パルミチン酸２−オクチルデシルまたはミリスチン酸２−オクチルドデシル。
【０１４９】
好ましくは、これらは、式Ｒ１ＣＯＯＲ２（式中、Ｒ１は、４〜４０個の炭素原子を含む直鎖または分岐の脂肪酸残基を表し、およびＲ２は、特に分岐の、４〜４０個の炭素原子を含む炭化水素系鎖を表し、Ｒ１およびＲ２は、Ｒ１＋Ｒ２≧１８となるものである）のエステルである。
【０１５０】
さらにより詳細には、エステルは、全体で１８〜４０個の炭素原子を含む。
【０１５１】
好ましいモノエステルとしては、イソノナン酸イソノニル、エルカ酸オレイルおよび／またはネオペンタン酸２−オクチルドデシルを挙げることができる。
【０１５２】
＊脂肪酸のモノエステル、特に１８〜２２個の炭素原子を有する脂肪酸、特にラノリン酸、オレイン酸、ラウリン酸またはステアリン酸とジオールとのモノエステル、例えばプロピレングリコールモノイソステアリン酸エステル。
【０１５３】
＊ジエステル、特に全体で１８〜６０個の炭素原子を有し、特に全体で１８〜５０個の炭素原子を有するジエステル。特に、ジカルボン酸とモノアルコールとのジエステル（好ましくはリンゴ酸ジイソステアリル等）、またはモノカルボン酸のグリコールジエステル（ジヘプタン酸ネオペンチルグリコール、ジオクタン酸プロピレングリコール、ジイソノナン酸ジエチレングリコール、またはジイソステアリン酸ポリグリセリル−２（特にＡｌｚｏ社からＤｅｒｍｏｌ  ＤＧＤＩＳの商品記号で販売されている化合物等））を利用することができる。
【０１５４】
＊好ましくは炭素の総数が１８〜７０個の範囲である、ヒドロキシル化されたモノエステルおよびジエステル、例えばジイソステアリン酸ポリグリセリル−３、乳酸イソステアリル、ヒドロキシステアリン酸オクチル、ヒドロキシステアリン酸オクチルドデシル、リンゴ酸ジイソステアリルまたはステアリン酸グリセリル。
【０１５５】
＊特に全体で３５〜７０個の炭素原子を含むトリエステル、特にトリカルボン酸のトリエステル等（クエン酸トリイソステアリルまたはトリメリト酸トリデシル等）、または１価カルボン酸のグリコールトリエステル（トリイソステアリン酸ポリグリセリル−２等）。
【０１５６】
＊特に炭素の総数が３５〜７０個の範囲であるテトラエステル、例えばモノカルボン酸のペンタエリスリトールまたはポリグリセロールテトラエステル（例えば、テトラペラルゴン酸ペンタエリスリチル、テトライソステアリン酸ペンタエリスリチル、テトライソノナン酸ペンタエリスリチル、トリス（２−デシル）テトラデカン酸グリセリル、テトライソステアリン酸ポリグリセリル−２またはテトラキス（２−デシル）テトラデカン酸ペンタエリスリチル）。
【０１５７】
＊不飽和脂肪酸二量体および／または三量体と、ジオール（特許出願仏国特許第０８５３６３４号明細書に記載されているもの等）、特にジリノール酸と、１，４−ブタンジオールとの縮合により得られるポリエステル。これに関して、特にＢｉｏｓｙｎｔｈｉｓからＶｉｓｃｏｐｌａｓｔ  １４４３６Ｈの名称で販売されているもの（ＩＮＣＩ名：（ジリノール酸／ブタンジオール）コポリマー）またはポリオールと二酸二量体とのコポリマーおよびそのエステル（Ｈａｉｌｕｃｅｎｔ  ＩＳＤＡ等）を挙げることができる。
【０１５８】
＊二量体化ジオールとモノカルボン酸またはジカルボン酸とのエステルおよびポリエステル、例えば二量体化ジオールと脂肪酸とのエステル、ならびにジオール二量体とジカルボン酸二量体とのエステル（特に二量体化ジカルボン酸、特に不飽和脂肪酸（特にＣ８〜Ｃ３４、特にＣ１２〜Ｃ２２、詳細にはＣ１６〜Ｃ２０、より詳細にはＣ１８）の二量体化により誘導される二量体化ジカルボン酸から得ることができるもの、例えばダイマージリノール酸とダイマージリノレイルアルコールとのエステル、例えばＮｉｐｐｏｎ  Ｆｉｎｅ  Ｃｈｅｍｉｃａｌ社からＬｕｓｐｌａｎ  ＤＤ−ＤＡ５（登録商標）およびＤＤ−ＤＡ７（登録商標）の商品名で販売されているもの）。
【０１５９】
＊少なくとも１種のヒドロキシル化されたカルボン酸のトリグリセリドを、任意選択的に不飽和である脂肪族モノカルボン酸および脂肪族ジカルボン酸でエステル化することによりもたらされるポリエステル、例えばＺｅｎｉｔｅｃｈからＺｅｎｉｇｌｏｓｓの品名で販売されている（イソステアリン酸／コハク酸）ヒマシ油。
【０１６０】
＊炭化水素系植物油、例えば脂肪酸トリグリセリド（常温下で液体であるもの）、特に７〜４０個の炭素原子を含む脂肪酸（ヘプタン酸トリグリセリド、オクタン酸トリグリセリド等）またはホホバ油；特に飽和トリグリセリド、例えばトリ（カプリル酸／カプリン酸）グリセリルおよびこれらの混合物（例えば、ＣｏｇｎｉｓからＭｙｒｉｔｏｌ  ３１８の商品記号で販売されている製品等）、トリヘプタン酸グリセリル、トリオクタン酸グリセリルおよびＣ１８〜３６酸トリグリセリド（Ｓｔｅａｒｉｎｅｒｉｅｓ  ＤｕｂｏｉｓからＤｕｂ  ＴＧＩ  ２４の商品記号で販売されているもの等）、ならびに不飽和トリグリセリド（ヒマシ油、オリーブ油、ハマナツメモドキ（ｘｉｍｅｎｉａ）油、ペンタクレスラマクロロバ種子油（ｐｒａｃａｘｉ  ｏｉｌ）等）を挙げることができる。
【０１６１】
−  （ビニルピロリドン／１−ヘキサデセン）コポリマー、例えばＩＳＰ社からＡｎｔａｒｏｎ  Ｖ−２１６の名称で販売されている製品（Ｇａｎｅｘ  Ｖ２１６としても知られる）（ＭＷ＝７３００ｇ／ｍｏｌ）。
【０１６２】
−  Ｃ１２〜Ｃ２６脂肪酸、好ましくは不飽和の好ましくはＣ１２〜Ｃ２２脂肪酸（オレイン酸、リノール酸またはリノレン酸およびこれらの混合物等）。
【０１６３】
−  炭酸ジアルキル、２個のアルキル鎖は同一であるかまたは異なり得る（ＣｏｇｎｉｓからＣｅｔｉｏｌ  ＣＣ（登録商標）の名称で販売されている炭酸ジカプリリル等）。
【０１６４】
−  およびこれらの混合物。
【０１６５】
極性不揮発性炭化水素系油としては、２０〜２６個の炭素原子を有する少なくとも１種の脂肪族アルコール、特にオクチルドデカノールが好ましくは使用される。
【０１６６】
好ましくは、極性不揮発性炭化水素系油の含有量は、組成物の質量に対して５質量％〜１５質量％、好ましくは６質量％〜１２質量％である。
【０１６７】
不揮発性フェニルシリコーン油
本発明による器具に使用される組成物は、好ましくはジメチコン断片を有しない少なくとも１種の不揮発性フェニルシリコーン油をさらに含む。
【０１６８】
「シリコーン油」という語は、少なくとも１個のケイ素原子、特にＳｉ−Ｏ基を含む油を意味することを意図している。
【０１６９】
「フェニルシリコーン油」という表現は、少なくとも１種のフェニル置換基を有するシリコーン油を表す。
【０１７０】
「ジメチコン断片」という語は、ケイ素原子が２個のメチル基を有している、分子末端に位置しない２価のシロキサン基を表すことに留意されたい。これは下式によって表すことができる：−（Ｓｉ（ＣＨ３）２−Ｏ）−。
【０１７１】
シリコーン油の分子量は、一般に、１５００００ｇ／ｍｏｌ以下、好ましくは１０００００ｇ／ｍｏｌ以下、さらにより良好には１００００ｇ／ｍｏｌ以下である。質量平均分子量は、この分野における従来法により、例えば静的光散乱を接続したゲル浸透クロマトグラフィー（ＧＰＣ−ＭＡＬＬＳ）を用いて測定される。
【０１７２】
したがって、不揮発性フェニルシリコーン油は、次に示すものから選択することができる。
【０１７３】
−  任意選択的に、下式（Ｉ）：
【化１】
2019509869.tif 000002
（式中、Ｒ基は、１価または２価であり、互いに独立に、メチル、メチレン、フェニルまたはフェニレンを表し、但し、少なくとも１個のＲ基は、フェニルを表す）に対応するジメチコン断片を有するフェニルシリコーン油。
【０１７４】
好ましくは、この式中、フェニルシリコーン油は、少なくとも３個のフェニル基、例えば少なくとも４個、少なくとも５個または少なくとも６個のフェニル基を含む。
【０１７５】
−  任意選択的に、下式（ＩＩ）：
【化２】
2019509869.tif 000003
（式中、Ｒ基は、互いに独立に、メチルまたはフェニルを表し、但し、少なくとも１個のＲ基は、フェニルを表す）に対応するジメチコン断片を有するフェニルシリコーン油。
【０１７６】
好ましくは、この式中、式（ＩＩ）の化合物は、少なくとも３個のフェニル基、例えば少なくとも４個または少なくとも５個のフェニル基を含む。
【０１７７】
上に述べた異なるフェニルオルガノポリシロキサン化合物の混合物を使用することもできる。
【０１７８】
その例として、トリフェニル−、テトラフェニル−またはペンタフェニルオルガノポリシロキサンを含む混合物を挙げることができる。
【０１７９】
より詳細には、式（ＩＩ）の化合物の中でも、式（ＩＩ）（式中、少なくとも４個または少なくとも５個のＲ基は、フェニル基を表し、残りの基は、メチルを表す）に対応するジメチコン断片を有しないフェニルシリコーン油を挙げることができる。
【０１８０】
この種の不揮発性フェニルシリコーン油は、好ましくは、トリメチルペンタフェニルトリシロキサンまたはテトラメチルテトラフェニルトリシロキサンである。これらは、特にＤｏｗ  ＣｏｒｎｉｎｇからＰＨ−１５５５  ＨＲＩまたはＤｏｗ  Ｃｏｒｎｉｎｇ  ５５５  Ｃｏｓｍｅｔｉｃ  Ｆｌｕｉｄの商品記号で販売されている（化学名：１，３，５−トリメチル−１，１，３，５，５−ペンタフェニルトリシロキサン；ＩＮＣＩ名：トリメチルペンタフェニルトリシロキサン）。あるいは、Ｄｏｗ  ＣｏｒｎｉｎｇからＤｏｗ  Ｃｏｒｎｉｎｇ  ５５４  Ｃｏｓｍｅｔｉｃ  Ｆｌｕｉｄの商品記号で販売されているテトラメチルテトラフェニルトリシロキサンも使用することができる。
【０１８１】
これらは、特に下式（ＩＩＩ）および（ＩＩＩ’）：
【化３】
2019509869.tif 000004
（式中、Ｍｅは、メチルを表し、およびＰｈは、フェニルを表す）に対応する。
【０１８２】
−  下式（ＩＶ）：
【化４】
2019509869.tif 000005
（式中、Ｍｅは、メチルを表し、ｙは、１〜１０００であり、およびＸは、−ＣＨ２−ＣＨ（ＣＨ３）（Ｐｈ）を表す）に対応する少なくとも１つのジメチコン断片を有するフェニルシリコーン油。
【０１８３】
−  下式（Ｖ）：
【化５】
2019509869.tif 000006
（式中、
−  Ｒ１〜Ｒ１０は、互いに独立に、飽和または不飽和の直鎖、環状または分岐のＣ１〜Ｃ３０炭化水素系基であり、
−  ｍ、ｎ、ｐおよびｑは、互いに独立に、０〜９００の整数であり、但し、ｍ＋ｎ＋ｑの総和は０ではない）に対応するフェニルシリコーン油およびこれらの混合物。
【０１８４】
好ましくは、ｍ＋ｎ＋ｑの総和は１〜１００である。有利には、ｍ＋ｎ＋ｐ＋ｑの総和は１〜９００であり、好ましくは１〜８００である。
【０１８５】
好ましくは、ｑは０である。
【０１８６】
より詳細には、Ｒ１〜Ｒ１０は、互いに独立に、飽和または不飽和、好ましくは飽和の直鎖または分岐のＣ１〜Ｃ３０炭化水素系基、特に、好ましくは飽和Ｃ１〜Ｃ２０、特にＣ１〜Ｃ１８炭化水素系基を表すか、または単環もしくは多環Ｃ６〜Ｃ１４、特にＣ１０〜Ｃ１３アリール基もしくはアラルキル基（そのアルキル部分は、好ましくはＣ１〜Ｃ３アルキル部分である）を表す。
【０１８７】
好ましくは、Ｒ１〜Ｒ１０は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。特に、Ｒ１〜Ｒ１０は、同一であり得、加えてメチル基であり得る。
【０１８８】
式（Ｖ）の特定の実施形態として、次に示すものを挙げることができる：
○任意選択的に、下式（ＶＩ）：
【化６】
2019509869.tif 000007
（式中、
□Ｒ１〜Ｒ６は、互いに独立に、飽和または不飽和の直鎖、環状または分岐Ｃ１〜Ｃ３０炭化水素系基、好ましくはＣ６〜Ｃ１４アリール基またはアラルキル基（そのアルキル部分はＣ１〜Ｃ３アルキルである）であり、
□ｍ、ｎおよびｐは、互いに独立に、０〜１００の整数であり、但し、ｎ＋ｍの総和は１〜１００である）に対応する少なくとも１つのジメチコン断片を有するフェニルシリコーン油およびこれらの混合物。
【０１８９】
好ましくは、Ｒ１〜Ｒ６は、互いに独立に、Ｃ１〜Ｃ２０、特にＣ１〜Ｃ１８炭化水素系基、好ましくはアルキル基を表すか、または単環（好ましくはＣ６アリール基）もしくは多環のＣ６〜Ｃ１４、特にＣ１０〜Ｃ１３アリール基もしくはアラルキル基（好ましくは、アリール部分はＣ６アリール部分であり、アルキル部分はＣ１〜Ｃ３アルキル部分である）を表す。
【０１９０】
好ましくは、Ｒ１〜Ｒ６は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。
【０１９１】
式（ＶＩ）において、特に、Ｒ１〜Ｒ６は、同一であり得、加えてメチル基であり得る。好ましくは、ｍ＝１もしくは２もしくは３、および／またはｎ＝０、および／またはｐ＝０もしくは１を適用することができる。
【０１９２】
特定の実施形態によれば、不揮発性フェニルシリコーン油は、少なくとも１つのジメチコン断片を有するフェニルシリコーン油から選択される。
【０１９３】
好ましくは、この種の油は、式（ＶＩ）
（式中、
□ｍ＝０であり、かつｎおよびｐは、互いに独立に、１〜１００の整数である。好ましくは、Ｒ１〜Ｒ６はメチル基である。この実施形態によれば、シリコーン油は、好ましくは、Ｓｈｉｎ−ＥｔｓｕからのＫＦ−５４（４００ｃＳｔ）、Ｓｈｉｎ−ＥｔｓｕからのＫＦ−５４ＨＶ（５０００ｃＳｔ）、Ｓｈｉｎ−ＥｔｓｕからのＫＦ−５０−３００ＣＳ（３００ｃＳｔ）、Ｓｈｉｎ−ＥｔｓｕからのＫＦ−５３（１７５ｃＳｔ）、Ｓｈｉｎ−ＥｔｓｕからのＫＦ−５０−１００ＣＳ（１００ｃＳｔ）等のジフェニルジメチコンから選択される。
□ｐは、１〜１００であり、ｎ＋ｍの総和は１〜１００であり、かつｎ＝０である）の化合物に対応する。
【０１９４】
これらのフェニルシリコーン油は、任意選択的に、より具体的には、下式（ＶＩＩ）：
【化７】
2019509869.tif 000008
（式中、Ｍｅは、メチルであり、Ｐｈは、フェニルであり、ＯＲ’は、−ＯＳｉＭｅ３基を表し、およびｐは、０であるかまたは１〜１０００であり、およびｍは、１〜１０００である）に対応する少なくとも１つのジメチコン断片を有する。特に、ｍおよびｐは、化合物（ＶＩＩ）が不揮発性油となるようなものである。
【０１９５】
少なくとも１つのジメチコン断片を有する不揮発性フェニルシリコーンの第１の実施形態によれば、ｐは、１〜１０００であり、およびｍは、より具体的には、化合物（ＶＩＩ）が不揮発性油となるものである。例えば、特にＷａｃｋｅｒからＢｅｌｓｉｌ  ＰＤＭ  １０００の商品記号で販売されているトリメチルシロキシフェニルジメチコンを利用することができる。
【０１９６】
ジメチコン断片を有しない不揮発性フェニルシリコーンの第２の実施形態によれば、ｐは、０であり、およびｍは、１〜１０００であり、特に化合物（ＶＩＩ）が不揮発性油となるものである。
【０１９７】
フェニルトリメチルシロキシトリシロキサン、特に例えばＤｏｗ  Ｃｏｒｎｉｎｇ  ５５６  Ｃｏｓｍｅｔｉｃ  Ｇｒａｄｅ  Ｆｌｕｉｄ  （ＤＣ５５６）の商品記号で販売されているものを使用することができる。
【０１９８】
○下式（ＶＩＩＩ）：
【化８】
2019509869.tif 000009
（式中、
−  Ｒは、互いに独立に、飽和または不飽和の直鎖、環状または分岐のＣ１〜Ｃ３０炭化水素系基であり、好ましくは、Ｒは、Ｃ１〜Ｃ３０アルキル基、好ましくはＣ６〜Ｃ１４アリール基またはアラルキル基（そのアルキル部分はＣ１〜Ｃ３アルキルである）であり、
−  ｍおよびｎは、互いに独立に、０〜１００の整数であり、但し、ｎ＋ｍの総和は１〜１００である）に対応するジメチコン断片を有しない不揮発性フェニルシリコーン油およびこれらの混合物。
【０１９９】
好ましくは、Ｒは、互いに独立に、飽和または不飽和、好ましくは飽和の直鎖または分岐のＣ１〜Ｃ３０炭化水素系基、特に好ましくは飽和のＣ１〜Ｃ２０、特にＣ１〜Ｃ１８、より詳細にはＣ４〜Ｃ１０炭化水素系基、単環または多環Ｃ６〜Ｃ１４、特にＣ１０〜Ｃ１３アリール基またはアラルキル基（好ましくは、そのアリール部分はＣ６アリールであり、アルキル部分はＣ１〜Ｃ３アルキルである）を表す。
【０２００】
好ましくは、Ｒ基は、それぞれメチル基、エチル基、プロピル基、ブチル基、イソプロピル基、デシル基、ドデシル基もしくはオクタデシル基を表すか、またはフェニル基、トリル基、ベンジル基もしくはフェネチル基を表すことができる。
【０２０１】
Ｒ基は、特に同一であり得、加えてメチル基であり得る。
【０２０２】
好ましくは、式（ＶＩＩＩ）において、ｍ＝１もしくは２もしくは３、および／またはｎ＝０、および／またはｐ＝０もしくは１を適用することができる。
【０２０３】
好ましい一実施形態によれば、式（ＶＩＩＩ）において、ｎは、０〜１００の整数であり、およびｍは、１〜１００の整数であり、但し、ｎ＋ｍの総和は１〜１００である。好ましくは、Ｒはメチル基である。
【０２０４】
一実施形態によれば、２５℃における粘度が５〜１５００ｍｍ２／ｓ（すなわち５〜１５００ｃＳｔ）であり、好ましくは粘度が５〜１０００ｍｍ２／ｓ（すなわち５〜１０００ｃＳｔ）である式（ＶＩＩＩ）のフェニルシリコーン油を使用することができる。
【０２０５】
この実施形態によれば、不揮発性フェニルシリコーン油は、好ましくはＤｏｗ  ＣｏｒｎｉｎｇからのＤＣ５５６（２２．５ｃＳｔ）等のフェニルトリメチコン（ｎ＝０の場合）から、またはＳｈｉｎ−ＥｔｓｕからのＫＦ−５６ＡもしくはＲｈｏｎｅ−ＰｏｕｌｅｎｃからのＳｉｌｂｉｏｎｅ  ７０６６３Ｖ３０油（２８ｃＳｔ）等のジフェニルシロキシフェニルトリメチコン油（ｍおよびｎが１〜１００である場合）から選択される。括弧内の値は、２５℃における粘度を表す。
【０２０６】
−  任意選択的に、下式：
【化９】
2019509869.tif 000010
（式中、
Ｒ１、Ｒ２、Ｒ５およびＲ６は、同一であっても異なっていてもよく、１〜６個の炭素原子を含むアルキル基であり、
Ｒ３およびＲ４は、同一であっても異なっていてもよく、１〜６個の炭素原子を含むアルキル基であるか、またはアリール基（好ましくはＣ６〜Ｃ１４アリール基）であり、但し、Ｒ３およびＲ４の少なくとも１種はフェニル基であり、
Ｘは、１〜６個の炭素原子を含むアルキル基、ヒドロキシル基またはビニル基であり、
ｎおよびｐは、１以上の整数であり、油の質量平均分子量が好ましくは１５００００ｇ／ｍｏｌ未満、より好ましくは１０００００ｇ／ｍｏｌ未満となるように選択される）に対応する少なくとも１つのジメチコン断片を有するフェニルシリコーン油およびこれらの混合物。
【０２０７】
−  およびこれらの混合物。
【０２０８】
好ましくは、本発明に関連して使用される組成物は、ジメチコン断片を有しない不揮発性フェニルシリコーン油を含む。
【０２０９】
より詳細には、ジメチコン断片を有しない不揮発性フェニルシリコーン油は、シリコーンがジメチコン断片を有しないようなＲ基を有する（Ｉ）；シリコーンがジメチコン断片を有しないようなＲ基を有する（ＩＩ）、特に式（ＩＩＩ）および（ＩＩＩ’）；ｐ＝０である（Ｖ）；ｐ＝０である（ＶＩ）；ｐ＝０である（ＶＩＩ）；（ＶＩＩＩ）；シリコーンがジメチコン断片を有しないようなＲ基を有する（ＩＸ）；またはこれらの混合物から選択される。
【０２１０】
さらに好ましくは、不揮発性フェニルシリコーン油は、式（ＩＩ）のもの、より詳細には、式（ＩＩＩ）または（ＩＩＩ’）の不揮発性フェニルシリコーン油から選択される。
【０２１１】
本発明の特定の実施形態によれば、好ましくはジメチコン断片を有しない不揮発性フェニルシリコーン油の含有量は、組成物の質量に対して１質量％〜８質量％の範囲、好ましくは１．５質量％〜５質量％の範囲である。
【０２１２】
さらなる不揮発性油
不揮発性非フェニルシリコーン油
本発明の組成物は、任意選択的に、不揮発性非フェニルシリコーン油から選択される少なくとも１種のさらなる不揮発性油を含み得る。
【０２１３】
「非フェニルシリコーン油」という表現は、フェニル置換基を含まないシリコーン油を指す。
【０２１４】
このような不揮発性非フェニルシリコーン油の代表例として、ポリジメチルシロキサン；アルキルジメチコン；ビニルメチルメチコン；加えて、脂肪族基ならびに／またはヒドロキシル基、チオール基および／もしくはアミン基等の官能基、好ましくはヒドロキシル基で変性されたシリコーンを挙げることができる。
【０２１５】
「ジメチコン」（ＩＮＣＩ名）は、ポリジメチルシロキサン（化学名）に対応することに留意されたい。
【０２１６】
特に、これらの油は、次に示す不揮発性油から選択することができる：
−  ポリジメチルシロキサン（ＰＤＭＳ）、
−  シリコーン鎖に懸垂しておりかつ／または末端に位置する脂肪族基、特にアルキル基またはアルコキシ基（これらの基は、それぞれ２〜２４個の炭素原子を含む）を含むアルキルジメチコン。その例として、Ｅｖｏｎｉｋ  ＧｏｌｄｓｃｈｍｉｄｔからＡｂｉｌ  Ｗａｘ  ９８０１の商品記号で販売されているセチルジメチコンを挙げることができ、
−  ヒドロキシル基、チオール基および／またはアミン基等の官能基、好ましくはヒドロキシル基を含むＰＤＭＳ、
−  シリコーン鎖に懸垂しておりかつ／または末端に位置する脂肪族基（特にＣ２〜Ｃ２４基）と、ヒドロキシル基、チオール基および／またはアミン基等の官能基、好ましくはヒドロキシル基とで置換されているポリジメチルシロキサン、
−  脂肪酸または脂肪族アルコールで変性されたポリシロキサン、および
−  これらの混合物。
【０２１７】
好ましくは、これらの不揮発性非フェニルシリコーン油は、ポリジメチルシロキサン；アルキルジメチコンに加えて、脂肪族基（特にＣ２〜Ｃ２４アルキル基）およびヒドロキシル基等の官能基で置換されたポリジメチルシロキサンから選択される。
【０２１８】
不揮発性非フェニルシリコーン油は、特に式（Ｉ）：
【化１０】
2019509869.tif 000011
（式中、
−  Ｒ１、Ｒ２、Ｒ５およびＲ６は、一緒にまたは個別に、１〜６個の炭素原子を含むアルキル基であり、
−  Ｒ３およびＲ４は、一緒にまたは個別に、１〜６個の炭素原子を含むアルキル基またはヒドロキシル基であり、
−  Ｘは、１〜６個の炭素原子を含むアルキル基、ヒドロキシル基であり、
−  ｎおよびｐは、２５℃における粘度が特に８センチストークス（ｃＳｔ）（８×１０−６ｍ２／ｓ）〜１０００００ｃＳｔとなり、有利には、質量平均分子量が１５００００ｇ／ｍｏｌ以下、好ましくは１０００００ｇ／ｍｏｌ以下、さらにより良好には１００００ｇ／ｍｏｌ以下となる液状化合物が得られるように選択される整数である）のシリコーンから選択することができる。
【０２１９】
本発明の実施に好適な不揮発性非フェニルシリコーン油として、次に示すものを挙げることができる：
−  Ｒ１〜Ｒ６およびＸ置換基は、メチル基を表し、かつｐおよびｎは、粘度が６００００ｃＳｔとなるようなもの（例えば、Ｄｏｗ  ＣｏｒｎｉｎｇからＤｏｗ  Ｃｏｒｎｉｎｇ  ２００  Ｆｌｕｉｄ  ６００００  ＣＳの名称で販売されている製品およびＷａｃｋｅｒからＷａｃｋｅｒ  Ｂｅｌｓｉｌ  ＤＭ  ６００００の名称で販売されている製品）、
−  Ｒ１〜Ｒ６およびＸ置換基は、メチル基を表し、かつｐおよびｎは、粘度が１００ｃＳｔまたは３５０ｃＳｔとなるようなもの（例えば、それぞれＤｏｗ  ＣｏｒｎｉｎｇからＢｅｌｓｉｌ  ＤＭ１００およびＤｏｗ  Ｃｏｒｎｉｎｇ  ２００  Ｆｌｕｉｄ  ３５０  ＣＳの名称で販売されている製品）、および
−  Ｒ１〜Ｒ６置換基は、メチル基を表し、Ｘ基は、ヒドロキシル基を表し、かつｎおよびｐは、粘度が７００ｃＳｔとなるようなもの（例えば、ＭｏｍｅｎｔｉｖｅからＢａｙｓｉｌｏｎｅ  Ｆｌｕｉｄ  Ｔ０．７の名称で販売されている製品）。
【０２２０】
無極性不揮発性炭化水素系油
本発明による組成物は、少なくとも１種のさらなる無極性不揮発性炭化水素系油も含み得る。
【０２２１】
これらの油は、植物由来、鉱物由来または合成由来の油であり得る。
【０２２２】
「無極性炭化水素系油」という語は、本発明の趣旨の範囲内では、その構造内に炭素原子および水素原子のみを含む油を意味することを意図している。
【０２２３】
より詳細には、無極性不揮発性炭化水素系油は、鉱物由来または合成由来の直鎖または分岐炭化水素であり、例えば次に示すものから選択される：
−  流動パラフィンまたはその誘導体（鉱物油）、
−  スクワラン、
−  イソエイコサン、
−  ナフタレン油、
−  ポリブテン、例えばＡｍｏｃｏ社から販売されているＩｎｄｏｐｏｌ  Ｈ−１００、Ｉｎｄｏｐｏｌ  Ｈ−３００、またはＩｎｄｏｐｏｌ  Ｈ−１５００等、
−  ポリイソブテンおよび水添ポリイソブテン、特にＮｉｐｐｏｎ  Ｏｉｌ  Ｆａｔｓから販売されている製品であるＰａｒｌｅａｍ（登録商標）、Ａｍｏｃｏ社から販売されているＰａｎａｌａｎｅ  Ｈ−３００  Ｅ、Ｓｙｎｔｅａｌ社から販売されているＶｉｓｅａｌ  ２００００、Ｗｉｔｃｏ社から販売されているＲｅｗｏｐａｌ  ＰＩＢ  １０００、またはＮＯＦ  Ｃｏｒｐｏｒａｔｉｏｎから販売されているＰａｒｌｅａｍ  Ｌｉｔｅ等、
−  デセン／ブテンコポリマーおよびポリブテン／ポリイソブテンコポリマー、特にＩｎｄｏｐｏｌ  Ｌ−１４、
−  ポリデセンおよび水添ポリデセン、例えば特にＥｘｘｏｎＭｏｂｉｌ  Ｃｈｅｍｉｃａｌ社から販売されているＰｕｒｅｓｙｎ  １０、Ｐｕｒｅｓｙｎ  １５０またはＰｕｒｅｓｙｎ  ６等、および
−  これらの混合物。
【０２２４】
使用される組成物中にこれらが存在する場合、その含有量は、不揮発性油の総含有量（換言すれば、少なくとも１つのジメチコン断片を有するかまたは有しない、極性もしくは無極性またはフェニルもしくは非フェニルシリコーン炭化水素系油）が組成物の質量に対して６質量％〜２０質量％、好ましくは６質量％〜１５質量％で変動するようなものである。
【０２２５】
不揮発性フッ素系油
「フッ素系油」という語は、少なくとも１個のフッ素原子を含む油を意味することを意図している。
【０２２６】
フッ素系油の例として、フルオロシリコーン油、フッ素化ポリエーテル、フッ素系シリコーン、特に欧州特許出願公開第Ａ−８４７７５２号明細書に記載されているもの、およびパーフルオロ化合物を挙げることができる。
【０２２７】
パーフルオロ化合物は、本発明によれば、全ての水素原子がフッ素原子に置き換わっている化合物を意味することを意図している。
【０２２８】
好ましい実施形態によれば、フッ素系油はパーフルオロ油から選択される。
【０２２９】
パーフルオロ油の例として、パーフルオロデカリンおよびパーフルオロパーヒドロフェナントレンを挙げることができる。
【０２３０】
好ましい実施形態によれば、フッ素系油は、パーフルオロパーヒドロフェナントレン、特にＣｒｅａｔｉｏｎｓ  Ｃｏｕｌｅｕｒｓから販売されている製品であるＦｉｆｌｏｗ（登録商標）から選択される。特に、Ｆ２  Ｃｈｅｍｉｃａｌｓ社からＦｉｆｌｏｗ  ２２０の商品記号で販売されているフッ素系油（ＩＮＣＩ名：パーフルオロパーヒドロフェナントレン）を利用することができる。
【０２３１】
カルボシロキサンデンドリマー単位を含む皮膜形成剤
さらに、本発明による組成物は、少なくとも１種のカルボシロキサンデンドリマー系単位を含むビニルポリマーから選択される少なくとも１種の皮膜形成剤を含む。
【０２３２】
より詳細には、皮膜形成剤の含有量は、活性物質が組成物の質量の０．５質量％〜３０質量％、好ましくは１質量％〜２０質量％となる量である。
【０２３３】
「被膜形成」ポリマーという語は、単独でまたは皮膜形成助剤の存在下において、支持体、特にケラチン物質上に連続した付着物を形成することができるポリマーを意味することを意図している。
【０２３４】
ビニルポリマーは、主鎖と、カルボシロキサンデンドリマー構造を有するカルボシロキサンデンドリマー系単位を含む少なくとも１種の側鎖とを有する。
【０２３５】
本発明に関連する「カルボシロキサンデンドリマー構造」とは、高分子量の分岐基を有する分子構造であって、主鎖への結合を始点として半径方向に高い規則性を有する分子構造を表す。この種のカルボシロキサンデンドリマー構造は、特願平９−１７１１５４号明細書において、高度に分岐したシロキサン−シリルアルキレンコポリマーの形態で記載されている。
【０２３６】
本発明によるビニルポリマーは、次に示す一般式（Ｉ）：
【化１１】
2019509869.tif 000012
（式中、
−  Ｒ１は、５〜１０個の炭素原子を有するアリール基、または１〜１０個の炭素原子を有するアルキル基を表し、
−  Ｘｉは、シリルアルキル基であって、ｉ＝１の場合、式（ＩＩ）：
【化１２】
2019509869.tif 000013
（式中、
・Ｒ１は、式（Ｉ）において上で定義されるようなものであり、
・Ｒ２は、２〜１０個の炭素原子を有するアルキレン基を表し、
・Ｒ３は、１〜１０個の炭素原子を有するアルキル基を表し、
・Ｘｉ＋ｉは、水素原子、１〜１０個の炭素原子を含有するアルキル基、５〜１０個の炭素原子を含有するアリール基、および式（ＩＩ）の上で定義されたシリルアルキル基（ここで、ｉ＝ｉ＋１である）から選択され、
・ｉは、前記シリルアルキル基の世代を表す１〜１０の整数であり、および
・ａｉは、０〜３の整数である）によって表されるシリルアルキル基であり、
−  Ｙは、
・メタクリル基またはアクリル基を含む有機基であって、式：
【化１３】
2019509869.tif 000014
（式中、
＊Ｒ４は、水素原子、または１〜１０個の炭素原子を有するアルキル基を表し、および
＊Ｒ５は、１〜１０個の炭素原子を有するアルキレン基、例えばメチレン基、エチレン基、プロピレン基またはブチレン基を表し、好ましくはメチレン基およびプロピレン基である）によって表される有機基、および
・式：
【化１４】
2019509869.tif 000015
（式中、
＊Ｒ６は、水素原子、または１〜１０個の炭素原子を有するアルキル基、例えばメチル基、エチル基、プロピル基またはブチル基を表し、好ましくはメチル基であり、
＊Ｒ７は、１〜１０個の炭素原子を有するアルキル基を表し、
＊Ｒ８は、１〜１０個の炭素原子を有するアルキレン基、例えばメチレン基、エチレン基、プロピレン基またはブチレン基を表し、好ましくはエチレン基であり、
＊ｂは、０〜４の整数であり、および
＊ｃは、０または１であり、それにより、ｃが０である場合、−（Ｒ８）ｃ−は、結合を表す）のスチリル基を含む有機基
から選択される放射状に重合することが可能な有機基を表す）によって表すことができるカルボシロキサンデンドリマーから誘導された単位を含み得る。
【０２３７】
一実施形態によれば、Ｒ１は、５〜１０個の炭素原子を有するアリール基を表すか、または１〜１０個の炭素原子を有するアルキル基を表すことができる。アルキル基は、好ましくは、メチル基、エチル基、プロピル基、ブチル基、ペンチル基、イソプロピル基、イソブチル基、シクロペンチル基またはシクロヘキシル基を表すことができる。アリール基は、好ましくは、フェニル基およびナフチル基を表すことができる。メチル基およびフェニル基がさらにより好ましく、メチル基が最も好ましい。
【０２３８】
一実施形態によれば、Ｒ２は、２〜１０個の炭素原子を有するアルキレン基、特に直鎖アルキレン基、例えばエチレン基、プロピレン基、ブチレン基もしくはヘキシレン基を表すか、または分岐アルキレン基、例えばメチルメチレン基、メチルエチレン基、１−メチルペンチレン基または１，４−ジメチルブチレン基を表す。
【０２３９】
エチレン基、メチルエチレン基、ヘキシレン基、１−メチルペンチレン基および１，４−ジメチルブチレン基が最も好ましい。
【０２４０】
一実施形態によれば、Ｒ３は、メチル基、エチル基、プロピル基、ブチル基およびイソプロピル基から選択される。
【０２４１】
式（ＩＩ）において、ｉは世代数を表す。したがって、これは、シリルアルキル基の繰り返し数に対応する。
【０２４２】
例えば、世代数が１に等しい場合、カルボシロキサンデンドリマーは、次に示す一般式：
【化１５】
2019509869.tif 000016
（式中、Ｙ、Ｒ１、Ｒ２およびＲ３は、上に定義されるようなものであり、Ｒ１２は、水素原子を表すかまたはＲ１と同じであり、およびａ１は、ａｉと同じである）によって表すことができる。好ましくは、分子内全体のＯＲ３基の平均個数は０〜７の範囲内である。
【０２４３】
世代数が２に等しい場合、カルボシロキサンデンドリマーは、次に示す一般式：
【化１６】
2019509869.tif 000017
（式中、Ｙ、Ｒ１、Ｒ２、Ｒ３およびＲ１２は、上に定義されるようなものであり、ａ１およびａ２は、指示された世代のａｉを表す）によって表すことができる。好ましくは、分子内全体のＯＲ３基の平均個数は０〜２５の範囲内である。
【０２４４】
世代数が３に等しい場合、カルボシロキサンデンドリマーは、次に示す一般式：
【化１７】
2019509869.tif 000018
（式中、Ｙ、Ｒ１、Ｒ２、Ｒ３およびＲ１２は、上に定義されるようなものであり、ａ１、ａ２およびａ３は、指示された世代のａｉを表す）によって表すことができる。好ましくは、分子内全体のＯＲ３基の平均個数は０〜７９の範囲内である。
【０２４５】
カルボシロキサンデンドリマーから誘導された少なくとも１種の単位を有するビニルポリマーは、カルボシロキサンデンドリマー構造を含む分子側鎖を有し、
（Ａ）０〜９９．９質量部のビニルモノマーと、
（Ｂ）１００〜０．１質量部の、上に定義された一般式（Ｉ）によって表される、放射状に重合することが可能な有機基を含むカルボシロキサンデンドリマーと
の重合から得ることができる。
【０２４６】
カルボシロキサンデンドリマーから誘導された少なくとも１種の単位を有するビニルポリマーにおける成分（Ａ）であるビニル型のモノマーは、放射状に重合可能なビニル基を含むビニル型のモノマーである。
【０２４７】
この種のモノマーに関して特に制限はない。
【０２４８】
このビニル型のモノマーの例を次に示す：メタクリル酸メチル、メタクリル酸エチル、メタクリル酸ｎ−プロピル、メタクリル酸イソプロピルまたはメタクリル酸の低級アルキルエステル類縁体；メタクリル酸グリシジル；メタクリル酸ブチル、アクリル酸ブチル、メタクリル酸ｎ−ブチル、メタクリル酸イソブチル、アクリル酸ｔｅｒｔ−ブチル、メタクリル酸ｔｅｒｔ−ブチル、メタクリル酸ｎ−ヘキシル、メタクリル酸シクロヘキシル、アクリル酸２−エチルヘキシル、メタクリル酸２−エチルヘキシル、メタクリル酸オクチル、メタクリル酸ラウリル、アクリル酸ステアリル、メタクリル酸ステアリルまたは類似の高級メタクリル酸エステル；酢酸ビニル、プロピオン酸ビニルまたは類似の低級脂肪酸のビニルエステル；カプロン酸ビニル、ビニル２−エチルヘキソエート、ラウリン酸ビニル、ステアリン酸ビニルまたは類似の高級脂肪酸エステル；スチレン、ビニルトルエン、メタクリル酸ベンジル、メタクリル酸フェノキシエチル、ビニルピロリドンまたは類似のビニル芳香族モノマー；メタクリルアミド、Ｎ−メチロールメタクリルアミド、Ｎ−メトキシメチルメタクリルアミド、イソブトキシメトキシメタクリルアミド、Ｎ，Ｎ−ジメチルメタクリルアミドまたはアミド基を含む類似のビニル型モノマー；メタクリル酸ヒドロキシエチル、ヒドロキシプロピルアルコールメタクリル酸エステルまたはヒドロキシル基を含む類似のビニル型モノマー；アクリル酸、メタクリル酸、イタコン酸、クロトン酸、フマル酸、マレイン酸またはカルボン酸基を含む類似のビニル型モノマー；メタクリル酸テトラヒドロフルフリル、メタクリル酸ブトキシエチル、エトキシジエチレングリコールメタクリレート、ポリエチレングリコールメタクリレート、ポリプロピレングリコールモノメタクリレート、ヒドロキシブチルビニルエーテル、セチルビニルエーテル、２−エチルヘキシルビニルエーテルまたはエーテル結合を有する類似のビニル型モノマー；メタクリルオキシプロピルトリメトキシシラン、メタクリル基を一方の分子末端に含むポリジメチルシロキサン、スチリル基を一方の分子末端に含むポリジメチルシロキサン、または不飽和基を含む類似のシリコーン化合物；ブタジエン；塩化ビニル；塩化ビニリデン；メタクリロニトリル；フマル酸ジブチル；無水マレイン酸；無水コハク酸；メタクリルグリシジルエーテル；アミンの有機塩、メタクリル酸、イタコン酸、クロトン酸、マレイン酸またはフマル酸のアンモニウム塩およびアルカリ金属塩；スルホン酸基（スチレンスルホン酸基等）を含む放射状に重合可能な不飽和モノマー；メタクリル酸から誘導された第四級アンモニウム塩（２−ヒドロキシ−３−メタクリルオキシプロピルトリメチルアンモニウムクロリド等）；および第三級アミン基を含むアルコールのメタクリル酸エステル（ジエチルアミンのメタクリル酸エステル等）。
【０２４９】
ビニル型の多官能性モノマーも使用することができる。
【０２５０】
この種の化合物の例を次に示す：トリメチロールプロパントリメタクリレート、ペンタエリスリチルトリメタクリレート、エチレングリコールジメタクリレート、テトラエチレングリコールジメタクリレート、ポリエチレングリコールジメタクリレート、１，４−ブタンジオールジメタクリレート、１，６−ヘキサンジオールジメタクリレート、ネオペンチルグリコールジメタクリレート、エトキシ化トリメチロールプロパントリメタクリレート、イソシアヌル酸トリス（２−ヒドロキシエチル）ジメタクリル酸エステル、イソシアヌル酸トリス（２−ヒドロキシエチル）トリメタクリル酸エステル、ジビニルベンゼン基を有するスチリル基で両端を末端封止されたポリジメチルシロキサン、または不飽和基を含むシリコーン化合物類縁体。
【０２５１】
成分（Ｂ）であるカルボシロキサンデンドリマーは、上に定義された式（Ｉ）によって表すことができる。
【０２５２】
式（Ｉ）のＹ基の好ましい例を次に示す：アクリロイルオキシメチル基、３−アクリロイルオキシプロピル基、メタクリロイルオキシメチル基、３−メタクリロイルオキシプロピル基、４−ビニルフェニル基、３−ビニルフェニル基、４−（２−プロペニル）フェニル基、３−（２−プロペニル）フェニル基、２−（４−ビニルフェニル）エチル基、２−（３−ビニルフェニル）エチル基、ビニル基、アリル基、メタアリル基および５−ヘキセニル基。
【０２５３】
本発明によるカルボシロキサンデンドリマーは、下式：
【化１８−１】
2019509869.tif 000019
【化１８−２】
2019509869.tif 000020
によって表すことができる平均構造を有する。
【０２５４】
したがって、一実施形態によれば、本発明による組成物のカルボシロキサンデンドリマーは、下式：
【化１９】
2019509869.tif 000021
（式中、
・Ｙ、Ｒ１、Ｒ２およびＲ３は、上の式（Ｉ）および（ＩＩ）において上に定義されるようなものであり、
・ａ１、ａ２およびａ３は、式（ＩＩ）のａｉの定義に対応し、および
・Ｒ１２は、Ｈ、５〜１０個の炭素原子を有するアリール基、または１〜１０個の炭素原子を有するアルキル基である）によって表される。
【０２５５】
一実施形態によれば、本発明による組成物のカルボシロキサンデンドリマーは、下式：
【化２０】
2019509869.tif 000022
の１種によって表される。
【０２５６】
本発明によるカルボシロキサンデンドリマーを含むビニルポリマーは、特願平９−１７１１５４号明細書に記載されている分岐シルアルキレンシロキサンを製造するための方法に従って製造することができる。
【０２５７】
カルボシロキサンデンドリマーを含むビニルポリマーの数平均分子量は、化粧品の出発物質を調製しやすくするために、３０００〜２００００００ｇ／ｍｏｌの範囲、好ましくは５０００〜８０００００ｇ／ｍｏｌの範囲から選択することができる。これは、液体、ガム状、ペースト状、固形、粉体または他の任意の形態であり得る。好ましい形態は、分散液または粉末を溶媒で希釈することにより得られる溶液である。
【０２５８】
このビニルポリマーは、分子側鎖にカルボシロキサンデンドリマー構造を有するビニル型のポリマーをシリコーン油、有機油、アルコール、水等の液体中に分散させた分散液であり得る。
【０２５９】
シリコーン油は、２つの分子末端がトリメチルシロキシ基で末端封止されたジメチルポリシロキサン、２つの分子末端がトリメチルシロキシ基で末端封止されたメチルフェニルシロキサンとジメチルシロキサンとのコポリマー、２つの分子末端がトリメチルシロキシ基で末端封止されたメチル（３，３，３−トリフルオロプロピル）シロキサンとジメチルシロキサンとのコポリマー、または類似の非反応性直鎖シリコーン油に加えて、ヘキサメチルシクロトリシロキサン、オクタメチルシクロテトラシロキサン、デカメチルシクロペンタシロキサン、ドデカメチルシクロヘキサシロキサンまたは類似の環状化合物であり得る。非反応性シリコーン油に加えて、シラノール基、アミノ基、ポリエーテル基等の官能基を末端に含むかまたは分子側鎖内に含む変性ポリシロキサンを使用することができる。
【０２６０】
有機油は、イソドデカン、流動パラフィン、イソパラフィン、ラウリン酸ヘキシル、ミリスチン酸イソプロピル、ミリスチン酸ミリスチル、ミリスチン酸セチル、ミリスチン酸２−オクチルドデシル；パルミチン酸イソプロピル、パルミチン酸２−エチルヘキシル、ステアリン酸ブチル、オレイン酸デシル、オレイン酸２−オクチルドデシル、乳酸ミリスチル、乳酸セチル、酢酸ラノリン、ステアリルアルコール、セトステアリルアルコール、オレイルアルコール、アボカド油、扁桃油、オリーブ油、カカオ油、ホホバ油、ゴム油、ヒマワリ油、大豆油、カメリア油、スクワラン、ヒマシ油、綿実油、ヤシ油、卵黄油、モノオレイン酸ポリプロピレングリコール、２−エチルヘキサン酸ネオペンチルグリコールまたは類似のグリコールエステル油；イソステアリン酸トリグリセリル、ヤシ油脂肪酸のトリグリセリドまたは類似の多価アルコールエステルの油；ポリオキシエチレンラウリルエーテル、ポリオキシプロピレンセチルエーテルまたは類似のポリオキシアルキレンエーテルであり得る。
【０２６１】
アルコールは、化粧品の出発物質と一緒に使用するのに適した任意の種類のものであり得る。例えば、これは、メタノール、エタノール、ブタノール、イソプロパノールまたは類似の低級アルコールであり得る。
【０２６２】
アルコールの溶液または分散液の２５℃における粘度は、１０〜１０９ｍＰａの範囲とすべきである。化粧品の使用感を向上するために、粘度は１００〜５×１０８ｍＰａ．ｓの範囲内にすべきである。
【０２６３】
この溶液および分散液は、カルボシロキサンデンドリマーから誘導された少なくとも１種の単位を有するビニルポリマーをシリコーン油、有機油、アルコールまたは水と混合することによって容易に調製することができる。重合段階に液体が存在し得る。この場合、未反応の残留ビニルモノマーは、溶液または分散液を大気圧下または減圧下で熱処理することによって完全に除去するべきである。
【０２６４】
分散液の場合、ビニル型のポリマーの分散性は、界面活性剤を添加することにより向上させることができる。
【０２６５】
この種の界面活性剤としては、ヘキシルベンゼンスルホン酸、オクチルベンゼンスルホン酸、デシルベンゼンスルホン酸、ドデシルベンゼンスルホン酸、セチルベンゼンスルホン酸、ミリスチルベンゼンスルホン酸またはこれらの酸のナトリウム塩であるアニオン性界面活性剤；オクチルトリメチルアンモニウムヒドロキシド、ドデシルトリメチルアンモニウムヒドロキシド、ヘキサデシルトリメチルアンモニウムヒドロキシド、オクチルジメチルベンジルアンモニウムヒドロキシド、デシルジメチルベンジルアンモニウムヒドロキシド、ジオクタデシルジメチルアンモニウムヒドロキシド、（牛脂アルキル）トリメチルアンモニウムヒドロキシド、（ヤシ油アルキル）トリメチルアンモニウムヒドロキシド、または類似のカチオン性界面活性剤；ポリオキシアルキレンアルキルエーテル、ポリオキシアルキレンアルキルフェノール、ポリオキシアルキレンアルキルエステル、ポリオキシアルキレンのソルビトールエステル、ポリエチレングリコール、ポリプロピレングリコール、ジエチレングリコールトリメチルノナノールのエチレンオキシド付加物およびポリエステル型の非イオン性界面活性剤に加えて混合物を用いることができる。
【０２６６】
分散液中のビニル型ポリマーの平均粒径は、０．００１〜１００ミクロンの範囲、好ましくは０．０１〜５０ミクロンの範囲であり得る。なぜなら、この推奨範囲を超えると、エマルジョンと混合された化粧品は、口唇に与える感触または触感が十分に優れたものにならないうえに、伸びが十分でなく、つけ心地も悪くなるためである。
【０２６７】
分散液または溶液に含まれるビニルポリマーは、０．１質量％〜９５質量％の範囲、好ましくは５質量％〜８５質量％の範囲の濃度を有し得る。しかしながら、混合物の取扱いおよび調製を容易にするために、この範囲は、好ましくは１０質量％〜７５質量％の範囲とすべきである。
【０２６８】
本発明に好適なビニルポリマーは、欧州特許出願公開第０９６３７５１号明細書の実施例に記載されているポリマーの１種とすることもできる。
【０２６９】
好ましい実施形態によれば、カルボシロキサンデンドリマーがグラフトされたビニルポリマーは、
（Ａ１）０〜９９．９質量部の１種以上のアクリル酸エステルまたはメタクリル酸エステルモノマーと、
（Ｂ１）１００〜０．１質量部のトリス［トリ（トリメチルシロキシ）シリルエチルジメチルシロキシ］シリルプロピルカルボシロキサンデンドリマーのアクリル酸エステルまたはメタクリル酸エステルモノマーと
の重合物であり得る。
【０２７０】
モノマー（Ａ１）および（Ｂ１）は、それぞれ特定のモノマー（Ａ）および（Ｂ）に対応する。
【０２７１】
一実施形態によれば、少なくとも１種のカルボシロキサンデンドリマー系単位を有するビニルポリマーは、式：
【化２１】
2019509869.tif 000023
の１種に対応するトリス［トリ（トリメチルシロキシ）シリルエチルジメチルシロキシ］シリルプロピルカルボシロキサンデンドリマー系単位を含み得る。
【０２７２】
好ましい態様によれば、本発明に使用される少なくとも１種のカルボシロキサンデンドリマー系単位を有するビニルポリマーは、少なくとも１種のアクリル酸ブチルモノマーを含み得る。
【０２７３】
一実施形態によれば、ビニルポリマーは、少なくとも１種のフッ素化された有機基も含む。
【０２７４】
重合したビニル単位が主鎖を構成し、カルボシロキサン樹状構造に加えてフッ素化された有機基が側鎖に結合している構造が特に好ましい。
【０２７５】
フッ素化された有機基は、メチル基、エチル基、プロピル基、イソプロピル基、ブチル基、イソブチル基、ｔｅｒｔ−ブチル基、ペンチル基、ネオペンチル基、ヘキシル基、シクロヘキシル基、ヘプチル基、オクチル基、ノニル基、デシル基、ウンデシル基、ドデシル基、トリデシル基、テトラデシル基、ヘキサデシル基およびオクタデシル基ならびに１〜２０個の炭素原子を有する他のアルキル基に加えて、６〜２２個の炭素原子を有するアルキルオキシアルキレン基の水素原子の全部または一部をフッ素原子に置き換えることによって得ることができる。
【０２７６】
アルキル基の水素原子をフッ素原子に置換することにより得られるフルオロアルキル基の例として、式−（ＣＨ２）ｘ−（ＣＦ２）ｙ−Ｒ１３によって表される基が提示される。この式において、添字「ｘ」は０、１、２または３であり、「ｙ」は１〜２０の整数である。Ｒ１３は、水素原子、フッ素原子、ＣＨ（ＣＦ３）２−またはＣＦ（ＣＦ３）２から選択される原子または基である。この種のフッ素で置換されたアルキル基の例として、以下に示す式によって表される直鎖または分岐のポリフルオロアルキル基またはパーフルオロアルキル基が挙げられる：−ＣＦ３、−Ｃ２Ｆ５、−ｎＣ３Ｆ７、−ＣＦ（ＣＦ３）２、−ｎＣ４Ｆ９、ＣＦ２ＣＦ（ＣＦ３）２、−ｎＣ５Ｆ１１、−ｎＣ６Ｆ１３、−ｎＣ８Ｆ１７、ＣＨ２ＣＦ３、−（ＣＨ（ＣＦ３）２、ＣＨ２ＣＨ（ＣＦ３）２、−ＣＨ２（ＣＦ２）２Ｆ、−ＣＨ２（ＣＦ２）３Ｆ、−ＣＨ２（ＣＦ２）４Ｆ、ＣＨ２（ＣＦ２）６Ｆ、ＣＨ２（ＣＦ２）８Ｆ、−ＣＨ２ＣＨ２ＣＦ３、−ＣＨ２ＣＨ２（ＣＦ２）２Ｆ、−ＣＨ２ＣＨ２（ＣＦ２）３Ｆ、−ＣＨ２ＣＨ２（ＣＦ２）４Ｆ、−ＣＨ２ＣＨ２（ＣＦ２）６Ｆ、−ＣＨ２ＣＨ２（ＣＦ２）８Ｆ、−ＣＨ２ＣＨ２（ＣＦ２）１０Ｆ、−ＣＨ２ＣＨ２（ＣＦ２）１２Ｆ、ＣＨ２ＣＨ２（ＣＦ２）１４Ｆ、−ＣＨ２ＣＨ２（ＣＦ２）１６Ｆ、−ＣＨ２ＣＨ２ＣＨ２ＣＦ３、−ＣＨ２ＣＨ２ＣＨ２（ＣＦ２）２Ｆ、−ＣＨ２ＣＨ２ＣＨ２（ＣＦ２）２Ｈ、−ＣＨ２（ＣＦ２）４Ｈおよび−ＣＨ２ＣＨ２（ＣＦ２）３Ｈ。
【０２７７】
アルキルオキシアルキレン基の水素原子をフッ素原子に置換することにより得られるフルオロアルキルオキシフルオロアルキレン基として、−ＣＨ２ＣＨ２−（ＣＦ２）ｍ−ＣＦＲ１４−［ＯＣＦ２ＣＦ（ＣＦ３）］ｎ−ＯＣ３Ｆ７によって表される基が提示される。この式中、添字「ｍ」は０または１であり、「ｎ」は０、１、２、３、４または５であり、Ｒ１４はフッ素原子またはＣＦ３である。この種のフルオロアルキルオキシフルオロアルキレン基の例として、以下に示す式によって表されるパーフルオロアルキルオキシフルオロアルキレン基が挙げられる：
−ＣＨ２ＣＨ２ＣＦ（ＣＦ３）−［ＯＣＦ２ＣＦ（ＣＦ３）］ｎ−ＯＣ３Ｆ７、−ＣＨ２ＣＨ２ＣＦ２ＣＦ２−［ＯＣＦ２ＣＦ（ＣＦ３）］ｎ−ＯＣ３Ｆ７。
【０２７８】
本発明に使用されるビニルポリマーの数平均分子量は、３０００〜２００００００ｇ／ｍｏｌ、より好ましくは５０００〜８０００００ｇ／ｍｏｌであり得る。
【０２７９】
この種のフッ素化されたビニルポリマーは、
−  フッ素化された有機基を有しないビニルモノマー（Ｍ２）を、
−  フッ素化された有機基を含むビニルモノマー（Ｍ１）と、
−  上に定義された一般式（Ｉ）の上に定義されたカルボシロキサンデンドリマー（Ｂ）とに、
これらを共重合に付すことによって付加することにより得ることができる。
【０２８０】
したがって、一実施形態によれば、本発明の組成物は、カルボシロキサンデンドリマーから誘導された少なくとも１種の単位を有するビニルポリマーを含み得、これは、上に定義されたビニルモノマー（Ｍ１）と、任意選択的に、上に定義されたビニルモノマー（Ｍ２）と、上に定義されたカルボシロキサンデンドリマー（Ｂ）とを共重合することにより得られる。前記ビニルポリマーのモノマー（Ｍ１）対モノマー（Ｍ２）の共重合比は、０．１〜１００：９９．９〜０質量％であり、モノマー（Ｍ１）および（Ｍ２）の総和対モノマー（Ｂ）の共重合比は０．１〜９９．９：９９．９〜０．１質量％である。
【０２８１】
フッ素化された有機基を分子内に含むビニルモノマー（Ｍ１）は、好ましくは、一般式：
（ＣＨ２）＝ＣＲ１５ＣＯＯＲｆ
によって表されるモノマーである。
【０２８２】
この式中、Ｒ１５は、水素原子またはメチル基であり、Ｒｆは、上述のフルオロアルキル基およびフルオロアルキルオキシフルオロアルキレン基で例示されるフッ素化された有機基である。以下に示す式によって表される化合物は、成分（Ｍ１）の具体例として示すものである。以下に示す式において、「ｚ」は１〜４の整数である。
ＣＨ２＝ＣＣＨ３ＣＯＯ−ＣＦ３、ＣＨ２＝ＣＣＨ３ＣＯＯ−Ｃ２Ｆ５、ＣＨ２＝ＣＣＨ３ＣＯＯ−ｎＣ３Ｆ７、
ＣＨ２＝ＣＣＨ３ＣＯＯ−ＣＦ（ＣＦ３）２、ＣＨ２＝ＣＣＨ３ＣＯＯ−ｎＣ４Ｆ９、
ＣＨ２＝ＣＣＨ３ＣＯＯ−ＣＦ（ＣＦ３）２、ＣＨ２＝ＣＣＨ３ＣＯＯ−ｎＣ５Ｆ１１、
ＣＨ２＝ＣＣＨ３ＣＯＯ−ｎＣ６Ｆ１３、ＣＨ２＝ＣＣＨ３ＣＯＯ−ｎＣ８Ｆ１７、ＣＨ２＝ＣＣＨ３ＣＯＯ−ＣＨ２ＣＦ３、
ＣＨ２＝ＣＣＨ３ＣＯＯ−ＣＨ（ＣＦ３）２、ＣＨ２＝ＣＣＨ３ＣＯＯ−ＣＨ２ＣＨ（ＣＦ３）２、
ＣＨ２＝ＣＣＨ３ＣＯＯ−ＣＨ２（ＣＦ２）２Ｆ、ＣＨ２＝ＣＣＨ３ＣＯＯ−ＣＨ２（ＣＦ２）２Ｆ、
ＣＨ２＝ＣＣＨ３ＣＯＯ−ＣＨ２（ＣＦ２）４Ｆ、ＣＨ２＝ＣＣＨ３ＣＯＯ−ＣＨ２（ＣＦ２）６Ｆ、
ＣＨ２＝ＣＣＨ３ＣＯＯ−ＣＨ２（ＣＦ２）８Ｆ、ＣＨ２＝ＣＣＨ３ＣＯＯ−ＣＨ２ＣＨ２ＣＦ３、
ＣＨ２＝ＣＣＨ３ＣＯＯ−ＣＨ２ＣＨ２（ＣＦ２）２Ｆ、ＣＨ２＝ＣＣＨ３ＣＯＯ−ＣＨ２ＣＨ２（ＣＦ２）３Ｆ、
ＣＨ２＝ＣＣＨ３ＣＯＯ−ＣＨ２ＣＨ２（ＣＦ２）４Ｆ、ＣＨ２＝ＣＣＨ３ＣＯＯ−ＣＨ２ＣＨ２（ＣＦ２）６Ｆ、
ＣＨ２＝ＣＣＨ３ＣＯＯ−ＣＨ２ＣＨ２（ＣＦ２）８Ｆ、ＣＨ２＝ＣＣＨ３ＣＯＯ−ＣＨ２ＣＨ２（ＣＦ２）１０Ｆ、
ＣＨ２＝ＣＣＨ３ＣＯＯ−ＣＨ２ＣＨ２（ＣＦ２）１２Ｆ、ＣＨ２＝ＣＣＨ３ＣＯＯ−ＣＨ２ＣＨ２（ＣＦ２）１４Ｆ、
ＣＨ２＝ＣＣＨ３ＣＯＯ−ＣＨ２−ＣＨ２−（ＣＦ２）１６Ｆ、ＣＨ２＝ＣＣＨ３ＣＯＯ−ＣＨ２ＣＨ２ＣＨ２ＣＦ３、
ＣＨ２＝ＣＣＨ３ＣＯＯ−ＣＨ２ＣＨ２ＣＨ２（ＣＦ２）２Ｆ、ＣＨ２＝ＣＣＨ３ＣＯＯ−ＣＨ２ＣＨ２ＣＨ２（ＣＦ２）２Ｈ、
ＣＨ２＝ＣＣＨ３ＣＯＯ−ＣＨ２（ＣＦ２）４Ｈ、ＣＨ２＝ＣＣＨ３ＣＯＯ−（ＣＦ２）３Ｈ、
ＣＨ２＝ＣＣＨ３ＣＯＯ−ＣＨ２ＣＨ２ＣＦ（ＣＦ３）−［ＯＣＦ２−ＣＦ（ＣＦ３）］ｚ−ＯＣ３Ｆ７、
ＣＨ２＝ＣＣＨ３ＣＯＯ−ＣＨ２ＣＨ２ＣＦ２ＣＦ２−［ＯＣＦ２−ＣＦ（ＣＦ３）］ｚ−ＯＣ３Ｆ７、
ＣＨ２＝ＣＨＣＯＯ−ＣＦ３、ＣＨ２＝ＣＨＣＯＯ−Ｃ２Ｆ５、ＣＨ２＝ＣＨＣＯＯ−ｎＣ３Ｆ７、
ＣＨ２＝ＣＨＣＯＯ−ＣＦ（ＣＦ３）２、ＣＨ２＝ＣＨＣＯＯ−ｎＣ４Ｆ９、ＣＨ２＝ＣＨＣＯＯ−ＣＦ２ＣＦ（ＣＦ３）２、
ＣＨ２＝ＣＨＣＯＯ−ｎＣ５Ｆ１１、ＣＨ２＝ＣＨＣＯＯ−ｎＣ６Ｆ１３、ＣＨ２＝ＣＨＣＯＯ−ｎＣ８Ｆ１７、
ＣＨ２＝ＣＨＣＯＯ−ＣＨ２ＣＦ３、ＣＨ２＝ＣＨＣＯＯ−ＣＨ（ＣＦ３）２、ＣＨ２＝ＣＨＣＯＯ−ＣＨ２ＣＨ（ＣＦ３）２、
ＣＨ２＝ＣＨＣＯＯ−ＣＨ２（ＣＦ２）２Ｆ、ＣＨ２＝ＣＨＣＯＯ−ＣＨ２（ＣＦ２）３Ｆ、
ＣＨ２＝ＣＨＣＯＯ−ＣＨ２（ＣＦ２）４Ｆ、ＣＨ２＝ＣＨＣＯＯ−ＣＨ２（ＣＦ２）６Ｆ、
ＣＨ２＝ＣＨＣＯＯ−ＣＨ２（ＣＦ２）８Ｆ、ＣＨ２＝ＣＨＣＯＯ−ＣＨ２ＣＨ２ＣＦ３、
ＣＨ２＝ＣＨＣＯＯ−ＣＨ２ＣＨ２（ＣＦ２）２Ｆ、ＣＨ２＝ＣＨＣＯＯ−ＣＨ２ＣＨ２（ＣＦ２）３Ｆ、
ＣＨ２＝ＣＨＣＯＯ−ＣＨ２ＣＨ２（ＣＦ２）４Ｆ、ＣＨ２＝ＣＨＣＯＯ−ＣＨ２ＣＨ２（ＣＦ２）６Ｆ、
ＣＨ２＝ＣＨＣＯＯ−ＣＨ２ＣＨ２（ＣＦ２）８Ｆ、ＣＨ２＝ＨＣＯＯ−ＣＨ２ＣＨ２（ＣＦ２）１０Ｆ、
ＣＨ２−ＣＨＣＯＯ−ＣＨ２ＣＨ２−（ＣＦ２）１２Ｆ、ＣＨ２＝ＣＨＣＯＯ−ＣＨ２ＣＨ２（ＣＦ２）１４Ｆ、
ＣＨ２＝ＣＨＣＯＯ−ＣＨ２ＣＨ２−（ＣＦ２）１６Ｆ、ＣＨ２＝ＣＨＣＯＯ−ＣＨ２ＣＨ２（ＣＦ２）３Ｆ、
ＣＨ２＝ＣＨＣＯＯ−ＣＨ２ＣＨ２ＣＨ２（ＣＦ２）２Ｆ、ＣＨ２＝ＣＨＣＯＯ−ＣＨ２ＣＨ２ＣＨ２（ＣＦ）２Ｈ、
ＣＨ２＝ＣＨＣＯＯ−ＣＨ２（ＣＦ２）４Ｈ、ＣＨ２＝ＣＨＣＯＯ−ＣＨ２ＣＨ２（ＣＦ２）３Ｈ、
ＣＨ２＝ＣＨＣＯＯ−ＣＨ２ＣＨ２ＣＦ（ＣＦ３）−、［ＯＣＦ２−ＣＦ（ＣＦ３）］Ｚ−ＯＣ３Ｆ７、
ＣＨ２＝ＣＨＣＯＯ−ＣＨ２ＣＨ２ＣＦ２ＣＦ２（ＣＦ３）−［ＯＣＦ２−ＣＦ（ＣＦ３）］２−ＯＣ３Ｆ７。
【０２８３】
これらの中でも、以下に示す式によって表されるビニルポリマーが好ましい：
ＣＨ２＝ＣＨＣＯＯ−ＣＨ２ＣＨ２（ＣＦ２）６Ｆ、ＣＨ２＝ＣＨＣＯＯ−ＣＨ２ＣＨ２（ＣＦ２）８Ｆ、
ＣＨ２＝ＣＣＨ３ＣＯＯ−ＣＨ２ＣＨ２（ＣＦ２）６Ｆ、ＣＨ２＝ＣＣＨ３ＣＯＯ−ＣＨ２ＣＨ２（ＣＦ２）８Ｆ、
ＣＨ２＝ＣＨＣＯＯ−ＣＨ２ＣＦ３、ＣＨ２＝ＣＣＨ３ＣＯＯ−ＣＨ２ＣＦ３。
【０２８４】
以下に示す式によって表されるビニルポリマーが特に好ましい：
ＣＨ２＝ＣＨＣＯＯ−ＣＨ２ＣＦ３、ＣＨ２＝ＣＣＨＣＯＯ−ＣＨ２ＣＦ３。
【０２８５】
分子内にフッ素化された有機基を含まないビニルモノマー（Ｍ２）は、放射状に重合可能なビニル基を有する任意のモノマーであり得、例えば次に示すものが例示される：アクリル酸メチル、メタクリル酸メチル、アクリル酸エチル、メタクリル酸エチル、アクリル酸ｎ−プロピル、メタクリル酸ｎ−プロピル、アクリル酸イソプロピル、メタクリル酸イソプロピルおよび他のアクリル酸またはメタクリル酸低級アルキルエステル；アクリル酸グリシジル、メタクリル酸グリシジル；アクリル酸ｎ−ブチル、メタクリル酸ｎ−ブチル、アクリル酸イソブチル、メタクリル酸イソブチル、アクリル酸ｔｅｒｔ−ブチル、メタクリル酸ｔｅｒｔ−ブチル、アクリル酸ｎ−ヘキシル、メタクリル酸ｎ−ヘキシル、アクリル酸シクロヘキシル、メタクリル酸シクロヘキシル、アクリル酸２−エチルヘキシル、メタクリル酸２−エチルヘキシル、アクリル酸オクチル、メタクリル酸オクチル、アクリル酸ラウリル、メタクリル酸ラウリル、アクリル酸ステアリル、メタクリル酸ステアリルおよび他の高級アクリル酸エステルおよびメタクリル酸エステル；酢酸ビニル、プロピオン酸ビニルおよび他の低級脂肪酸ビニルエステル；酪酸ビニル、カプロン酸ビニル、２−エチルヘキサン酸ビニル、ラウリン酸ビニル、ステアリン酸ビニルおよび他の高級脂肪酸エステル；スチレン、ビニルトルエン、アクリル酸ベンジル、メタクリル酸ベンジル、アクリル酸フェノキシエチル、メタクリル酸フェノキシエチル、ビニルピロリドンおよび他のビニル芳香族モノマー；アクリル酸ジメチルアミノエチル、メタクリル酸ジメチルアミノエチル、アクリル酸ジエチルアミノエチル、メタクリル酸ジエチルアミノエチルおよび他のアミノビニルモノマー、アクリルアミド、メタクリルアミド、Ｎ−メチロールアクリルアミド、Ｎ−メチロールメタクリルアミド、Ｎ−メトキシメチルアクリルアミド、Ｎ−メトキシメチルメタクリルアミド、イソブトキシメトキシアクリルアミド、イソブトキシメトキシメタクリルアミド、Ｎ，Ｎ−ジメチルアクリルアミド、Ｎ，Ｎ−ジメチルメタクリルアミドおよび他のビニルアミドモノマー；アクリル酸ヒドロキシエチル、メタクリル酸ヒドロキシエチル、アクリル酸ヒドロキシプロピルアルコール、メタクリル酸ヒドロキシプロピルアルコールおよび他のヒドロキシビニルモノマー；アクリル酸、メタクリル酸、イタコン酸、クロトン酸、フマル酸、マレイン酸および他のビニルカルボン酸モノマー；アクリル酸テトラヒドロフルフリル、メタクリル酸テトラヒドロフルフリル、アクリル酸ブトキシエチル、メタクリル酸ブトキシエチル、エトキシジエチレングリコールアクリレート、エトキシジエチレングリコールメタクリレート、ポリエチレングリコールアクリレート、ポリエチレングリコールメタクリレート、ポリプロピレングリコールモノアクリレート、ポリプロピレングリコールモノメタクリレート、ヒドロキシブチルビニルエーテル、セチルビニルエーテル、２−エチルヘキシルビニルエーテルおよび他のエーテル結合を有するビニルモノマー；アクリロイルオキシプロピルトリメトキシシラン、メタクリロイルオキシプロピルトリメトキシシラン、一方の末端にアクリロイル基またはメタクリロイル基を含むポリジメチルシロキサン、一方の末端にアルケニルアリール基を含むポリジメチルシロキサンおよび不飽和基を有する他のシリコーン化合物；ブタジエン；塩化ビニル；塩化ビニリデン、アクリロニトリル、メタクリロニトリル；フマル酸ジブチル；無水マレイン酸；ドデシルコハク酸無水物；アクリルグリシジルエーテル、メタクリルグリシジルエーテル、３，４−エポキシシクロヘキシルメチルアクリレート、３，４−エポキシシクロヘキシルメチルメタクリレート、アクリル酸、メタクリル酸、イタコン酸、クロトン酸、フマル酸、マレイン酸および他の放射状に重合可能な不飽和カルボン酸のアルカリ金属塩、アンモニウム塩および有機アミン塩、スルホン酸基を含む放射状に重合可能な不飽和モノマー（スチレンスルホン酸等）に加えてこれらのアルカリ金属塩、これらのアンモニウム塩およびこれらの有機アミン塩；アクリル酸またはメタクリル酸から生成する第四級アンモニウム塩（２−ヒドロキシ−３−メタクリロイルオキシプロピルトリメチルアンモニウムクロリド等）、第三級アミンアルコールのメタクリル酸エステル（メタクリル酸のジエチルアミンエステル等）およびこれらの第四級アンモニウム塩。
【０２８６】
さらに、ビニルモノマー（Ｍ２）として、多官能性ビニルモノマーを使用することも可能であり、例えば次に示すものが例示される：トリメチロールプロパントリアクリレート、トリメチロールプロパントリメタクリレート、ペンタエリスリチルトリアクリレート、ペンタエリスリチルトリメタクリレート、エチレングリコールジアクリレート、エチレングリコールジメタクリレート、テトラエチレングリコールジアクリレート、テトラエチレングリコールジメタクリレート、ポリエチレングリコールジアクリレート、ポリエチレングリコールジメタクリレート、１，４−ブタンジオールジアクリレート、１，４−ブタンジオールジメタクリレート、１，６−ヘキサンジオールジアクリレート、１，６−ヘキサンジオールジメタクリレート、ネオペンチルグリコールジアクリレート、ネオペンチルグリコールジメタクリレート、エトキシ化トリメチロールプロパントリアクリレート、エトキシ化トリメチロールプロパントリメタクリレート、イソシアヌル酸トリス（２−ヒドロキシエチル）ジアクリル酸エステル、イソシアヌル酸トリス（２−ヒドロキシエチル）ジメタクリル酸エステル、イソシアヌル酸トリス（２−ヒドロキシエチル）トリアクリル酸エステル、イソシアヌル酸トリス（２−ヒドロキシエチル）トリメタクリル酸エステル、分子鎖の２つの末端がアルケニルアリール基で封止されているポリジメチルシロキサン、および不飽和基を有する他のシリコーン化合物。
【０２８７】
（Ｍ１）および（Ｍ２）を共重合する際の上述の比率に関し、（Ｍ１）対（Ｍ２）の質量比は、好ましくは１：９９〜１００：０の範囲である。
【０２８８】
Ｙは、例えば、アクリル基またはメタクリル基を有する有機基、２〜１０個の炭素原子を有するアルケニルアリール基、またはアルケニル基を有する有機基から選択することができる。
【０２８９】
アクリル基またはメタクリル基を有する有機基、およびアルケニルアリール基を有する有機基は、上に定義された通りである。
【０２９０】
化合物（Ｂ）の中でも、例えば次に示す化合物：
【化２２】
2019509869.tif 000024
を挙げることができる。
【０２９１】
カルボシロキサンデンドリマー（Ｂ）は、欧州特許出願公開第１０５５６７４号明細書に記載されている分岐シロキサン／シルアルキレンコポリマーを調製するための方法を用いて調製することができる。
【０２９２】
例えば、これらは、有機アルケニルシリコーン化合物および上に定義された式（ＩＶ）によって表されるケイ素に結合した水素原子を含むシリコーン化合物をヒドロシリル化反応に付すことによって調製することができる。
【０２９３】
モノマー（Ｂ）対モノマー（Ｍ１）および（Ｍ２）の共重合比（質量による）は、好ましくは、１：９９〜９９：１の範囲であり、さらに好ましくは５：９５〜９５：５の範囲である。
【０２９４】
成分（Ｍ２）中に含まれる、アミノ基を含むビニルモノマー（アクリル酸ジメチルアミノエチル、メタクリル酸ジメチルアミノエチル、アクリル酸ジエチルアミノエチル、メタクリル酸ジエチルアミノエチル等）を用いてアミノ基をビニルポリマーの側鎖に導入することができ、続いてモノクロロ酢酸カリウム、モノクロロ酢酸アンモニウム、モノクロロ酢酸のアミノメチルプロパノール塩、モノブロモ酢酸のトリエタノールアミン塩、モノクロロプロピオン酸ナトリウム、および他のハロゲン化脂肪酸のアルカリ金属塩で変性するか、他に成分（Ｍ２）中に含まれる、カルボン酸を含むビニルモノマー（アクリル酸、メタクリル酸、イタコン酸、クロトン酸、フマル酸、マレイン酸等）を用いてカルボン酸基をビニルポリマーの側鎖に導入することができ、続いて生成物をトリエチルアミン、ジエチルアミン、トリエタノールアミンおよび他のアミンで中和する。
【０２９５】
フッ素化されたビニルポリマーとして、国際公開第０３／０４５３３７号パンフレットの実施例に記載されているポリマーの１種を用いることができる。
【０２９６】
好ましい実施形態によれば、本発明の意味におけるグラフトされたビニルポリマーは、好ましくは揮発性の特にシリコーン油および炭化水素系油およびこれらの混合物から選択される油または油の混合物中に保持することができる。
【０２９７】
特定の実施形態によれば、本発明に使用するのに好適なシリコーン油はシクロペンタシロキサンであり得る。
【０２９８】
他の特定の実施形態によれば、本発明に使用するのに好適な炭化水素系油はイソドデカンであり得る。
【０２９９】
本発明に特に好適であり得る少なくとも１種のカルボシロキサンデンドリマー系単位をグラフトしたビニルポリマーは、ＩＮＣＩ名が（アクリレーツ／メタクリル酸ポリトリメチルシロキシ）コポリマーであるポリマーであり、特にＤｏｗ  Ｃｏｒｎｉｎｇ社からＦＡ  ４００２  ＩＤ  Ｓｉｌｉｃｏｎｅ  ＡｃｒｙｌａｔｅおよびＦＡ  ４００１  ＣＭ  Ｓｉｌｉｃｏｎｅ  Ａｃｒｙｌａｔｅの名称で販売されている。
【０３００】
一実施形態によれば、本発明による組成物は、少なくとも１種のカルボシロキサンデンドリマー系単位を有するビニルポリマーを、前記組成物の質量に対して活性物質含有量が０．５質量％〜２０質量％、特に１質量％〜１５質量％、より詳細には１．５質量％〜１０質量％、好ましくは３％〜５質量％となるように含む。
【０３０１】
界面活性剤
本発明の特定の実施形態によれば、組成物は少なくとも１種の界面活性剤を含む。
【０３０２】
界面活性剤または界面活性剤の混合物は、組成物の質量に対して０．０５質量％〜２０質量％、好ましくは０．５質量％〜１０質量％で存在することができる。
【０３０３】
より詳細には、好適な界面活性剤は、非イオン性、アニオン性、カチオン性および両性界面活性剤ならびにこれらの混合物から選択することができる。
【０３０４】
これらの界面活性剤を選択することを目的として、界面活性剤の特性および機能（乳化）を明確にするために、文献“Ｅｎｃｙｃｌｏｐｅｄｉａ  ｏｆ  Ｃｈｅｍｉｃａｌ  Ｔｅｃｈｎｏｌｏｇｙ，Ｋｉｒｋ−Ｏｔｈｍｅｒ”，ｖｏｌｕｍｅ  ２２，ｐｐ．３３３−４３２，３ｒｄ  ｅｄｉｔｉｏｎ，１９７９，Ｗｉｌｅｙ、特にこの参考文献のアニオン性および非イオン性界面活性剤に関するｐｐ．３４７−３７７を参照することができる。
【０３０５】
順相エマルジョン（水中油型；Ｏ／Ｗ）の生成を促進する界面活性剤
水中油型エマルジョンの生成を促進するのに好適な界面活性剤の中でも、次に示す化合物を挙げることができる。
【０３０６】
非イオン性界面活性剤
特に、Ｇｒｉｆｆｉｎの概念による２５℃でのＨＬＢ（親水親油バランス）が８以上である少なくとも１種の乳化性界面活性剤を使用することができる。ＧｒｉｆｆｉｎによるＨＬＢ値は、Ｊ．Ｓｏｃ．Ｃｏｓｍ．Ｃｈｅｍ．１９５４（ｖｏｌｕｍｅ  ５），ｐａｇｅｓ２４９−２５６に定義されている。
【０３０７】
任意選択的に、２５℃におけるＧｒｉｆｆｉｎの概念によるＨＬＢバランス（親水親油バランス）が８未満である乳化性界面活性剤も使用することができる。
【０３０８】
非イオン性界面活性剤は、特にポリ（エチレンオキシド）のアルキルおよびポリアルキルエステル、オキシアルキレン化アルコール、ポリ（エチレンオキシド）のアルキルおよびポリアルキルエーテル、任意選択的にポリオキシエチレン化されている、ソルビタンのアルキルおよびポリアルキルエステル、任意選択的にポリオキシエチレン化されている、ソルビタンのアルキルおよびポリアルキルエーテル、アルキルおよびポリアルキルグリコシドまたはアルキルおよびポリアルキルポリグリコシド、特にアルキルおよびポリアルキルグルコシドまたはアルキルおよびポリアルキルポリグルコシド、ショ糖のアルキルおよびポリアルキルエステル、任意選択的にポリオキシエチレン化されている、グリセロールのアルキルおよびポリアルキルエステル、任意選択的にポリオキシエチレン化されている、グリセロールのアルキルおよびポリアルキルエーテルならびにこれらの混合物から選択することができる。
【０３０９】
１）好ましく使用されるポリ（エチレンオキシド）のアルキルおよびポリアルキルエステルは、エチレンオキシド（ＥＯ）単位数が２〜２００の範囲であるものである。その例として、ステアリン酸エステル４０ＥＯ付加物、ステアリン酸エステル５０ＥＯ付加物、ステアリン酸エステル１００ＥＯ付加物、ラウリン酸エステル２０ＥＯ付加物、ラウリン酸エステル４０ＥＯ付加物およびジステアリン酸エステル１５０ＥＯ付加物を挙げることができる。
【０３１０】
２）好ましく使用されるポリ（エチレンオキシド）のアルキルおよびポリアルキルエーテルは、エチレンオキシド（ＥＯ）単位数が２〜２００の範囲であるものである。その例として、セチルエーテル２３ＥＯ付加物、オレイルエーテル５０ＥＯ付加物、フィトステロール３０ＥＯ付加物およびステアレス４０、ステアレス１００およびベヘネス１００を挙げることができる。
【０３１１】
３）好ましく使用されるオキシアルキレン化、特にオキシエチレン化および／またはオキシプロピレン化されたアルコールは、１〜１５０個のオキシエチレン単位および／またはオキシプロピレン単位を含み得るもの、特に２０〜１００個のオキシエチレン単位を含むもの、特にエトキシ化脂肪族アルコール、特にＣ８〜Ｃ２４、好ましくはＣ１２〜Ｃ１８、例えば２０個のオキシエチレン単位でエトキシ化されたステアリルアルコール（ＣＴＦＡ名：ステアレス−２０）、例えばＵｎｉｑｅｍａ社から販売されているＢｒｉｊ  ７８、３０個のオキシエチレン単位でエトキシ化されたセテアリルアルコール（ＣＴＦＡ名：セテアレス−３０）、および７個のオキシエチレン単位を含むＣ１２〜Ｃ１５脂肪族アルコールの混合物（ＣＴＦＡ名：（Ｃ１２−Ｃ１５）パレス−７）、例えばＳｈｅｌｌ  ＣｈｅｍｉｃａｌｓからＮｅｏｄｏｌ  ２５−７（登録商標）の名称で販売されている製品；または特に１〜１５個のオキシエチレン単位および／またはオキシプロピレン単位を含むオキシアルキレン化（オキシエチレン化および／またはオキシプロピレン化）されたアルコール、特にエトキシ化されたＣ８〜Ｃ２４、好ましくはＣ１２〜Ｃ１８脂肪族アルコール、例えば２個のオキシエチレン単位でエトキシ化されたステアリルアルコール（ＣＴＦＡ名：ステアレス−２）、例えばＵｎｉｑｅｍａ社から販売されているＢｒｉｊ  ７２である。
【０３１２】
４）好ましく使用される、任意選択的にポリオキシエチレン化されている、ソルビタンのアルキルおよびポリアルキルエステルは、エチレンオキシド（ＥＯ）単位の数が０〜１００の範囲であるものである。その例として、ラウリン酸ソルビタン４または２０ＥＯ付加物、特にポリソルベート２０（またはポリオキシエチレン（２０）ソルビタンモノラウレート）、例えばＵｎｉｑｅｍａ社から販売されている製品であるＴｗｅｅｎ  ２０、パルミチン酸ソルビタン２０ＥＯ付加物、ステアリン酸ソルビタン２０ＥＯ付加物、オレイン酸ソルビタン２０ＥＯ付加物、またはＢＡＳＦからの製品であるＣｒｅｍｏｐｈｏｒ（ＲＨ４０、ＲＨ６０等）を挙げることができる。
【０３１３】
５）好ましく使用される、任意選択的にポリオキシエチレン化されている、ソルビタンのアルキルおよびポリアルキルエーテルは、エチレンオキシド（ＥＯ）単位の数が０〜１００の範囲であるものである。
【０３１４】
６）好ましく使用されるアルキルおよびポリアルキルグルコシドまたはアルキルおよびポリアルキルポリグルコシドは、６〜３０個の炭素原子、好ましくは６〜１８個、さらに好ましくは８〜１６個の炭素原子を含むアルキル基を含み、かつ好ましくは１〜５個、特に１、２または３個のグルコシド単位を含むグルコシド基を含むものである。アルキルポリグルコシドは、例えば、デシルグルコシド（Ｃ９／Ｃ１１アルキルポリグルコシド（１．４））、例えばマイドール１０（登録商標）の名称でＫａｏ  Ｃｈｅｍｉｃａｌｓから販売されている製品またはＨｅｎｋｅｌ社からＰｌａｎｔａｃａｒｅ  ２０００ＵＰ（登録商標）の名称で販売されている製品およびＳＥＰＰＩＣ社からＯｒａｍｉｘ  ＮＳ  １０（登録商標）の名称で販売されている製品；（カプリリル／カプリル）グルコシド、例えばＣｏｇｎｉｓ社からＰｌａｎｔａｃａｒｅ  ＫＥ３７１１（登録商標）の名称で販売されている製品またはＳＥＰＰＩＣ社からＯｒａｍｉｘ  ＣＧ  １１０（登録商標）の名称で販売されている製品；ラウリルグルコシド、例えばＨｅｎｋｅｌ社からＰｌａｎｔａｃａｒｅ  １２００ＵＰ（登録商標）の名称で販売されている製品またはＨｅｎｋｅｌ社からＰｌａｎｔａｒｅｎ  １２００Ｎ（登録商標）の名称で販売されている製品；ヤシ油アルキルグルコシド、例えばＨｅｎｋｅｌ社からＰｌａｎｔａｃａｒｅ  ８１８  ＵＰ（登録商標）の名称で販売されている製品；カプリリルグルコシド、例えばＣｏｇｎｉｓ社からＰｌａｎｔａｃａｒｅ  ８１０  ＵＰ（登録商標）の名称で販売されている製品；ならびにこれらの混合物から選択することができる。より一般的には、アルキルポリグリコシド型の界面活性剤は、後述するようにより具体的に定義される。
【０３１５】
７）ショ糖のアルキルおよびポリアルキルエステルの例としては、Ｃｒｏｄｅｓｔａ  Ｆ１５０、Ｃｒｏｄｅｓｔａ  ＳＬ４０の名称で販売されているショ糖モノラウリン酸エステル、およびＲｙｏｔｏ  Ｓｕｇａｒ  Ｅｓｔｅｒから販売されている製品、例えばリョートーシュガーエステルＰ１６７０、リョートーシュガーエステルＬＷＡ  １６９５またはリョートーシュガーエステル０１５７０の名称で販売されているショ糖パルミチン酸エステルを挙げることができる。
【０３１６】
８）好ましく使用される、任意選択的にポリオキシエチレン化されている、グリセロールのアルキルおよびポリアルキルエステルは、エチレンオキシド（ＥＯ）単位の数が０〜１００の範囲であり、かつグリセロール単位の数が１〜３０の範囲であるものである。その例として、モノラウリン酸ヘキサグリセリルおよびステアリン酸ＰＥＧ−３０グリセリルを挙げることができる。
【０３１７】
９）好ましく使用される、任意選択的にポリオキシエチレン化されている、グリセロールのアルキルおよびポリアルキルエーテルとしては、エチレンオキシド（ＥＯ）単位の数が０〜１００の範囲であり、かつグリセロール単位の数が１〜３０の範囲であるものである。その例として、Ｎｉｋｋｏｌ  Ｂａｔｙｌ  Ａｌｃｏｈｏｌ  １００およびＮｉｋｋｏｌ  Ｃｈｉｍｙｌ  Ａｌｃｏｈｏｌ  １００を挙げることができる。
【０３１８】
アニオン性界面活性剤
アニオン性界面活性剤は、アルキルエーテル硫酸塩、カルボン酸塩、アミノ酸誘導体、スルホン酸塩、イセチオン酸塩、タウリン塩、スルホコハク酸塩、アルキルスルホ酢酸塩、リン酸塩およびアルキルリン酸塩、ポリペプチド、Ｃ１０〜Ｃ３０、特にＣ１２〜Ｃ２０脂肪酸の金属塩、特にステアリン酸金属塩およびこれらの混合物から選択することができる。
【０３１９】
１）アルキルエーテル硫酸塩の例として、ラウリルエーテル硫酸ナトリウム（７０／３０  Ｃ１２〜Ｃ１４）（２．２ＥＯ）（Ｈｅｎｋｅｌ社からＳｉｐｏｎ  ＡＯＳ２２５またはＴｅｘａｐｏｎ  Ｎ７０２の名称で販売）、ラウリルエーテル硫酸アンモニウム（７０／３０  Ｃ１２〜Ｃ１４）（３ＥＯ）（Ｈｅｎｋｅｌ社からＳｉｐｏｎ  ＬＥＡ  ３７０の名称で販売）、（Ｃ１２〜Ｃ１４）アルキルエーテル（９ＥＯ）硫酸アンモニウム（Ｒｈｏｄｉａ  Ｃｈｉｍｉｅ社からＲｈｏｄａｐｅｘ  ＡＢ／２０の名称で販売）およびラウリル／オレイルエーテル硫酸ナトリウム／マグネシウム混合物（Ｅｍｐｉｃｏｌ  ＢＳＤ  ５２の名称でＡｌｂｒｉｇｈｔ＆Ｗｉｌｓｏｎ社から販売）を挙げることができる。
【０３２０】
２）カルボン酸塩の例としては、Ｎ−アシルアミノ酸の塩（例えば、アルカリ金属塩）、グリコールカルボン酸塩、アミドエーテルカルボン酸塩（ＡＥＣ）およびポリオキシエチレン化カルボン酸塩を挙げることができる。
【０３２１】
グリコールカルボン酸塩型の界面活性剤は、アルキルグリコールカルボン酸または２−（２−ヒドロキシアルキルオキシ酢酸）、これらの塩およびこれらの混合物から選択することができる。これらのアルキルグリコールカルボン酸は、８〜１８個の炭素原子を含む直鎖または分岐の飽和または不飽和の脂肪族および／または芳香族アルキル鎖を含む。これらのカルボン酸は、水酸化カリウムまたは水酸化ナトリウム等の無機塩基で中和され得る。
【０３２２】
グリコールカルボン酸型界面活性剤の例として、ラウリルグリコールカルボン酸ナトリウムまたは２−（２−ヒドロキシアルキルオキシ酢酸）ナトリウム、例えばＢｅａｕｌｉｇｈｔ  Ｓｈａａ（登録商標）、Ｂｅａｕｌｉｇｈｔ  ＬＣＡ−２５Ｎ（登録商標）または対応する酸形態であるＢｅａｕｌｉｇｈｔ  Ｓｈａａ（Ａｃｉｄ  ｆｏｒｍ）（登録商標）の名称でＳａｎｙｏから販売されている製品を挙げることができる。
【０３２３】
アミドエーテルカルボン酸塩（ＡＥＣ）の例として、ラウリルアミドエーテルカルボン酸ナトリウム（３ＥＯ）（Ａｋｙｐｏ  Ｆｏａｍ  ３０（登録商標）の名称でＫａｏ  Ｃｈｅｍｉｃａｌｓから販売）を挙げることができる。
【０３２４】
ポリオキシエチレン化カルボン酸塩の例として、オキシエチレン化された（６ＥＯ）ラウリルエーテルカルボン酸ナトリウム（６５／２５／１０  Ｃ１２〜１４〜１６）（Ａｋｙｐｏ  Ｓｏｆｔ  ４５  ＮＶ（登録商標）の名称でＫａｏ  Ｃｈｅｍｉｃａｌｓから販売）、ポリオキシエチレン化およびカルボキシメチル化されたオリーブ油由来脂肪酸（Ｏｌｉｖｅｍ  ４００（登録商標）の名称でＢｉｏｌｏｇｉａ  ｅ  Ｔｅｃｎｏｌｏｇｉａ社から販売）ならびにオキシエチレン化された（６ＥＯ）トリデシルエーテルカルボン酸ナトリウム（Ｎｉｋｋｏｌ  ＥＣＴＤ−６ＮＥＸ（登録商標）の名称でＮｉｋｋｏｌ社から販売）を挙げることができる。
【０３２５】
３）アミノ酸誘導体として、特にアミノ酸のアルカリ金属塩、例えば次に示すものを挙げることができる：
・サルコシン塩、例えばラウロイルサルコシンナトリウム（Ｓａｒｋｏｓｙｌ  ＮＬ  ９７（登録商標）の名称でＣｉｂａ社から販売、またはＯｒａｍｉｘ  Ｌ３０（登録商標）の名称でＳＥＰＰＩＣ社から販売）、ミリストイルサルコシンナトリウム（Ｎｉｋｋｏｌ  Ｓａｒｃｏｓｉｎａｔｅ  ＭＮ（登録商標）の名称でＮｉｋｋｏｌ社から販売）およびパルミトイルサルコシンナトリウム（Ｎｉｋｋｏｌ  Ｓａｒｃｏｓｉｎａｔｅ  ＰＮ（登録商標）の名称でＮｉｋｋｏｌ社から販売）、
・アラニン塩、例えばＮ−ラウロイルＮ−メチルアミドプロピオン酸ナトリウム（Ｓｏｄｉｕｍ  Ｎｉｋｋｏｌ  Ａｌａｎｉｎａｔｅ  ＬＮ  ３０（登録商標）の名称でＮｉｋｋｏｌ社から販売、またはＡｌａｎｏｎｅ  ＡＬＥ（登録商標）の名称でＫａｗａｋｅｎから販売）およびトリエタノールアミンＮ−ラウロイルＮ−メチルアラニン（Ａｌａｎｏｎｅ  Ａｌｔａ（登録商標）の名称でＫａｗａｋｅｎから販売）；
・グルタミン酸エステル、例えばモノココイルグルタミン酸トリエタノールアミン（Ａｃｙｌｇｌｕｔａｍａｔｅ  ＣＴ−１２（登録商標）の名称でＡｊｉｎｏｍｏｔｏから販売）またはラウロイルグルタミン酸トリエタノールアミン（Ａｃｙｌｇｌｕｔａｍａｔｅ  ＬＴ−１２（登録商標）の名称でＡｊｉｎｏｍｏｔｏから販売）。グルタミン酸塩および／または誘導体については後により具体的に説明する。
・アスパラギン酸エステル、例えばＮ−ラウロイルアスパラギン酸トリエタノールアミンおよびＮ−ミリストイルアスパラギン酸トリエタノールアミンの混合物（Ａｓｐａｒａｃｋ（登録商標）の名称でＭｉｔｓｕｂｉｓｈｉ社から販売）、
・グリシン誘導体（グリシン塩）、例えばＮ−ココイルグリシンナトリウム（アミライト（Ａｍｉｌｉｔｅ）ＧＣＳ−１２（登録商標）およびアミライト（Ａｍｉｌｉｔｅ）ＧＣＫ  １２の名称でＡｊｉｎｏｍｏｔｏから販売）、
・クエン酸エステル、例えばオキシエチレン化（９モル）されたヤシ油アルコールのクエン酸モノエステル（Ｗｉｔｃｏｎｏｌ  ＥＣ  １１２９の名称でＧｏｌｄｓｃｈｍｉｄｔ社から販売）、
・ガラクツロン酸塩、例えばドデシル−Ｄ−ガラクトシドウロン酸ナトリウム（Ｓｏｌｉａｎｃｅ社から販売）。
【０３２６】
４）スルホン酸塩の例として、アルファ−オレフィンスルホン酸塩、例えばアルファ−オレフィンスルホン酸ナトリウム（Ｃ１４〜１６）（Ｂｉｏ−Ｔｅｒｇｅ  ＡＳ−４０（登録商標）の名称でＳｔｅｐａｎ社から販売、Ｗｉｔｃｏｎａｔｅ  ＡＯＳ  Ｐｒｏｔｅｇｅ（登録商標）およびＳｕｌｆｒａｍｉｎｅ  ＡＯＳ  ＰＨ  １２（登録商標）の名称でＷｉｔｃｏ社から販売、またはＢｉｏ−Ｔｅｒｇｅ  ＡＳ−４０  ＣＧ（登録商標）の名称でＳｔｅｐａｎ社から販売）および第二級オレフィンスルホン酸ナトリウム（Ｈｏｓｔａｐｕｒ  ＳＡＳ  ３０（登録商標）の名称でＣｌａｒｉａｎｔ社から販売）を挙げることができる。
【０３２７】
５）イセチオン酸塩として、アシルイセチオン酸塩、例えばココイルイセチオン酸ナトリウム（Ｊｏｒｄａｐｏｎ  ＣＩ  Ｐ（登録商標）の名称でＪｏｒｄａｎ社から販売されている製品等）を挙げることができる。
【０３２８】
６）タウリン塩として、パーム核油脂肪酸アシルメチルタウリンのナトリウム塩（Ｈｏｓｔａｐｏｎ  ＣＴ  Ｐａｔｅ（登録商標）の名称でＣｌａｒｉａｎｔ社から販売）；Ｎ−アシルＮ−メチルタウリン塩、例えばＮ−ココイルＮ−メチルタウリンナトリウム（Ｈｏｓｔａｐｏｎ  ＬＴ−ＳＦ（登録商標）の名称でＣｌａｒｉａｎｔ社から販売、またはＮｉｋｋｏｌ  ＣＭＴ−３０−Ｔ（登録商標）の名称でＮｉｋｋｏｌ社から販売）およびパルミトイルメチルタウリンナトリウム（Ｎｉｋｋｏｌ  ＰＭＴ（登録商標）の名称でＮｉｋｋｏｌ社から販売）を挙げることができる。
【０３２９】
７）スルホコハク酸塩の例として、オキシエチレン化（３ＥＯ）されたラウリルアルコールモノスルホコハク酸塩（７０／３０  Ｃ１２／Ｃ１４）（Ｓｅｔａｃｉｎ  １０３  Ｓｐｅｃｉａｌ（登録商標）およびＲｅｗｏｐｏｌ  ＳＢ−ＦＡ  ３０  Ｋ  ４（登録商標）の名称でＷｉｔｃｏ社から販売）、Ｃ１２〜Ｃ１４アルコールヘミスルホコハク酸二ナトリウム塩（Ｓｅｔａｃｉｎ  Ｆ  Ｓｐｅｃｉａｌ  Ｐａｓｔｅ（登録商標）の名称でＺｓｃｈｉｍｍｅｒ  Ｓｃｈｗａｒｚ社から販売）、オキシエチレン化（２ＥＯ）されたオレアミドスルホコハク酸二ナトリウム（Ｓｔａｎｄａｐｏｌ  ＳＨ  １３５（登録商標）の名称でＨｅｎｋｅｌ社から販売）、オキシエチレン化（５ＥＯ）されたラウリルアミドモノスルホコハク酸塩（Ｌｅｂｏｎ  Ａ−５０００（登録商標）の名称でＳａｎｙｏ社から販売）、オキシエチレン化（１０ＥＯ）されたラウリルクエン酸モノスルホコハク酸二ナトリウム塩（Ｒｅｗｏｐｏｌ  ＳＢ  ＣＳ  ５０（登録商標）の名称でＷｉｔｃｏ社から販売）およびリシノレイン酸モノエタノールアミドモノスルホコハク酸エステル塩（Ｒｅｗｏｄｅｒｍ  Ｓ  １３３３（登録商標）の名称でＷｉｔｃｏ社から販売）を挙げることができる。ポリジメチルシロキサンスルホコハク酸塩、例えばＰＥＧ−１２ジメチコンスルホコハク酸二ナトリウム（Ｍａｃｋａｎａｔｅ−ＤＣ３０の名称でＭａｃＩｎｔｙｒｅ社から販売）も使用することもできる。
【０３３０】
８）アルキルスルホ酢酸塩の例として、ラウリルスルホ酢酸ナトリウムおよびラウリルエーテルスルホコハク酸塩二ナトリウム塩の混合物（Ｓｔｅｐａｎ−Ｍｉｌｄ  ＬＳＢの名称でＳｔｅｐａｎ社から販売）を挙げることができる。
【０３３１】
９）リン酸エステルおよびアルキルリン酸エステルの例として、モノアルキルリン酸エステルおよびジアルキルリン酸エステル、例えばラウリルモノリン酸（ＭＡＰ  ２０（登録商標）の名称でＫａｏ  Ｃｈｅｍｉｃａｌｓから販売）、リン酸ドデシルモノエステルおよびジエステルの混合物（主にジエステル）のカリウム塩（Ｃｒａｆｏｌ  ＡＰ−３１（登録商標）の名称でＣｏｇｎｉｓ社から販売）、オクチルリン酸モノエステルおよびジエステルの混合物（Ｃｒａｆｏｌ  ＡＰ−２０（登録商標）の名称でＣｏｇｎｉｓ社から販売）、エトキシ化（７モルＥＯ）された２−ブチルオクタノールのリン酸モノエステルおよびジエステルの混合物（Ｉｓｏｆｏｌ  １２  ７  ＥＯ−Ｐｈｏｓｐｈａｔｅ  Ｅｓｔｅｒ（登録商標）の名称でＣｏｎｄｅａ社から販売）、モノ（Ｃ１２〜Ｃ１３）アルキルリン酸エステルのカリウム塩またはトリエタノールアミン塩（Ａｒｌａｔｏｎｅ  ＭＡＰ  ２３０Ｋ−４０（登録商標）およびＡｒｌａｔｏｎｅ  ＭＡＰ  ２３０Ｔ−６０（登録商標）の商品記号でＵｎｉｑｅｍａ社から販売）、ラウリルリン酸カリウム（Ｄｅｒｍａｌｃａｒｅ  ＭＡＰ  ＸＣ−９９／０９（登録商標）の名称でＲｈｏｄｉａ  Ｃｈｉｍｉｅ社から販売）、セチルリン酸カリウム（Ａｒｌａｔｏｎｅ  ＭＡＰ  １６０Ｋの名称でＵｎｉｑｅｍａ社から販売）を挙げることができる。
【０３３２】
１０）ポリペプチドは、例えば、穀類、特に小麦およびオート麦由来のアミノ酸上に脂肪族鎖を縮合させることにより得られる。ポリペプチドの例として、ラウロイル加水分解コムギタンパクのカリウム塩（Ａｍｉｎｏｆｏａｍ  Ｗ  ＯＲの名称でＣｒｏｄａ社から販売）、ココイル加水分解ダイズタンパクのトリエタノールアミン塩（Ｍａｙ−Ｔｅｉｎ  ＳＹの名称でＭａｙｂｒｏｏｋ社から販売）、ラウロイルオーツアミノ酸のナトリウム塩（Ｐｒｏｔｅｏｌ  Ｏａｔの名称でＳＥＰＰＩＣ社から販売）、ヤシ油脂肪酸上にグラフトしたコラーゲン加水分解物（Ｇｅｌｉｄｅｒｍ  ３０００の名称でＤｅｕｔｓｃｈｅ  Ｇｅｌａｔｉｎｅ社から販売）および水添ヤシ油脂肪酸でアシル化されたダイズタンパク（Ｐｒｏｔｅｏｌ  ＶＳ  ２２の名称でＳＥＰＰＩＣ社から販売）を挙げることができる。
【０３３３】
１１）Ｃ１０〜Ｃ３０、特にＣ１２〜Ｃ２０脂肪酸の金属塩として、特にステアリン酸ナトリウムおよびステアリン酸カリウム等のステアリン酸金属塩に加えて、ポリヒドロキシステアリン酸塩を挙げることができる。
【０３３４】
カチオン性界面活性剤
カチオン性界面活性剤は、
−  アルキルイミダゾリジニウム、例えばイソステアリルエチルイミドニウムエトサルフェート、
−  アンモニウム塩、例えば（Ｃ１２〜３０アルキル）トリ（Ｃ１〜４アルキル）アンモニウムハライド、例えばＮ，Ｎ，Ｎ−トリメチル−１−ドコサンアミニウムクロリド（またはベヘントリモニウムクロリド）
から選択することができる。
【０３３５】
両性界面活性剤
本発明による組成物は、１種以上の両性界面活性剤、例えばＮ−アシルアミノ酸（Ｎ−アルキルアミノ酢酸塩、ココアンホジ酢酸二ナトリウム等）およびアミンオキシド（例えば、ステアラミンオキシド）、またはシリコーン界面活性剤（例えば、リン酸ジメチコンコポリオール（Ｐｅｃｏｓｉｌ  ＰＳ  １０００（登録商標）の名称でＰｈｏｅｎｉｘ  Ｃｈｅｍｉｃａｌ社から販売されている製品等））も含み得る。
【０３３６】
シリコーン界面活性剤
第２の実施形態によれば、組成物は、少なくとも１種のシリコーン界面活性剤を含む。その例として、次に示すものを挙げることができる：
ａ）単独でまたは混合物で使用される、２５℃におけるＨＬＢが８以上である非イオン性界面活性剤、特に、
−  ジメチコンコポリオール、例えばＱ２−５２２０（登録商標）の名称でＤｏｗ  Ｃｏｒｎｉｎｇ社から販売されている製品、
−  ジメチコンコポリオール安息香酸エステル、例えばＦｉｎｓｏｌｖ  ＳＬＢ  １０１（登録商標）および２０１（登録商標）の名称でＦｉｎｔｅｘ社から販売されている製品を挙げることができる。
ｂ）単独でまたは混合物で使用される、２５℃におけるＨＬＢが８未満である非イオン性界面活性剤、特に、
−  Ｑ２−３２２５Ｃ（登録商標）の名称でＤｏｗ  Ｃｏｒｎｉｎｇ社から販売されているシクロメチコン／ジメチコンコポリオール混合物を挙げることができる。
【０３３７】
逆相エマルジョン（油中水型；Ｗ／Ｏ）の生成を促す界面活性剤
Ｗ／Ｏエマルジョンの調製に使用することができる乳化性界面活性剤として、例えばソルビタンアルキルエステルまたはエーテル；シリコーン界面活性剤、例えばジメチコンコポリオール、例えばシクロメチコンとジメチコンコポリオールとの混合物（ＤＣ  ５２２５  Ｃの名称でＤｏｗ  Ｃｏｒｎｉｎｇ社から販売）およびアルキルジメチコンコポリオール、例えばラウリルメチコンコポリオール（Ｄｏｗ  Ｃｏｒｎｉｎｇ  ５２００  Ｆｏｒｍｕｌａｔｉｏｎ  Ａｉｄの名称でＤｏｗ  Ｃｏｒｎｉｎｇ社から販売）；セチルジメチコンコポリオール（例えば、Ａｂｉｌ  ＥＭ  ９０Ｒの名称でＧｏｌｄｓｃｈｍｉｄｔ社から販売されている製品）およびセチルジメチコンコポリオールと、イソステアリン酸ポリグリセリル（４ｍｏｌ）と、ラウリン酸ヘキシルとの混合物（Ａｂｉｌ  ＷＥ  Ｏ９の名称でＧｏｌｄｓｃｈｍｉｄｔ社から販売）、他にリン酸化された界面活性剤を挙げることができる。
【０３３８】
有利にはポリオールアルキルエステルを含む群から選択することができる１種以上の乳化助剤も添加することができる。
【０３３９】
ポリオールアルキルエステルとしては、特にポリエチレングリコールエステル、例えばジポリヒドロキシステアリン酸ＰＥＧ−３０（例えば、Ａｒｌａｃｅｌ  Ｐ１３５の名称でＩＣＩ社から販売されている製品）を挙げることができる。
【０３４０】
少なくとも１種のオキシアルキレン基を含む架橋型エラストマー性固体状オルガノポリシロキサン、例えば米国特許第５４１２００４号明細書の実施例３、４および８の手順ならびに米国特許第５８１１４８７号明細書の実施例の手順に従って得られる生成物、特に米国特許第５４１２００４号明細書の実施例３（合成実施例）の生成物、およびＳｈｉｎ−ＥｔｓｕからＫＳＧ  ２１の商品記号で販売されている製品等もＷ／Ｏエマルジョン用界面活性剤として使用することができる。
【０３４１】
特に好ましい一実施形態によれば、本発明によるエマルジョン、特にＷ／Ｏエマルジョンは、少なくとも１種のシリコーン界面活性剤、より詳細にはジメチコンコポリオールから選択されるシリコーン界面活性剤を含む。
【０３４２】
本発明により使用することができるジメチコンコポリオールは、オキシプロピレン化および／またはオキシエチレン化されたポリジメチルメチルシロキサンである。
【０３４３】
使用可能なジメチコンコポリオールは、より具体的には、下式（ＩＩ）：
【化２３】
2019509869.tif 000025
（式中、
−  Ｒ１、Ｒ２およびＲ３は、互いに独立に、Ｃ１〜Ｃ６アルキル基または−（ＣＨ２）ｘ−（ＯＣＨ２ＣＨ２）ｙ−（ＯＣＨ２ＣＨ２ＣＨ２）ｚ−ＯＲ４基を表し、Ｒ１基、Ｒ２基またはＲ３基の少なくとも１種は、アルキル基ではなく、Ｒ４は、水素、Ｃ１〜Ｃ３アルキル基またはＣ２〜Ｃ４アシル基であり、
−  Ａは、０〜２００の範囲の整数であり、
−  Ｂは、０〜５０の範囲の整数であり、但し、ＡおよびＢは、同時にゼロにはならず、
−  ｘは、１〜６の範囲の整数であり、
−  ｙは、１〜３０の範囲の整数であり、および
−  ｚは、０〜３０の範囲の整数、好ましくは２０である）に対応するものである。
【０３４４】
好ましい一実施形態によれば、式（ＩＩ）の化合物は、Ｒ１＝Ｒ３＝メチル基であり、ｘは、２〜６の範囲の整数であり、ｙは、４〜３０の範囲の整数であり、Ｒ４は、特に水素である。
【０３４５】
式（ＩＩ）の化合物の例として、式（ＩＩＩ）：
【化２４】
2019509869.tif 000026
（式中、Ａは、２０〜１０５の範囲の整数であり、Ｂは、２〜１０の範囲の整数であり、およびｙは、１０〜２０の範囲の整数である）の化合物を挙げることができる。
【０３４６】
式（ＩＩ）のシリコーン化合物の例として、式（ＩＶ）：
ＨＯ−（ＯＣＨ２ＣＨ２）ｙ−（ＣＨ２）３−［（ＣＨ３）２ＳｉＯ］Ａ’−（ＣＨ２）３−（ＯＣＨ２ＣＨ２）ｙ−ＯＨ  （ＩＶ）
（式中、Ａ’およびｙは、１０〜２０の範囲の整数である）の化合物も挙げることができる。
【０３４７】
使用可能なジメチコンコポリオールとして、ＤＣ  ５３２９、ＤＣ  ７４３９−１４６、ＤＣ  ２−５６９５およびＱ４−３６６７の名称でＤｏｗ  Ｃｏｒｎｉｎｇ社から、ＫＦ−６０１３、ＫＦ−６０１５、ＫＦ−６０１６、ＫＦ−６０１７、ＫＦ−６０２８およびＫＦ−６０５０Ｌの名称でＳｈｉｎ−Ｅｔｓｕから販売されているものが挙げられる。
【０３４８】
化合物ＤＣ  ５３２９、ＤＣ  ７４３９−１４６およびＤＣ  ２−５６９５は、式（ＩＩＩ）中、それぞれＡが２２であり、Ｂが２であり、ｙが１２であり；Ａが１０３であり、Ｂが１０であり、ｙが１２であり；Ａが２７であり、Ｂが３であり、ｙが１２である化合物である。
【０３４９】
特定の実施形態によれば、シリコーン界面活性剤は、ＰＥＧポリジメチルシロキシエチルジメチコン（特にＳｈｉｎ−ＥｔｓｕからＫＦ−６０２８の商品記号で販売されているもの）、ＰＥＧ−１０ジメチコン（特にＳｈｉｎ−ＥｔｓｕからＫＦ−６０１７の商品記号で販売されているもの）およびこれらの混合物であり得る。
【０３５０】
界面活性剤は、下式（Ｖ）：
【化２５】
2019509869.tif 000027
（式中、
Ｒは、８〜４０個の炭素原子、好ましくは１０〜３０個の炭素原子を含む直鎖または分岐の飽和または不飽和基であり、
ｍは、１〜１０の範囲の数を表す）によって表すことができる、モノグリセロール化またはポリグリセロール化された脂肪族アルコール型の非イオン性界面活性剤から選択することもできる。
【０３５１】
この種の化合物として、グリセロール４ｍｏｌを含むラウリルアルコール、グリセロール４ｍｏｌを含むイソステアリルアルコール、グリセロール１．５ｍｏｌを含むラウリルアルコール、グリセロール４ｍｏｌを含むオレイルアルコール、グリセロール２ｍｏｌを含むオレイルアルコール、グリセロール２ｍｏｌを含むセテアリルアルコール、グリセロール６ｍｏｌを含むセテアリルアルコール、グリセロール６ｍｏｌを含むオレオセチルアルコール、およびグリセロール６ｍｏｌを含むオクタデカノールを挙げることができる。
【０３５２】
脂肪族アルコールは、ｍを統計学的な値とする方法と同様にして、脂肪族アルコールの混合物を表すこともできる。すなわち、市販品では、数種類のポリグリセロール化された脂肪族アルコールが混合物形態で共存し得る。
【０３５３】
好ましくは、エマルジョンの相の順序に関わらず、界面活性剤は、非イオン性界面活性剤およびシリコーン界面活性剤またはこれらの混合物から選択される。
【０３５４】
揮発性油
本発明の特定の一実施形態によれば、組成物は、少なくとも１種の揮発性油を含む。
【０３５５】
揮発性油は、炭化水素系油、シリコーン油およびフッ素系油およびこれらの混合物から選択することができる。
【０３５６】
揮発性炭化水素系油は、好ましくは無極性炭化水素系油から選択され、特に８〜１６個の炭素原子を有する揮発性炭化水素系油およびこれらの混合物、特に、
−  分岐Ｃ８〜Ｃ１６アルカン、例えばＣ８〜Ｃ１６イソアルカン（イソパラフィンとしても知られる）、イソドデカン、イソデカンおよびイソヘキサデカンおよび例えば、ＩｓｏｐａｒまたはＰｅｒｍｅｔｈｙｌの商品名で販売されている油、
−  直鎖状アルカン、例えばＳａｓｏｌからそれぞれＰａｒａｆｏｌ  １２−９７およびＰａｒａｆｏｌ  １４−９７の商品記号で販売されているｎ−ドデカン（Ｃ１２）およびｎ−テトラデカン（Ｃ１４）に加えて、これらの混合物、ウンデカン−トリデカン混合物（Ｃｅｔｉｏｌ  ＵＴ）、Ｃｏｇｎｉｓ社からの特許出願である国際公開第２００８／１５５０５９号パンフレットの実施例１および２により得られるｎ−ウンデカン（Ｃ１１）およびｎ−トリデカン（Ｃ１３）の混合物ならびにこれらの混合物、および
−  これらの混合物
から選択することができる。
【０３５７】
揮発性シリコーン油は、引火点が４０℃〜１０２℃、好ましくは引火点が５５℃を超え９５℃以下であり、優先的には６５℃〜９５℃の範囲であるシリコーン油から選択することができる。
【０３５８】
本発明に使用することができる揮発性シリコーン油として、２５℃における粘度が８センチストークス（ｃＳｔ）（８×１０−６ｍ２／ｓ）未満であり、特に２〜１０個のケイ素原子、特に２〜７個のケイ素原子を含む直鎖または環状シリコーンを挙げることができる。これらのシリコーンは、１〜１０個の炭素原子を含むアルキル基またはアルコキシ基を含み得る。
【０３５９】
本発明に使用することができる揮発性シリコーン油として、特に粘度が２、５および６ｃＳｔであるジメチコン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサンおよびドデカメチルペンタシロキサンならびにこれらの混合物を挙げることができる。
【０３６０】
揮発性油は、フッ素系油、例えばノナフルオロメトキシブタンまたはパーフルオロメチルシクロペンタンおよびこれらの混合物から選択することもできる。
【０３６１】
好ましくは、本発明による組成物は、より詳細には、無極性揮発性炭化水素系油から、揮発性シリコーン油から選択される少なくとも１種の揮発性油を単独でまたは混合物として含む。
【０３６２】
特定の一実施形態によれば、組成物は少なくとも１種の揮発性油を前記組成物の質量に対して５質量％〜４５質量％の範囲、特に１０質量％〜３０質量％の範囲の含有量で含む。
【０３６３】
水性相
本発明による組成物は、水および任意選択的な少なくとも１種の水溶性溶媒（これらが全体で水性相を構成する）を含む。
【０３６４】
本発明の目的における「水溶性溶媒」という語は、２５℃および大気圧下で液体である水混和性（２５℃の大気圧下における水との混和性が５０質量％を超える）化合物を意味することを意図している。
【０３６５】
本発明による組成物に使用することができる水溶性溶媒の中でも、特に１〜５個の炭素原子を含むモノアルコール、例えば、好ましくはエタノールおよびイソプロパノール、２〜８個の炭素原子を含むグリコール、例えばエチレングリコール、プロピレングリコール、１，３−ブチレングリコールおよびジプロピレングリコール、Ｃ３およびＣ４ケトンならびにＣ２〜Ｃ４アルデヒドを挙げることができる。
【０３６６】
本発明による組成物は、優先的には、組成物の質量に対して少なくとも２０質量％、特に２０質量％〜６０質量％、特に２５質量％〜５０質量％の水性相（水＋水溶性溶媒）を含む。
【０３６７】
本発明による組成物は、優先的には、組成物の質量に対して少なくとも１５質量％、特に２０質量％〜６０質量％、特に２５質量％〜５０質量％の水を含む。
【０３６８】
一実施形態によれば、この組成物は、水性相の総質量に対して少なくとも６０質量％、好ましくは少なくとも７０質量％、特に少なくとも７５質量％の水を含み得る。
【０３６９】
好ましい実施形態によれば、この組成物は、水性相および揮発性油を、総含有量が組成物の質量に対して５０質量％以上、特に６０質量％以上となるように含む。
【０３７０】
色材：
本発明による組成物は、水溶性または水不溶性、油溶性または非油溶性の有機または無機色材および光学効果を呈する材料ならびにこれらの混合物から選択することができる少なくとも１種の色材を含み得る。
【０３７１】
本発明の目的における「色材」という語は、好適な化粧媒体中に十分な量で配合した場合、有色の光学効果を呈することが可能な化合物を意味することを意図している。
【０３７２】
本発明により使用される水溶性色材は、より詳細には水溶性染料である。
【０３７３】
本発明の目的における「水溶性染料」という語は、水性相または水混和性溶媒に可溶であり、着色することが可能な任意の天然または合成の一般に有機化合物を意味することを意図している。特に、「水溶性」という語は、化合物が水中に溶解する能力が、２５℃における濃度として測定した場合、少なくとも０．１ｇ／Ｌ（巨視的には等方性を示す透明な有色または無色の溶液が生成する）であることを特徴付けることを意図している。この溶解性は、特に１ｇ／Ｌ以上である。
【０３７４】
本発明に使用するのに好適な水溶性染料として、特に合成または天然の水溶性染料、例えばＦＤＣ  Ｒｅｄ  ４（ＣＩ：１４７００）、ＤＣ  Ｒｅｄ  ６（Ｌｉｔｈｏｌ  Ｒｕｂｉｎｅ  Ｎａ；ＣＩ：１５８５０）、ＤＣ  Ｒｅｄ  ２２（ＣＩ：４５３８０）、ＤＣ  Ｒｅｄ  ２８（ＣＩ：４５４１０Ｎａ塩）、ＤＣ  Ｒｅｄ  ３０（ＣＩ：７３３６０）、ＤＣ  Ｒｅｄ  ３３（ＣＩ：１７２００）、ＤＣ  Ｏｒａｎｇｅ  ４（ＣＩ：１５５１０）、ＦＤＣ  Ｙｅｌｌｏｗ  ５（ＣＩ：１９１４０）、ＦＤＣ  Ｙｅｌｌｏｗ  ６（ＣＩ：１５９８５）、ＤＣ  Ｙｅｌｌｏｗ  ８（ＣＩ：４５３５０Ｎａ塩）、ＦＤＣ  Ｇｒｅｅｎ  ３（ＣＩ：４２０５３）、ＤＣ  Ｇｒｅｅｎ  ５（ＣＩ：６１５７０）、ＦＤＣ  Ｂｌｕｅ  １（ＣＩ：４２０９０）を挙げることができる。
【０３７５】
本発明に関連して使用することができる水溶性色材の供給源の非限定的な例として、特に天然由来のもの、例えばコチニールのカルミン、ビート根、ブドウ、ニンジン、トマト、アンナット、パプリカ、ヘンナ、カラメルおよびクルクミンの抽出物等を挙げることができる。
【０３７６】
したがって、本発明に使用するのに好適な水溶性色材は、特にカルミン酸、ベタニン、アントシアン、エノシアニン、リコペン、ベータ−カロテン、ビキシン、ノルビキシン、カプサンシン、カプソルビン、フラボキサンチン、ルテイン、クリプトキサンチン、ルビキサンチン、ビオラキサンチン、リボフラビン、ロドキサンチン、カンタキサンチンおよびクロロフィルならびにこれらの混合物である。
【０３７７】
硫酸銅、硫酸鉄、水溶性スルホポリエステル、ローダミン、ベタイン、メチレンブルー、タートラジンの二ナトリウム塩およびフクシンの二ナトリウム塩を用いることもできる。
【０３７８】
これらの水溶性色材の一部は、特に食用として使用することができる。このような染料の代表的なものとして、より詳細には、食品添加物コードＥ１２０、Ｅ１６２、Ｅ１６３、Ｅ１６０ａ−ｇ、Ｅ１５０ａ、Ｅ１０１、Ｅ１００、Ｅ１４０およびＥ１４１で参照されるカロテノイド系の染料を挙げることができる。
【０３７９】
特に好ましい実施形態によれば、水溶性色材は、ブリリアントイエローＦＣＦの二ナトリウム塩（ＬＣＷ社からＤＣ  Ｙｅｌｌｏｗ  ６の名称で販売）、フクシン酸Ｄの二ナトリウム塩（ＬＣＷ社からＤＣ  Ｒｅｄ  ３３の名称で販売）、およびアルラレッド（Ｒｏｕｇｅ  Ａｌｌｕｒａ）の三ナトリウム塩（ＬＣＷ社からＦＤ＆Ｃ  Ｒｅｄ  ４０の名称で販売）から選択される。
【０３８０】
「顔料」という語は、液体有機相に不溶であり、組成物および／または組成物から生成した付着物を着色および／または不透明化することを意図した白色または有色の無機（鉱物）または有機粒子を意味するものと理解すべきである。
【０３８１】
顔料は、無機顔料、有機顔料および複合顔料（すなわち無機材料および／または有機材料をベースとする顔料）から選択することができる。
【０３８２】
顔料は、単色顔料、レーキ、真珠光沢剤および光学効果を呈する顔料、例えば反射型顔料およびゴニオクロマティック顔料から選択することができる。
【０３８３】
無機顔料は、金属酸化物顔料、酸化クロム、酸化鉄、二酸化チタン、酸化亜鉛、酸化セリウム、酸化ジルコニウム、マンガンバイオレット、プルシアンブルー、ウルトラマリンブルー、フェリックブルーおよびこれらの混合物から選択することができる。
【０３８４】
有機レーキは、染料を付着させた基材から形成された有機顔料である。
【０３８５】
有機顔料としても知られるレーキは、以下に示す物質およびこれらの混合物から選択することができる：
−  コチニールカルミン、
−  アゾ染料、アントラキノン染料、インジゴイド染料、キサンテン染料、ピレン染料、キノリン染料、トリフェニルメタン染料またはフルオラン染料の有機顔料；特に有機顔料の中でも、次に示す名称で知られているものを挙げることができる：Ｄ＆Ｃ  Ｂｌｕｅ  Ｎｏ．４、Ｄ＆Ｃ  Ｂｒｏｗｎ  Ｎｏ．１、Ｄ＆Ｃ  Ｇｒｅｅｎ  Ｎｏ．５、Ｄ＆Ｃ  Ｇｒｅｅｎ  Ｎｏ．６、Ｄ＆Ｃ  Ｏｒａｎｇｅ  Ｎｏ．４、Ｄ＆Ｃ  Ｏｒａｎｇｅ  Ｎｏ．５、Ｄ＆Ｃ  Ｏｒａｎｇｅ  Ｎｏ．１０、Ｄ＆Ｃ  Ｏｒａｎｇｅ  Ｎｏ．１１、Ｄ＆Ｃ  Ｒｅｄ  Ｎｏ．６、Ｄ＆Ｃ  Ｒｅｄ  Ｎｏ．７、Ｄ＆Ｃ  Ｒｅｄ  Ｎｏ．１７、Ｄ＆Ｃ  Ｒｅｄ  Ｎｏ．２１、Ｄ＆Ｃ  Ｒｅｄ  Ｎｏ．２２、Ｄ＆Ｃ  Ｒｅｄ  Ｎｏ．２７、Ｄ＆Ｃ  Ｒｅｄ  Ｎｏ．２８、Ｄ＆Ｃ  Ｒｅｄ  Ｎｏ．３０、Ｄ＆Ｃ  Ｒｅｄ  Ｎｏ．３１、Ｄ＆Ｃ  Ｒｅｄ  Ｎｏ．３３、Ｄ＆Ｃ  Ｒｅｄ  Ｎｏ．３４、Ｄ＆Ｃ  Ｒｅｄ  Ｎｏ．３６、Ｄ＆Ｃ  Ｖｉｏｌｅｔ  Ｎｏ．２、Ｄ＆Ｃ  Ｙｅｌｌｏｗ  Ｎｏ．７、Ｄ＆Ｃ  Ｙｅｌｌｏｗ  Ｎｏ．８、Ｄ＆Ｃ  Ｙｅｌｌｏｗ  Ｎｏ．１０、Ｄ＆Ｃ  Ｙｅｌｌｏｗ  Ｎｏ．１１、ＦＤ＆Ｃ  Ｂｌｕｅ  Ｎｏ．１、ＦＤ＆Ｃ  Ｇｒｅｅｎ  Ｎｏ．３、ＦＤ＆Ｃ  Ｒｅｄ  Ｎｏ．４０、ＦＤ＆Ｃ  Ｙｅｌｌｏｗ  Ｎｏ．５またはＦＤ＆Ｃ  Ｙｅｌｌｏｗ  Ｎｏ．６、
−  有機レーキは、アゾ染料、アントラキノン染料、インジゴイド染料、キサンテン染料、ピレン染料、キノリン染料、トリフェニルメタン染料、またはフルオラン染料等の酸性染料の不溶性ナトリウム、カリウム、カルシウム、バリウム、アルミニウム、ジルコニウム、ストロンチウムまたはチタン塩であり得、これらの染料は、少なくとも１個のカルボン酸基またはスルホン酸基を含み得る。
【０３８６】
有機レーキは、例えば、ロジンまたは安息香酸アルミニウム等の有機担体で支持することもできる。
【０３８７】
有機レーキの中でも、特に次に示す名称で知られるものを挙げることができる：Ｄ＆Ｃ  Ｒｅｄ  Ｎｏ．２アルミニウムレーキ、Ｄ＆Ｃ  Ｒｅｄ  Ｎｏ．３アルミニウムレーキ、Ｄ＆Ｃ  Ｒｅｄ  Ｎｏ．４アルミニウムレーキ、Ｄ＆Ｃ  Ｒｅｄ  Ｎｏ．６アルミニウムレーキ、Ｄ＆Ｃ  Ｒｅｄ  Ｎｏ．６バリウムレーキ、Ｄ＆Ｃ  Ｒｅｄ  Ｎｏ．６バリウム／ストロンチウムレーキ、Ｄ＆Ｃ  Ｒｅｄ  Ｎｏ．６ストロンチウムレーキ、Ｄ＆Ｃ  Ｒｅｄ  Ｎｏ．６カリウムレーキ、Ｄ＆Ｃ  Ｒｅｄ  Ｎｏ．７アルミニウムレーキ、Ｄ＆Ｃ  Ｒｅｄ  Ｎｏ．７バリウムレーキ、Ｄ＆Ｃ  Ｒｅｄ  Ｎｏ．７カルシウムレーキ、Ｄ＆Ｃ  Ｒｅｄ  Ｎｏ．７カルシウム／ストロンチウムレーキ、Ｄ＆Ｃ  Ｒｅｄ  Ｎｏ．７ジルコニウムレーキ、Ｄ＆Ｃ  Ｒｅｄ  Ｎｏ．８ナトリウムレーキ、Ｄ＆Ｃ  Ｒｅｄ  Ｎｏ．９アルミニウムレーキ、Ｄ＆Ｃ  Ｒｅｄ  Ｎｏ．９バリウムレーキ、Ｄ＆Ｃ  Ｒｅｄ  Ｎｏ．９バリウム／ストロンチウムレーキ、Ｄ＆Ｃ  Ｒｅｄ  Ｎｏ．９ジルコニウムレーキ、Ｄ＆Ｃ  Ｒｅｄ  Ｎｏ．１０ナトリウムレーキ、Ｄ＆Ｃ  Ｒｅｄ  Ｎｏ．１９アルミニウムレーキ、Ｄ＆Ｃ  Ｒｅｄ  Ｎｏ．１９バリウムレーキ、Ｄ＆Ｃ  Ｒｅｄ  Ｎｏ．１９ジルコニウムレーキ、Ｄ＆Ｃ  Ｒｅｄ  Ｎｏ．２１アルミニウムレーキ、Ｄ＆Ｃ  Ｒｅｄ  Ｎｏ．２１ジルコニウムレーキ、Ｄ＆Ｃ  Ｒｅｄ  Ｎｏ．２２アルミニウムレーキ、Ｄ＆Ｃ  Ｒｅｄ  Ｎｏ．２７アルミニウムレーキ、Ｄ＆Ｃ  Ｒｅｄ  Ｎｏ．２７アルミニウム／チタン／ジルコニウムレーキ、Ｄ＆Ｃ  Ｒｅｄ  Ｎｏ．２７バリウムレーキ、Ｄ＆Ｃ  Ｒｅｄ  Ｎｏ．２７カルシウムレーキ、Ｄ＆Ｃ  Ｒｅｄ  Ｎｏ．２７ジルコニウムレーキ、Ｄ＆Ｃ  Ｒｅｄ  Ｎｏ．２８アルミニウムレーキ、Ｄ＆Ｃ  Ｒｅｄ  Ｎｏ．３０レーキ、Ｄ＆Ｃ  Ｒｅｄ  Ｎｏ．３１カルシウムレーキ、Ｄ＆Ｃ  Ｒｅｄ  Ｎｏ．３３アルミニウムレーキ、Ｄ＆Ｃ  Ｒｅｄ  Ｎｏ．３４カルシウムレーキ、Ｄ＆Ｃ  Ｒｅｄ  Ｎｏ．３６レーキ、Ｄ＆Ｃ  Ｒｅｄ  Ｎｏ．４０アルミニウムレーキ、Ｄ＆Ｃ  Ｂｌｕｅ  Ｎｏ．１アルミニウムレーキ、Ｄ＆Ｃ  Ｇｒｅｅｎ  Ｎｏ．３アルミニウムレーキ、Ｄ＆Ｃ  Ｏｒａｎｇｅ  Ｎｏ．４アルミニウムレーキ、Ｄ＆Ｃ  Ｏｒａｎｇｅ  Ｎｏ．５アルミニウムレーキ、Ｄ＆Ｃ  Ｏｒａｎｇｅ  Ｎｏ．５ジルコニウムレーキ、Ｄ＆Ｃ  Ｏｒａｎｇｅ  Ｎｏ．１０アルミニウムレーキ、Ｄ＆Ｃ  Ｏｒａｎｇｅ  Ｎｏ．１７バリウムレーキ、Ｄ＆Ｃ  Ｙｅｌｌｏｗ  Ｎｏ．５アルミニウムレーキ、Ｄ＆Ｃ  Ｙｅｌｌｏｗ  Ｎｏ．５ジルコニウムレーキ、Ｄ＆Ｃ  Ｙｅｌｌｏｗ  Ｎｏ．６アルミニウムレーキ、Ｄ＆Ｃ  Ｙｅｌｌｏｗ  Ｎｏ．７ジルコニウムレーキ、Ｄ＆Ｃ  Ｙｅｌｌｏｗ  Ｎｏ．１０アルミニウムレーキ、ＦＤ＆Ｃ  Ｂｌｕｅ  Ｎｏ．１アルミニウムレーキ、ＦＤ＆Ｃ  Ｒｅｄ  Ｎｏ．４アルミニウムレーキ、ＦＤ＆Ｃ  Ｒｅｄ  Ｎｏ．４０アルミニウムレーキ、ＦＤ＆Ｃ  Ｙｅｌｌｏｗ  Ｎｏ．５アルミニウムレーキ、またはＦＤ＆Ｃ  Ｙｅｌｌｏｗ  Ｎｏ．６アルミニウムレーキ。
【０３８８】
例えば、スーダンレッド、ＤＣ  Ｒｅｄ  １７、ＤＣ  Ｇｒｅｅｎ  ６、β−カロテン、大豆油、スーダンブラウン、ＤＣ  Ｙｅｌｌｏｗ  １１、ＤＣ  Ｖｉｏｌｅｔ  ２、ＤＣ  Ｏｒａｎｇｅ  ５、またはキノリンイエロー等の脂溶性染料も挙げることができる。
【０３８９】
上に引用した有機色材のそれぞれに対応する化学物質は、Ｔｈｅ  Ｃｏｓｍｅｔｉｃ，Ｔｏｉｌｅｔｒｉｅｓ  ａｎｄ  Ｆｒａｇｒａｎｃｅ  Ａｓｓｏｃｉａｔｉｏｎによって公開された刊行物“Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ”，１９９７  ｅｄｉｔｉｏｎの３７１〜３８６ページおよび５２４〜５２８ページに述べられており、その内容は参照により本特許出願に援用される。
【０３９０】
顔料はまた、疎水化処理を施されたものであり得る。
【０３９１】
疎水化処理剤は、シリコーン（メチコン、ジメチコン、パーフルオロアルキルシラン等）；脂肪酸（ステアリン酸等）；金属石鹸（ジミリスチン酸アルミニウム、硬化タロウグルタミン酸のアルミニウム塩等）；パーフルオロアルキルリン酸エステル塩、パーフルオロアルキルシラン、パーフルオロアルキルシラザン、ポリヘキサフルオロプロピレンオキシド、パーフルオロアルキルパーフルオロポリエーテル基およびアミノ酸を含むポリオルガノシロキサン；Ｎ−アシルアミノ酸またはその塩；レシチン、トリイソステアリン酸イソプロピルチタンならびにこれらの混合物から選択することができる。
【０３９２】
Ｎ−アシルアミノ酸は、８〜２２個の炭素原子を含むアシル基、例えば２−エチルヘキサノイル基、カプロイル基、ラウロイル基、ミリストイル基、パルミトイル基、ステアロイル基またはココイル基を含み得る。これらの化合物の塩は、アルミニウム塩、マグネシウム塩、カルシウム塩、ジルコニウム塩、亜鉛塩、ナトリウム塩またはカリウム塩であり得る。アミノ酸は、例えば、リシン、グルタミン酸またはアラニンであり得る。
【０３９３】
上述の化合物において言及した「アルキル」という語は、特に１〜３０個の炭素原子を有するアルキル基、好ましくは５〜１６個の炭素原子を有するアルキル基を指す。
【０３９４】
疎水化処理された顔料は、特に欧州特許出願公開第Ａ−１０８６６８３号明細書に記載されている。
【０３９５】
本特許出願の趣旨の範囲内における「真珠光沢剤」とは、虹彩色を有していても有していなくてもよく、特に特定の軟体動物の殻体で産生されるかまたは合成された、光干渉による呈色効果を示す任意の形状の有色粒子を意味することを意図している。
【０３９６】
真珠光沢剤の例として、パール顔料、例えば酸化鉄被覆雲母チタン、オキシ塩化ビスマス被覆雲母、酸化クロム被覆雲母チタン、有機染料（特に上に述べた種類のもの）で被覆した雲母チタン等のパール顔料に加えて、オキシ塩化ビスマスをベースとするパール顔料を挙げることができる。表面に金属酸化物および／または有機色材の少なくとも２つの連続した層が重ねられた雲母粒子を用いることもできる。
【０３９７】
真珠光沢剤は、より詳細には、黄色、桃色、赤色、青銅色、橙色、褐色、金色および／または銅色を呈するかまたはこれらの色の光沢を呈することができる。
【０３９８】
干渉顔料として第１組成物に導入することができる例示的な真珠光沢剤として、金色真珠光沢剤、特にＥｎｇｅｌｈａｒｄ社からＢｒｉｌｌｉａｎｔ  ｇｏｌｄ  ２１２Ｇ（Ｔｉｍｉｃａ）、Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）およびＭｏｎａｒｃｈ  ｇｏｌｄ  ２３３Ｘ（Ｃｌｏｉｓｏｎｎｅ）の名称で販売されているもの；青銅色真珠光沢剤、特にＭｅｒｃｋ社からＢｒｏｎｚｅ  ｆｉｎｅ（１７３８４）（Ｃｏｌｏｒｏｎａ）およびＢｒｏｎｚｅ（１７３５３）（Ｃｏｌｏｒｏｎａ）の名称で、ならびにＥｎｇｅｌｈａｒｄ社からＳｕｐｅｒ  ｂｒｏｎｚｅ（Ｃｌｏｉｓｏｎｎｅ）の名称で販売されているもの；橙色真珠光沢剤、特にＥｎｇｅｌｈａｒｄ社からＯｒａｎｇｅ  ３６３Ｃ（Ｃｌｏｉｓｏｎｎｅ）およびＯｒａｎｇｅ  ＭＣＲ  １０１（Ｃｏｓｍｉｃａ）の名称で、ならびにＭｅｒｃｋ社からＰａｓｓｉｏｎ  ｏｒａｎｇｅ（Ｃｏｌｏｒｏｎａ）およびＭａｔｔｅ  ｏｒａｎｇｅ（１７４４９）（Ｍｉｃｒｏｎａ）の名称で販売されているもの；褐色真珠光沢剤、特にＥｎｇｅｌｈａｒｄ社からＮｕ−ａｎｔｉｑｕｅ  ｃｏｐｐｅｒ  ３４０ＸＢ（Ｃｌｏｉｓｏｎｎｅ）およびＢｒｏｗｎ  ＣＬ４５０９（Ｃｈｒｏｍａｌｉｔｅ）の名称で販売されているもの；銅色光沢を呈する真珠光沢剤、特にＥｎｇｅｌｈａｒｄ社からＣｏｐｐｅｒ  ３４０Ａ（Ｔｉｍｉｃａ）の名称で販売されているもの；赤色光沢を呈する真珠光沢剤、特にＭｅｒｃｋ社からＳｉｅｎｎａ  ｆｉｎｅ（１７３８６）（Ｃｏｌｏｒｏｎａ）の名称で販売されているもの；黄色光沢を呈する真珠光沢剤、特にＥｎｇｅｌｈａｒｄ社からＹｅｌｌｏｗ（４５０２）（Ｃｈｒｏｍａｌｉｔｅ）の名称で販売されているもの；金色光沢を呈する赤色真珠光沢剤、特にＥｎｇｅｌｈａｒｄ社からＳｕｎｓｔｏｎｅ  Ｇ０１２（Ｇｅｍｔｏｎｅ）の名称で販売されているもの；桃色真珠光沢剤、特にＥｎｇｅｌｈａｒｄ社からＴａｎ  ｏｐａｌｅ  Ｇ００５（Ｇｅｍｔｏｎｅ）の名称で販売されているもの；金色光沢を呈する黒色真珠光沢剤、特にＥｎｇｅｌｈａｒｄ社からＮｕ  ａｎｔｉｑｕｅ  ｂｒｏｎｚｅ  ２４０  ＡＢ（Ｔｉｍｉｃａ）の名称で販売されているもの；青色真珠光沢剤、特にＭｅｒｃｋ社からＭａｔｔｅ  ｂｌｕｅ（１７４３３）（Ｍｉｃｒｏｎａ）の名称で販売されているもの；銀色光沢を呈する白色真珠光沢剤、特にＭｅｒｃｋ社からＸｉｒｏｎａ  Ｓｉｌｖｅｒの名称で販売されているもの；ならびに金緑色〜桃色〜橙色へと変化する真珠光沢剤、特にＭｅｒｃｋ社からＩｎｄｉａｎ  ｓｕｍｍｅｒ（Ｘｉｒｏｎａ）の名称で販売されているもの；ならびにこれらの混合物を挙げることができる。
【０３９９】
添加剤
本発明による組成物は、想定されている添加により、本発明による組成物に本来付随する有利な特性が悪影響を受けないかまたは実質的に悪影響を受けないように、当業者により選択される任意の添加剤も含み得る。
【０４００】
本発明による組成物に添加することができる添加剤として、特に親水性増粘剤、疎水性増粘剤、有機的または無機的性質を有するフィラー、安定剤、防腐剤、甘味料、化粧有効成分、風味剤または香料、顔料分散剤および本発明によるもの以外の皮膜形成剤を挙げることができる。
【０４０１】
化粧有効成分としては、サンスクリーン剤、ビタミンＡ、Ｅ、ＣおよびＢ３、プロビタミン（Ｄ−パンテノール等）、鎮静剤（α−ビサボロール等）、アロエベラ、アラントイン、植物抽出物または精油、防御剤または再構成剤、清涼剤（メントールおよびその誘導体等）、エモリエント剤、保湿剤、抗シワ剤および必須脂肪酸ならびにこれらの混合物を挙げることができる。
【０４０２】
親水性増粘性ポリマーとして、より詳細には、次に示すものを挙げることができる：
−  アクリル酸またはメタクリル酸の単独重合体もしくはコポリマーまたはこれらの塩およびこれらのエステル（特にＶｅｒｓｉｃｏｌ  ＦまたはＶｅｒｓｉｃｏｌ  Ｋの名称でＡｌｌｉｅｄ  Ｃｏｌｌｏｉｄ社から販売されている製品、Ｕｌｔｒａｈｏｌｄ  ８の名称でＣｉｂａ−Ｇｅｉｇｙ社から販売されている製品）、Ｓｙｎｔｈａｌｅｎ  Ｋタイプのポリアクリル酸およびポリアクリル酸の塩、特にナトリウム塩（ＩＮＣＩ名：アクリル酸Ｎａコポリマーに対応）、より詳細には、架橋型ポリアクリル酸ナトリウム（ＩＮＣＩ名：アクリル酸Ｎａコポリマー（および）トリ（カプリル酸／カプリン酸）グリセリルに対応）（Ｌｕｖｉｇｅｌ  ＥＭの名称でＢＡＳＦ社から販売）、
−  アクリル酸とアクリルアミドとのコポリマー（そのナトリウム塩の形態において、Ｒｅｔｅｎの名称でＨｅｒｃｕｌｅｓ社から販売）、ポリメタクリル酸ナトリウム（Ｄａｒｖａｎ  Ｎｏ．７の名称でＶａｎｄｅｒｂｉｌｔ社から販売）およびポリヒドロキシカルボン酸のナトリウム塩（Ｈｙｄａｇｅｎ  Ｆの名称でＨｅｎｋｅｌ社から販売）、
−  ポリアクリル酸／アクリル酸アルキルコポリマー、好ましくは、カルボキシビニルポリマー、特にアクリル酸／アクリル酸Ｃ１０〜Ｃ３０アルキルコポリマー（ＩＮＣＩ名：（アクリレーツ／アクリル酸アルキル（Ｃ１０−３０））クロスポリマー）を有する変性されているかまたは未変性のもの、例えばＬｕｂｒｉｚｏｌ社からＰｅｍｕｌｅｎ  ＴＲ１、Ｐｅｍｕｌｅｎ  ＴＲ２、Ｃａｒｂｏｐｏｌ  １３８２およびＣａｒｂｏｐｏｌ  ＥＤＴ  ２０２０の商品名で、さらにより優先的にはＰｅｍｕｌｅｎ  ＴＲ−２の商品名で販売されている製品、
−  アンモニア水で部分的に中和された、高度に架橋されたポリアクリルアミドメチルプロパンスルホン酸（Ｃｌａｒｉａｎｔ社から販売）、
−  ＳＥＰＰＩＣ社から販売されているＳｅｐｉｇｅｌまたはＳｉｍｕｌｇｅｌタイプのアクリルアミドプロパンスルホン酸／アクリルアミドコポリマー、
−  Ａｒｉｓｔｏｆｌｅｘ  ＨＭＳタイプのポリオキシエチレン化アクリルアミドプロパンスルホン酸／メタクリル酸アルキルコポリマー（架橋型または非架橋型）（Ｃｌａｒｉａｎｔ社から販売）、
−  ヒドロキシアルキルアクリル酸またはその塩と、アクリロイルジメチルタウリン塩モノマーとのコポリマー、例えばＳＥＰＰＩＣ社から販売されている製品であるＳｅｐｉｎｏｖ  ＥＭＴ  １０）、および
−  これらの混合物。
【０４０３】
他の親水性ゲル化性ポリマーの例として、次に示すものを挙げることができる：
−  アニオン性、カチオン性、両性または非イオン性キチンまたはキトサンポリマー、
−  セルロースポリマー、例えばアルキルセルロース（ヒドロキシエチルセルロース、ヒドロキシプロピルセルロース、ヒドロキシメチルセルロース、エチルヒドロキシエチルセルロース、カルボキシメチルセルロース等）に加えて、四級化されたセルロース誘導体、
−  ビニルポリマー、例えばポリビニルピロリドン、メチルビニルエーテルと無水マレイン酸とのコポリマー、酢酸ビニルとクロトン酸とのコポリマー、ビニルピロリドンと酢酸ビニルとのコポリマー；ビニルピロリドンとカプロラクタムとのコポリマー；ポリビニルアルコール、
−  変性され得る天然由来のポリマー、例えばガラクトマンナンおよびその誘導体、例えばコンニャクガム、ゲランガム、ローカストビーンガム、フェヌグリークガム、カラヤガム、トラガカントガム、アラビアガム、アカシアガム、グアーガム、ヒドロキシプロピルグアー、メチルカルボン酸ナトリウム基で変性されたヒドロキシプロピルグアー（Ｊａｇｕａｒ  ＸＣ９７−１、Ｒｈｏｄｉａ）、ヒドロキシプロピルトリメチルアンモニウムグアークロリド、キサンタンガムおよびその誘導体、
−  アルギン酸塩およびカラギーナン、
−  ムコ多糖（ヒアルロン酸等）；および
−  これらの混合物。
【０４０４】
組成物が任意の親水性増粘剤を含む場合、その含有量は、組成物の質量に対して０．０１質量％〜３質量％、好ましくは０．０５質量％〜２質量％、より有利には０．１質量％〜１質量％の範囲である。
【０４０５】
疎水性増粘剤として、特に疎水性鉱物系増粘剤、例えば変性クレイ、変性シリカまたはこれらの混合物を挙げることができる。
【０４０６】
疎水変性クレイ
クレイは、カルシウム陽イオン、マグネシウム陽イオン、アルミニウム陽イオン、ナトリウム陽イオン、カリウム陽イオンまたはリチウム陽イオンおよびこれらの混合物から選択することができる陽イオンを含むケイ酸塩である。
【０４０７】
この種の生成物の例として、スメクタイト系クレイに加えてバーミキュライト系、ステベンサイト系またはクロライト系クレイを挙げることができる。これらのクレイは天然由来のものであっても合成由来のものであってもよい。
【０４０８】
好ましくは、有機親和性クレイ、より具体的には変性クレイ、例えばモンモリロナイト、ベントナイト、ヘクトライト、アタパルジャイトまたはセピオライトおよびこれらの混合物が利用される。クレイは、好ましくはベントナイトまたはヘクトライトである。
【０４０９】
これらのクレイは、第四級アミン、第三級アミン、酢酸アミン、イミダゾリン、アミン石鹸、脂肪族硫酸塩、アルキルアリールスルホン酸塩またはアミンオキシドおよびこれらの混合物から選択される化合物で変性されている。
【０４１０】
したがって、第四級アミン、より具体的には芳香族基を含むかまたは含まない、Ｃ１０〜Ｃ２２脂肪酸アンモニウムハライド、例えばクロリドにより変性されたヘクトライト、例えばジステアリルジメチルアンモニウムハライド、好ましくはクロリドで変性されたヘクトライト（ＣＴＦＡ名：ジステアルジモニウムヘクトライト）、例えばＢｅｎｔｏｎｅ  ３８Ｖ、Ｂｅｎｔｏｎｅ  ３８Ｖ  ＣＧもしくはＢｅｎｔｏｎｅ  ＥＷ  ＣＥの名称でＥｌｅｍｅｎｔｉｓから販売されているもの、またはステアラルコニウムヘクトライト、例えば特にＢｅｎｔｏｎｅ  ２７  Ｖ製品等を挙げることができる。
【０４１１】
クオタニウム−１８ベントナイト、例えば特にＢｅｎｔｏｎｅ  ３４の名称でＥｌｅｍｅｎｔｉｓ社から、Ｃｌａｙｔｏｎｅ  ４０、Ｔｉｘｏｇｅｌ  ＶＰの名称でＵｎｉｔｅｄ  Ｃａｔａｌｙｓｔ社から、Ｓｏｕｔｈｅｒｎ  Ｃｌａｙ社から販売されているもの；ステアラルコニウムベントナイト、例えばＴｉｘｏｇｅｌ  ＬＧの名称でＵｎｉｔｅｄ  Ｃａｔａｌｙｓｔ社から、ならびにＣｌａｙｔｏｎｅ  ＡＦおよびＣｌａｙｔｏｎｅ  ＡＰＡの名称でＳｏｕｔｈｅｒｎ  Ｃｌａｙ社から販売されているもの；またはクオタニウム−１８／ベンザルコニウムベントナイト、例えばＣｌａｙｔｏｎｅ  ＨＴの名称でＳｏｕｔｈｅｒｎ  Ｃｌａｙ社から販売されているものも挙げることができる。
【０４１２】
好ましい実施形態によれば、増粘剤は、有機親和性変性クレイ、特に有機親和性変性ヘクトライト、特にステアリン酸ベンジルジメチルアンモニウムまたはジステアリルジメチルアンモニウムハライド、特にクロリドで変性されたものから選択される。
【０４１３】
変性シリカ
表面が疎水化処理されたフュームドシリカも挙げることができ、粒子のサイズは、有利には１μｍ未満である。なぜなら、これにより、シリカ表面を、シリカ表面上に存在するシラノール基の数を減らす化学反応によって化学変性することが可能になるためである。特に、シラノール基を疎水性基に置換することが可能であり、そうすることにより疎水性シリカが得られる。疎水性基は、次に示すものであり得る：
−  トリメチルシロキシル基（特にフュームドシリカをヘキサメチルジシラザンの存在下で処理することにより得られるもの）。こうして処理されたシリカは、ＣＴＦＡ（第６版、１９９５年）により、シリル化シリカとして知られる。これらは、例えば、Ａｅｒｏｓｉｌ  Ｒ８１２（登録商標）の商品記号でＤｅｇｕｓｓａ社から、およびＣａｂ−Ｏ−Ｓｉｌ  ＴＳ−５３０（登録商標）の商品記号でＣａｂｏｔ社から販売されている。
−  ジメチルシリルオキシ基またはポリジメチルシロキサン基（特にフュームドシリカをポリジメチルシロキサン、例えばヘキサメチルジシロキサンまたはジメチルジクロロシランの存在下で処理することによって得られるもの）。こうして処理されたシリカは、ＣＴＦＡ（第６版、１９９５年）により、ジメチルシリル化シリカとして知られる。これらは、例えば、Ａｅｒｏｓｉｌ  Ｒ９７２（登録商標）およびＡｅｒｏｓｉｌ  Ｒ９７４（登録商標）の商品記号でＤｅｇｕｓｓａ社から、ならびにＣａｂ−Ｏ−Ｓｉｌ  ＴＳ−６１０（登録商標）およびＣａｂ−Ｏ−Ｓｉｌ  ＴＳ−７２０（登録商標）の商品記号でＣａｂｏｔ社から販売されている。
【０４１４】
疎水性フュームドシリカの粒度は、特にナノメートルオーダーからマイクロメートルオーダーであり得、例えば約５〜２００ｎｍの範囲の粒度を有し得る。
【０４１５】
本発明による組成物は、少なくともシリカエアロゲル粒子も含むこともできる。
【０４１６】
シリカエアロゲルは、シリカゲルの液体成分を空気に置き換える（乾燥させる）ことにより得られる多孔質材料である。
【０４１７】
これらは、通常、液体媒体中においてゾルゲル法で合成された後、通常、超臨界流体（最も一般的に使用されるのは超臨界ＣＯ２である）で抽出することにより乾燥される。このタイプの乾燥により、材料の細孔の収縮を回避することが可能である。ゾルゲル法および様々な乾燥操作は、Ｂｒｉｎｋｅｒ  Ｃ．Ｊ．，ａｎｄ  Ｓｃｈｅｒｅｒ  Ｇ．Ｗ．，Ｓｏｌ−Ｇｅｌ  Ｓｃｉｅｎｃｅ，Ｎｅｗ  Ｙｏｒｋ，Ａｃａｄｅｍｉｃ  Ｐｒｅｓｓ，１９９０に詳述されている。
【０４１８】
本発明の実施に好適な疎水性シリカエアロゲル粒子は、単位質量当たりの比表面積（ＳＭ）が５００〜１５００ｍ２／ｇの範囲、好ましくは６００〜１２００ｍ２／ｇの範囲であり、さらにより良好には６００〜８００ｍ２／ｇの範囲であり、体積平均径として表したサイズ（Ｄ［０．５］）は、１〜１５００μｍの範囲、さらにより良好には１〜１０００μｍの範囲、好ましくは１〜１００μｍ、特に１〜３０μｍ、より好ましくは５〜２５μｍ、さらにより良好には５〜２０μｍ、なおもさらにより良好には５〜１５μｍの範囲である。
【０４１９】
本発明の有利な実施形態によれば、本発明に使用される疎水性シリカエアロゲル粒子の単位質量当たりの比表面積（ＳＭ）は、６００〜８００ｍ２／ｇの範囲であり、体積平均径として表したサイズ（Ｄ［０．５］）は、５〜２０μｍの範囲、さらにより良好には５〜１５μｍの範囲である。
【０４２０】
単位質量当たりの比表面積は、Ｔｈｅ  Ｊｏｕｒｎａｌ  ｏｆ  ｔｈｅ  Ａｍｅｒｉｃａｎ  Ｃｈｅｍｉｃａｌ  Ｓｏｃｉｅｔｙ，ｖｏｌ．６０，ｐａｇｅ  ３０９，Ｆｅｂｒｕａｒｙ  １９３８および対応する国際標準ＩＳＯ  ５７９４／１（附属書Ｄ）に記載されている、ＢＥＴ（ブルナウアー−エメット−テラー）法として知られる窒素吸着方法によって求めることができる。ＢＥＴ比表面積は対象の粒子全体の比表面積に対応する。
【０４２１】
シリカエアロゲル粒子のサイズは、Ｍａｌｖｅｒｎから市販されている粒度解析装置Ｍａｓｔｅｒ  Ｓｉｚｅｒの型式２０００を用いて静的光散乱により測定することができる。データは、Ｍｉｅ散乱理論に基づいて処理される。この理論は、等方性粒子に対応するものであり、非球状粒子の場合、「有効」粒子径を求めることが可能である。この理論は、特にＶａｎ  ｄｅ  Ｈｕｌｓｔによる刊行物Ｌｉｇｈｔ  Ｓｃａｔｔｅｒｉｎｇ  ｂｙ  Ｓｍａｌｌ  Ｐａｒｔｉｃｌｅｓ，Ｃｈａｐｔｅｒｓ  ９  ａｎｄ  １０，Ｗｉｌｅｙ，Ｎｅｗ  Ｙｏｒｋ，１９５７に記載されている。
【０４２２】
好ましい実施形態によれば、本発明に使用される疎水性シリカエアロゲル粒子の単位体積当たりの比表面積ＳＶは、５〜６０ｍ２／ｃｍ３の範囲、好ましくは１０〜５０ｍ２／ｃｍ３の範囲、より好ましくは１５〜４０ｍ２／ｃｍ３の範囲である。
【０４２３】
本発明により使用されるエアロゲルは、疎水性シリカエアロゲル、好ましくはシリルシリカ（ＩＮＣＩ名：シリル化シリカ）のエアロゲルである。
【０４２４】
シリル化により表面変性された疎水性シリカエアロゲル粒子の調製に関しては、米国特許第７４７０７２５号明細書を参照することができる。
【０４２５】
好ましくは、表面がトリメチルシリル基で変性された疎水性シリカエアロゲル粒子が利用されるであろう。
【０４２６】
本発明に使用することができる疎水性シリカエアロゲルとして、例えばＤｏｗ  Ｃｏｒｎｉｎｇ社からＶＭ−２２６０（ＩＮＣＩ名：シリル化シリカ）の名称で販売されているエアロゲルを挙げることができる。この粒子は、平均サイズが約１０００ミクロンであり、単位質量当たりの比表面積が６００〜８００ｍ２／ｇの範囲である。
【０４２７】
ＣａｂｏｔからＡｅｒｏｇｅｌ  ＴＬＤ  ２０１、Ａｅｒｏｇｅｌ  ＯＧＤ  ２０１、Ａｅｒｏｇｅｌ  ＴＬＤ  ２０３、Ｅｎｏｖａ（登録商標）Ａｅｒｏｇｅｌ  ＭＴ  １１００およびＥｎｏｖａ  Ａｅｒｏｇｅｌ  ＭＴ  １２００の商品記号で販売されているエアロゲルも挙げることができる。
【０４２８】
好ましくは、Ｄｏｗ  Ｃｏｒｎｉｎｇ社からＶＭ−２２７０（ＩＮＣＩ名：シリル化シリカ）の名称で販売されているエアロゲルを利用することができるであろう。この粒子は、平均サイズが５〜１５ミクロンの範囲であり、単位質量当たりの比表面積が６００〜８００ｍ２／ｇの範囲である。
【０４２９】
好ましくは、鉱物系増粘剤は、有機親和性クレイ、特に変性ヘクトライト；疎水化処理されたフュームドシリカ；疎水性シリカエアロゲルまたはこれらの混合物から選択され、さらにより具体的には、少なくとも１種の有機親和性変性クレイまたは少なくとも１種の疎水変性シリカ、特に有機親和性変性クレイから選択される。
【０４３０】
より詳細には、組成物が鉱物系増粘剤を含む場合、その含有量は、活性物質として表して、組成物の質量に対して０．２質量％〜２．５質量％、好ましくは０．５質量％〜２質量％である。
【０４３１】
以下に示す実施例は、本発明の分野の非限定的な例として与えられる。
【実施例】
【０４３２】
１．組成
下表にまとめた成分からなる組成物を調製する。出発物質の量は質量で表す。
【０４３３】
【表１】
2019509869.tif 000028
【０４３４】
２．調製
最初に顔料をＡ相のドデカメチルペンタシロキサンの一部と混合する（Ｅｘａｋｔ３本ロールミルで）。
【０４３５】
これとは別に、マグネチックスターラーバーを用いて水性相Ｄを調製する。
【０４３６】
これとは別に、Ｂ相の成分を、Ｒａｙｎｅｒｉ撹拌装置を用いて混合する。
【０４３７】
次いで、Ａ相の成分、先に得られた顔料／ドデカメチルシクロペンタシロキサン混合物をＭｏｒｉｔｚ撹拌により常温で２０分間撹拌する。
【０４３８】
混合物Ａが滑らかかつ均質になり、Ｂ相が均質になったら、水性相ＤをＡ相の上から注ぎ、Ｍｏｒｉｔｚ撹拌装置を用いて常温でエマルジョンを調製する。
【０４３９】
撹拌を実施したら、均質な生成物が得られるまで撹拌を継続し、混合物全体を、図１に対応するディップ式塗布具を装着した容器に包装する。塗布具は、図１９および２０のいずれかに対応するスパチュラ形態を有し、外側部分（第１部分）は、植毛加工されており、第２部分（中央部分）は、起伏のない中実体である。使用されている材料は熱可塑性物質Ｈｙｔｒｅｌであり、ブラシ毛はポリアミドで作製されている。ヒンジから最も遠い末端までの塗布具の長さは２０．３ｍｍであり、幅Ｌは６．０４ｍｍであり、ブラシ毛は約１．３ｍｍの帯状体上に延在している。
【０４４０】
得られた組成物は均質かつ安定である。遠心分離機で処理（９００ｇで１時間）した後も、遊離（例えば、連続または不連続な油の相が出現しない）または沈降は認められない。
【０４４１】
室温または４５℃のオーブン内で１週間後にいかなる相分離も認められない（より具体的には、遊離がなく（すなわち連続または不連続な油の相が出現しない）、沈降もなく、組成物に亀裂も出現しない）。
【０４４２】
組成物１の粘度は１．４Ｐａ．ｓであり、組成物２の粘度は１．３Ｐａ．ｓ（Ｒｈｅｏｍａｔ  １８０粘度計、スピンドル３、２５℃；１０分間、２００ｒｐｍ）である。
【０４４３】
本発明の器具を用いることにより、口唇に非常に薄い膜を塗布することが可能になり、これは、快適でありかつべたつかない。
【０４４４】
塗布された組成物は１時間後も滲まず、膜の持ちも十分である。
【０４４５】
従来の塗布具（例えば、植毛加工された可撓性塗布具（商品記号１４０３０、Ｇｅｋａ  ＧｍｂＨ）を備える容器）をリップグロスに使用した場合に得られる付着物は、本発明による塗布具を使用した場合よりも厚みがあり、べたつき、滲みにくさおよび色移りのしにくさで劣ることに留意されたい。
【０４４６】
膜厚測定手順：
この手順は、生体外測定用である。
・３ｃｍ／４ｃｍのＢｉｏｓｋｉｎ（登録商標）人工皮膚片を作製する。
・得られた皮膚片の質量を測定する。
・器具を用いて、均一な付着物が皮膚片の表面全体を覆うように組成物を塗布する。
・こうして作製した皮膚片を秤量する。
【０４４７】
膜厚：
厚み（ｃｍ）＝塗布した組成物の量（ｇ）：組成物の密度（ｇ／ｃｍ３）である。組成物の密度は１である。厚みは３回の別々の測定の平均値で与える。
【図１】
2019509869.tif 000035
【図２】
2019509869.tif 000036
【図３】
2019509869.tif 000037
【図４】
2019509869.tif 000038
【図５】
2019509869.tif 000039
【図６】
2019509869.tif 000040
【図７】
2019509869.tif 000041
【図８】
2019509869.tif 000042
【図９】
2019509869.tif 000043
【図１０】
2019509869.tif 000044
【図１１】
2019509869.tif 000045
【図１２】
2019509869.tif 000046
【図１３】
2019509869.tif 000047
【図１４】
2019509869.tif 000048
【図１５】
2019509869.tif 000049
【図１６】
2019509869.tif 000050
【図１７】
2019509869.tif 000051
【図１８】
2019509869.tif 000052
【図１９】
2019509869.tif 000053
【図２０】
2019509869.tif 000054
【図２１】
2019509869.tif 000055
【図２２】
2019509869.tif 000056
【図２３】
2019509869.tif 000057
【図２４】
2019509869.tif 000058
【図２５】
2019509869.tif 000059
【図２６】
2019509869.tif 000060
【図２７】
2019509869.tif 000061
【図２８】
2019509869.tif 000062
【国際調査報告】
2019509869.tif 000063
2019509869.tif 000064
2019509869.tif 000065